(57)【特許請求の範囲】
【請求項１】
生体試料を導入するためのキャピラリと、
前記キャピラリ内に第１作用極と第１対極を含む第１電極系を含む電極部と、
前記電極部と接するように配置された試薬部とを備えるバイオセンサにおいて、前記生体試料の成分を測定する方法であって、
前記試薬部に酵素およびメディエータを含み、
前記第１電極系に対して、前記生体試料の導入検知後０秒〜０．５秒以内に開始され、０秒より長く０．７秒までの間、電圧を印加し、得られる電流値に基づき、ヘマトクリット値を得る工程を含むことを特徴とする生体試料の成分を測定する方法。
【請求項２】
前記第１電極系への電圧印加時間は、０秒より長く０．５秒までの間のいずれかである請求項１記載の生体試料の成分を測定する方法。
【請求項３】
前記第１電極系への電圧印加は、前記生体試料の導入検知後０秒に開始される請求項１または２に記載の生体試料の成分を測定する方法。
【請求項４】
前記第１電極系への電圧印加は、前記生体試料の導入検知後０秒より後で０．１秒以内に開始される請求項１または２に記載の生体試料の成分を測定する方法。
【請求項５】
前記第１電極系への印加電圧は、１．５〜４．０Ｖの範囲のいずれかである請求項１〜４のいずれか一項に記載の生体試料の成分を測定する方法。
【請求項６】
前記成分がグルコースであり、
前記ヘマトクリット値を得る工程後に、前記第１電極系へ電圧を印加し、グルコースに依存する電流値を得る工程と、
前記グルコースに依存する電流値と前記ヘマトクリット値とを用いて、グルコース値を得る工程と
を更に含む請求項１〜５のいずれか一項に記載の生体試料の成分を測定する方法。
【請求項７】
前記グルコースに依存する電流値を得る工程における前記第１電極系への電圧印加時間は、０．０１〜１０．０秒の間のいずれかである請求項６に記載の生体試料の成分を測定する方法。
【請求項８】
請求項６または７に記載の生体試料の成分を測定する方法であって、
前記グルコースに依存する電流値を得る工程における前記第１電極系に印加する電圧が、０．１Ｖ〜１．４Ｖの範囲のいずれかである生体試料の成分を測定する方法。
【請求項９】
前記成分がグルコースであり、
前記電極部に、第２作用極と第２対極とを含む第２電極系を更に設け、
前記ヘマトクリット値を得る工程後に、前記第２電極系へ電圧を印加し、グルコースに依存する電流値を得る工程と、
前記グルコースに依存する電流値と前記ヘマトクリット値とを用いて、グルコース値を得る工程と
を更に含む
請求項１〜５のいずれか一項に記載の生体試料の成分を測定する方法。
【請求項１０】
前記第２電極系への電圧印加時間は、０．０１〜１０．０秒の間のいずれかである請求項９に記載の生体試料の成分を測定する方法。
【請求項１１】
請求項９または１０に記載の生体試料の成分を測定する方法であって、
前記第２電極系に印加する電圧が、０．１Ｖ〜１．４Ｖの範囲のいずれかである生体試料の成分を測定する方法。
【発明の詳細な説明】
【技術分野】
【０００１】
本発明は、生体試料の成分を測定する方法に関するものである。
【背景技術】
【０００２】
臨床検査や糖尿病患者の血糖値自己測定等において、生体試料の成分を測定するためのセンサが従来から使用されている。このようなセンサは、例えば、その表面に作用極および対極が形成された絶縁基板の上に、スペーサーを介してカバーが配置されている構成である。前記作用極および対極の上には、酸化還元酵素およびメディエータ（電子伝達体）等を含む試薬が配置されており、この部分が分析部となる。この分析部には、血液を導入するための流路の一端が連通しており、前記流路の他端は外部に向かって開口しており、ここが生体試料供給口となる。このようなセンサを用いた生体試料（例えば血液）の成分の分析（例えば、血糖、ケトン、ＨｂＡ１ｃ等）は、例えば、次のようにして行われる。すなわち、まず、前記センサを専用の測定装置（メータ）にセットする。そして、指先等をランセットで傷つけて出血させ、これに前記センサの生体試料供給口を接触させる。血液は、毛細管現象によりセンサの流路に吸い込まれ、これを通って分析部に導入され、ここで、前記試薬と接触する。そして、血液中の成分と、酸化還元酵素とが反応して酸化還元反応が起こり、これによりメディエータを介して電流が流れる。この電流を検出し、この電流値に基づき、前記測定装置において血液成分量を算出し、これを表示する。【０００３】
上記のようにして、センサを用いて血液成分を測定することができるが、その測定値は、ヘマトクリット（Ｈｃｔ）の影響を受ける場合があるので、正しい測定値を得るためには、Ｈｃｔ値を測定し、この値に基づき血液成分量の値を補正する必要がある。例えば、作用極と対極の上方に酸化還元酵素およびメディエータを含む試薬層が配置され、その試薬層上に血液を供給して試薬が含まれた血液を得、その血液を作用極と対極に供給した状態で電圧を印加することにより、Ｈｃｔ値を測定する方法が知られている（特許文献１参照）。また、２つの作用極Ｗ１、Ｗ２と参照電極Ｒとを含み、作用極Ｗ１と参照電極Ｒにはメディエータが配置され、作用極Ｗ２にはメディエータと酸化還元酵素とが配置されるバイオセンサにおいて、これらの電極に電圧を印加することにより、Ｈｃｔ値を測定する方法が知られている（特許文献２参照）。また、作用極と対極を含む電極系であり、作用極上にのみ酸化還元酵素およびメディエータを含む試薬層が配置されたセンサを用いて、電極の極性を切り替えながら電流値を測定する方法が知られている（特許文献３参照）。なお、この方法では、複数の電流値に基づき、Ｈｃｔ値を得ている。【０００４】
電極への印加方式に特徴があるＨｃｔの測定方法も知られている。例えば、作用極と対極の上に酸化還元酵素およびメディエータを含む試薬層が配置されているセンサにおいて、この作用極と対極に対して血液を供給するとすぐ、０．３５Ｖで２．５秒間電圧を印加し、Ｈｃｔ値を測定する方法がある（特許文献４参照）。また、全血サンプルを毛管空隙を有するサンプル分析デバイスに提供し、前記毛管空隙の少なくとも一部分内のサンプルの初期電流を測定し、その初期電流からサンプルのＨｃｔ値を決定する方法も知られている（特許文献５参照）。また、Ｈｃｔ値測定用の対極のみに酸化還元酵素およびメディエータを含む試薬層が配置されているセンサにおいて、複数回高電圧を両電極に印加し、得られた電流値に基づき、Ｈｃｔ値を得る方法も知られている（特許文献６参照）。しかしながら、特許文献３に記載の方法などは、Ｈｃｔ値を得るのに時間がかかっていた。そこで、短時間でＨｃｔ値を得る方法が望まれていた。
【先行技術文献】
【特許文献】
【０００５】
【特許文献１】特許第３３６９１８３号公報
【特許文献２】特許第４０６００７８号公報
【特許文献３】特許第５０６６１０８号公報
【特許文献４】特許第５８０１４７９号公報
【特許文献５】特許第５７８８８５７号公報
【特許文献６】国際公開第２０１４／１７４８１５号パンフレット
【発明の概要】
【発明が解決しようとする課題】
【０００６】
そこで、本発明は、生体試料のＨｃｔ値を短時間で測定する方法の提供を目的とする。
【課題を解決するための手段】
【０００７】
本発明は、
生体試料を導入するためのキャピラリと、
前記キャピラリ内に第１作用極と第１対極を含む第１電極系を含む電極部と、
前記電極部と接するように配置された試薬部とを備えるバイオセンサにおいて、前記生体試料の成分を測定する方法であって、
前記試薬部に酵素およびメディエータを含み、
前記第１電極系に対して、前記生体試料の導入検知後０秒〜０．５秒以内に開始され、０秒より長く０．７秒までの間、電圧を印加し、得られる電流値に基づき、Ｈｃｔ値を得る工程を含むことを特徴とする生体試料の成分を測定する方法（本文中「第１の生体試料の成分を測定する方法」と呼ぶことがある）である。【０００８】
また、本発明は、前記第１の生体試料の成分を測定する方法であって、
前記成分がグルコース（Ｇｌｕ）であり、
前記Ｈｃｔ値を得る工程後に、前記第１電極系へ電圧を印加し、Ｇｌｕに依存する電流値を得る工程と、
前記Ｇｌｕに依存する電流値と前記Ｈｃｔ値とを用いて、Ｇｌｕ値を得る工程と
を更に含む生体試料の成分を測定する方法（本文中「第２の生体試料の成分を測定する方法」と呼ぶことがある）である。【０００９】
また、本発明は、前記第１の生体試料の成分を測定する方法であって、
前記成分がＧｌｕであり、
前記電極部に、第２作用極と第２対極とを含む第２電極系を更に設け、
前記Ｈｃｔ値を得る工程後に、前記第２電極系へ電圧を印加し、Ｇｌｕに依存する電流値を得る工程と、
前記Ｇｌｕに依存する電流値と前記Ｈｃｔ値とを用いて、Ｇｌｕ値を得る工程と
を更に含む生体試料の成分を測定する方法（本文中「第３の生体試料の成分を測定する方法」と呼ぶことがある）である。【００１０】
また、本発明は、
生体試料を導入するためのキャピラリと、
前記キャピラリ内に第１作用極と第１対極を含む第１電極系を含む電極部と、
前記電極部と接するように配置された試薬部とを備えるバイオセンサにおいて、前記生体試料の成分を測定する方法であって、
前記成分がＧｌｕであり、
前記試薬部に酵素およびメディエータを含み、
前記第１電極系に対して、前記生体試料の導入検知後０秒〜０．５秒以内に開始され、０秒より長く０．７秒までの間、電圧を印加し、Ｈｃｔに依存する電流値を得る工程と、
前記Ｈｃｔに依存する電流値を得る工程後に、前記第１電極系へ電圧を印加し、Ｇｌｕに依存する電流値を得る工程と、
前記Ｇｌｕに依存する電流値と前記Ｈｃｔに依存する電流値とを用いて、Ｇｌｕ値を得る工程と
を含む生体試料の成分を測定する方法（本文中「第４の生体試料の成分を測定する方法」と呼ぶことがある）である。【００１１】
また、本発明は、生体試料を導入するためのキャピラリと、
前記キャピラリ内に第１作用極と第１対極を含む第１電極系と、第２作用極と第２対極とを含む第２電極系とを含む電極部と、
前記電極部と接するように配置された試薬部とを備えるバイオセンサにおいて、前記生体試料の成分を測定する方法であって、
前記成分がＧｌｕであり、
前記試薬部に酵素およびメディエータを含み、
前記第１電極系に対して、前記生体試料の導入検知後０秒〜０．５秒以内に開始され、０秒より長く０．７秒までの間、電圧を印加し、Ｈｃｔに依存する電流値を得る工程と、
前記Ｈｃｔに依存する電流値を得る工程後に、前記第２電極系へ電圧を印加し、Ｇｌｕに依存する電流値を得る工程と、
前記Ｇｌｕに依存する電流値と前記Ｈｃｔに依存する電流値とを用いて、Ｇｌｕ値を得る工程と
を含む生体試料の成分を測定する方法（本文中「第５の生体試料の成分を測定する方法」と呼ぶことがある）である。【００１２】
また、本発明は、生体試料を導入するためのキャピラリと、
前記キャピラリ内に酵素およびメディエータを含む試薬部と、
前記キャピラリ内において前記試薬部と接するように配置された、第３作用極と第３対極を有するＨｃｔ値を測定するための第１Ｈｃｔ測定系と、
前記試薬部が配置されていない箇所に第５作用極と、前記試薬部と接するように配置された第５対極を有するＨｃｔ値を測定するための第２Ｈｃｔ測定系と、
を有するバイオセンサ（本文中「第１バイオセンサＡ」と呼ぶことがある）である。【００１３】
また、本発明は、第１バイオセンサであって、
前記キャピラリ内に前記試薬部と接するように配置された第４作用極と第４対極とを含む、Ｇｌｕに依存する電流値を得るための電極系を更に設けたバイオセンサ（本文中「第１バイオセンサＢ」と呼ぶことがある）である。【００１４】
単に「第１バイオセンサ」と呼ぶ場合には、前記第１バイオセンサＡおよび前記第１バイオセンサＢを含む。【００１５】
また、本発明は、前記第１Ａバイオセンサにおいて、
前記第６作用極と第６対極とを含む、Ｇｌｕに依存する電流値を得るための電極系と、
前記第４作用極と第４対極とを含む、Ｇｌｕに依存する電流値を得るための電極系とを更に設けるバイオセンサ（本文中「第２バイオセンサ」と呼ぶことがある）である。【００１６】
また、本発明は、前記第２バイオセンサにおいて、
前記キャピラリ内に前記試薬部と接するように配置された、第４作用極と第４対極とを含む、Ｇｌｕに依存する電流値を得るための更なる電極系を更に設けるバイオセンサ（本文中「第３バイオセンサＡ」と呼ぶことがある）である。【００１７】
また、本発明は、前記第３バイオセンサＡであって、
前記キャピラリ内に前記試薬部と接しないように配置された第７作用極と、前記試薬部と接する第７対極とを含む、Ｉｎｔ（妨害物質）に依存する電流値を得るための電極系を更に設けたバイオセンサ（本文中「第３バイオセンサＢ」と呼ぶことがある）である。【００１８】
単に「第３バイオセンサ」と呼ぶ場合には、前記第３バイオセンサＡおよび前記第３バイオセンサＢを含む。【００１９】
また、本発明は、第１バイオセンサを用いて生体試料中のＨｃｔ値を得る工程を含む生体試料の成分を測定する方法であって、
前記第１Ｈｃｔ測定系に、前記生体試料の導入検知後０秒〜０．５秒に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と
を含む生体試料の成分を測定する方法（本文中「第６の生体試料の成分を測定する方法」と呼ぶことがある）である。【００２０】
また、本発明は、前記第６の生体試料の成分を測定する方法であって、
前記第１電流値を得る工程後に、前記第１Ｈｃｔ測定系に電圧を印加し、Ｇｌｕに依存する電流値を得る工程と、
前記Ｇｌｕに依存する電流値と、前記生体試料中のＨｃｔ値とに基づき、前記生体試料中のＧｌｕ値を得る工程とを更に含む生体試料の成分を測定する方法（本文中「第７の生体試料の成分を測定する方法」と呼ぶことがある）である。【００２１】
また、本発明は、第２バイオセンサを用いて生体試料中のＨｃｔ値を得る工程を含む生体試料の成分を測定する方法であって、
前記第１Ｈｃｔ測定系に、前記生体試料の導入検知後０秒〜０．５秒以内に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
を含む生体試料の成分を測定する方法（本文中「第８の生体試料の成分を測定する方法」と呼ぶことがある）である。【００２２】
また、本発明は、前記第８の生体試料の成分を測定する方法であって、
前記第１電流値を得る工程後に、前記Ｇｌｕに依存する電流値を得るための電極系に電圧を印加し、Ｇｌｕに依存する電流値を得る工程と、
前記Ｇｌｕに依存する電流値と、前記生体試料中のＨｃｔ値とに基づき、前記生体試料中のＧｌｕ値を得る工程とを更に含む生体試料の成分を測定する方法（本文中「第９の生体試料の成分を測定する方法」と呼ぶことがある）である。【００２３】
また、本発明は、第１バイオセンサを用いて生体試料中のＧｌｕ値を得る工程を含む生体試料の成分を測定する方法であって、
前記第１Ｈｃｔ測定系に、前記生体試料の導入検知後０秒〜０．５秒以内に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値を得る工程後に、前記第１Ｈｃｔ測定系へ電圧を印加し、Ｇｌｕに依存する電流値を得る工程と、
前記Ｇｌｕに依存する電流値と前記第１電流値と前記第２電流値とを用いて、生体試料中のＧｌｕ値を得る工程と
を含む生体試料の成分を測定する方法（本文中「第１０の生体試料の成分を測定する方法」と呼ぶことがある）である。【００２４】
また、本発明は、第２バイオセンサを用いて生体試料中のＧｌｕ値を得る工程を含む生体試料の成分を測定する方法であって、
前記第１Ｈｃｔ測定系に、前記生体試料の導入検知後０秒〜０．５秒以内に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値を得る工程後に、前記Ｇｌｕに依存する電流値を得るための電極系へ電圧を印加し、Ｇｌｕに依存する電流値を得る工程と、
前記Ｇｌｕに依存する電流値と前記第１電流値と前記第２電流値とを用いて、生体試料中のＧｌｕ値を得る工程と
を含む生体試料の成分を測定する方法（本文中「第１１の生体試料の成分を測定する方法」と呼ぶことがある）である。【００２５】
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記第１Ｈｃｔ測定系に電圧を印加し、Ｇｌｕに依存する電流値を得る工程と、
前記Ｇｌｕに依存する電流値と、前記生体試料中のＨｃｔ値とに基づき、前記生体試料中のＧｌｕ値を得る工程とを含む
生体試料の成分を測定する方法である（本文中「第１２の生体試料の成分を測定する方法」と呼ぶことがある）。【００２６】
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒以内に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記Ｇｌｕに依存する電流値を得るための電極系に電圧を印加し、Ｇｌｕに依存する電流値を得る工程と、
前記Ｇｌｕに依存する電流値と、前記生体試料中のＨｃｔ値とに基づき、前記生体試料中のＧｌｕ値を得る工程とを含む
生体試料の成分を測定する方法である（本文中「第１３の生体試料の成分を測定する方法」と呼ぶことがある）。【００２７】
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記第１Ｈｃｔ測定系に電圧を印加し、Ｇｌｕに依存する電流値を得る工程と、
前記Ｇｌｕに依存する電流値を得る工程後に、Ｉｎｔに依存する電流値を得るための電極系に電圧を印加し、前記生体試料中のＩｎｔ値に依存する電流値を得る工程と、
前記Ｇｌｕに依存する電流値と、前記生体試料中のＨｃｔ値と、前記生体試料中のＩｎｔ値に依存する電流値に基づき、前記生体試料中のＧｌｕ値を得る工程とを含む
生体試料の成分を測定する方法である（本文中「第１４の生体試料の成分を測定する方法」と呼ぶことがある）。【００２８】
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒以内に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記Ｇｌｕに依存する電流値を得るための電極系に電圧を印加し、Ｇｌｕに依存する電流値を得る工程と、
前記Ｇｌｕに依存する電流値を得る工程後に、Ｉｎｔに依存する電流値を得るための電極系に電圧を印加し、前記生体試料中のＩｎｔ値に依存する電流値を得る工程と、
前記Ｇｌｕに依存する電流値と、前記生体試料中のＨｃｔ値と、前記生体試料中のＩｎｔ値に依存する電流値に基づき、前記生体試料中のＧｌｕ値を得る工程とを含む
生体試料の成分を測定する方法である（本文中「第１５の生体試料の成分を測定する方法」と呼ぶことがある）。【００２９】
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記第１Ｈｃｔ測定系に電圧を印加し、Ｇｌｕに依存する第１電流値を得る工程と、
前記Ｇｌｕに依存する第１電流値を得る工程後に、前記Ｇｌｕに依存する第２電流値を得るための電極系に電圧を印加し、Ｇｌｕに依存する第２電流値を得る工程と、
前記Ｇｌｕに依存する第２電流値を得る工程後に、Ｉｎｔに依存する電流値を得るための電極系に電圧を印加し、前記生体試料中のＩｎｔ値に依存する電流値を得る工程と、
前記Ｇｌｕに依存する第１電流値と、前記Ｇｌｕに依存する第２電流値と、前記生体試料中のＨｃｔ値と、前記生体試料中のＩｎｔ値に依存する電流値に基づき、前記生体試料中のＧｌｕ値を得る工程とを含む
生体試料の成分を測定する方法である（本文中「第１６の生体試料の成分を測定する方法」と呼ぶことがある）。【００３０】
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒以内に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記Ｇｌｕに依存する第１電流値を得るための電極系に電圧を印加し、Ｇｌｕに依存する第１電流値を得る工程と、
前記Ｇｌｕに依存する第１電流値を得る工程後に、前記Ｇｌｕに依存する第２電流値を得るための電極系に電圧を印加し、Ｇｌｕに依存する第２電流値を得る工程と、
前記Ｇｌｕに依存する第２電流値を得る工程後に、Ｉｎｔに依存する電流値を得るための電極系に電圧を印加し、前記生体試料中のＩｎｔ値に依存する電流値を得る工程と、
前記Ｇｌｕに依存する第１電流値と、前記Ｇｌｕに依存する第２電流値と、前記生体試料中のＨｃｔ値と、前記生体試料中のＩｎｔ値に依存する電流値に基づき、前記生体試料中のＧｌｕ値を得る工程とを含む
生体試料の成分を測定する方法である（本文中「第１７の生体試料の成分を測定する方法」と呼ぶことがある）。【００３１】
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記第１Ｈｃｔ測定系に電圧を印加し、Ｇｌｕに依存する第１電流値を得る工程と、
前記第１電流値を得る工程後に、前記Ｇｌｕに依存する電流値を得るための電極系に電圧を印加し、Ｇｌｕに依存する第２電流値を得る工程と、
前記Ｇｌｕに依存する第１電流値と、前記Ｇｌｕに依存する第２電流値と、前記生体試料中のＨｃｔ値とに基づき、前記生体試料中のＧｌｕ値を得る工程とを含む
生体試料の成分を測定する方法である（本文中「第１８の生体試料の成分を測定する方法」と呼ぶことがある）。
【発明の効果】
【００３２】
このように、本発明の生体試料の成分を測定する方法では、作用極と対極を含む電極系に酵素およびメディエータを含む試薬層が接するバイオセンサにおいて生体試料を測定し、かつ、前記電極系に対して、生体試料の導入検知後０秒〜０．５秒以内に開始され、０秒より長く０．７秒までの間、電圧を印加し、得られる電流値に基づきＨｃｔ値を得ることに特徴を有する（第１の生体試料の成分を測定する方法）。すわなち、作用極と対極の両方に試薬層が接しているバイオセンサにおいて、生体試料の検知後、極めて短い時間、電圧を印加し、その際に得られる電流値に基づきＨｃｔ値を得る。このような方法によれば、Ｈｃｔ値を短時間で測定することができる。【００３３】
また、このような生体試料の成分を測定する方法では、前記電極系に電圧を印加してＧｌｕに依存する電流値を得、その電流値と得られたＨｃｔ値を用いてＧｌｕ値を得るという特徴を有する（第２の生体試料の成分を測定する方法）。すなわち、前記試薬層に接した電極近傍のＧｌｕに依存する電流値と、同じ電極近傍のＨｃｔ値を用いてＧｌｕ値を得るため、電極近傍の生体試料の特性をより精度高く反映させてＧｌｕ値を測定することができる。また、このような方法によれば、第１電極系においてＨｃｔ値を短時間で測定することができ、そのＨｃｔ値を用いて補正したＧｌｕ値を精度良く得ることができる。【００３４】
また、このような生体試料の成分を測定する方法では、前記電極系とは別の電極系に電圧を印加してＧｌｕに依存する電流値を得、その電流値と得られたＨｃｔ値を用いてＧｌｕ値を得るという特徴を有する（第３の生体試料の成分を測定する方法）。このような方法によれば、第１電極系においてＨｃｔ値を短時間で測定することができ、そのＨｃｔ値を用いて補正したＧｌｕ値を精度良く得ることができる。【００３５】
また、本発明の生体試料の成分を測定する方法では、作用極と対極を含む電極系に酵素およびメディエータを含む試薬層が接するバイオセンサにおいて生体試料を測定し、かつ、前記電極系に対して、生体試料の導入検知後０秒〜０．５秒以内に開始され、０秒より長く０．７秒までの間、電圧を印加し、Ｈｃｔに依存する電流値を得、前記電極系に電圧を印加してＧｌｕに依存する電流値を得、Ｈｃｔに依存する電流値とＧｌｕに依存する電流値とを用いてＧｌｕ値を得るという特徴を有する（第４の生体試料の成分を測定する方法）。すなわち、前記試薬層に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、第１電極系においてＨｃｔに依存する電流値を短時間で測定することができ、そのＨｃｔに依存する電流値を用いて補正したＧｌｕ値を精度良く得ることができる。【００３６】
また、本発明の生体試料の成分を測定する方法では、作用極と対極を含む電極系に酵素およびメディエータを含む試薬層が接するバイオセンサにおいて生体試料を測定し、かつ、前記電極系に対して、生体試料の導入検知後０秒〜０．５秒以内に開始され、０秒より長く０．７秒までの間、電圧を印加し、Ｈｃｔに依存する電流値を得、前記電極系とは別の電極系に電圧を印加してＧｌｕに依存する電流値を得、Ｈｃｔに依存する電流値とＧｌｕに依存する電流値とを用いてＧｌｕ値を得るという特徴を有する（第５の生体試料の成分を測定する方法）。また、このような方法によれば、第１電極系においてＨｃｔに依存する電流値を短時間で測定することができ、そのＨｃｔに依存する電流値を用いて補正したＧｌｕ値を精度良く得ることができる。【００３７】
また、本発明のバイオセンサは、試薬部と接する第１Ｈｃｔ測定系と、試薬部が配置されていない箇所に第２Ｈｃｔ測定系とを有する（第１バイオセンサ）。このようなバイオセンサによれば、キャピラリ内において、点着された生体試料（例えば血液）の測定環境が異なる系（測定場所および試薬有無）で測定が行うことが出来る。本発明のバイオセンサは、特に、ヘマトクリット値ならびにそれに依存する電流値を、キャピラリ内の複数系で測定出来るため、Ｇｌｕ値を求める際に、より測定精度の向上を図ることができる。【００３８】
また、本発明の生体試料の成分を測定する方法では、前記第１バイオセンサにおいて生体試料を測定し、かつ、前記第１Ｈｃｔ測定系に対して、生体試料の導入検知後０秒〜０．５秒以内に開始され、０秒より長く０．７秒までの間、電圧を印加し、第１電流値を得、その後に前記第２Ｈｃｔ測定系に電圧を印加して第２電流値を得、前記第１電流値と前記第２電流値とを用いてＨｃｔ値を得るという特徴を有する（第６の生体試料の成分を測定する方法）。このような方法によれば、試薬が配置された第１Ｈｃｔ測定系において、特に、第１電流値（Ｈｃｔ値もしくはＨｃｔ値に依存する電流値）を短時間で測定することができ、また、その第１電流値ならびに第２Ｈｃｔ測定系で測定された第２電流値（Ｈｃｔ値もしくはＨｃｔ値に依存する電流値）を用いることで、補正したＧｌｕ値を求める際に、測定精度向上を図ることができる。また、前記第１電流値を得る工程後に、前記第１Ｈｃｔ測定系に電圧を印加し、Ｇｌｕに依存する電流値を得る工程と、前記Ｇｌｕに依存する電流値と、前記生体試料中のＨｃｔ値とに基づき、前記生体試料中のＧｌｕ値を得る工程とを更に含むことを特徴とする（第７の生体試料の成分を測定する方法）。このような方法によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、第１Ｈｃｔ測定系においてはＨｃｔ値を短時間で測定することができ、そのＨｃｔ値を用いて補正したＧｌｕ値を精度良く得ることができる。【００３９】
また、本発明の生体試料の成分を測定する方法では、前記第１バイオセンサにおいて生体試料を測定し、かつ、前記第１Ｈｃｔ測定系に対して、生体試料の導入検知後０秒〜０．５秒以内に開始され、０秒より長く０．７秒までの間、電圧を印加し、第１電流値を得、その後に前記第２Ｈｃｔ測定系に電圧を印加して第２電流値を得、前記第１電流値を得る工程後に、前記第１Ｈｃｔ測定系に電圧を印加し、Ｇｌｕに依存する電流値を得る工程と、前記Ｇｌｕに依存する電流値と、前記第１電流値と前記第２電流値とに基づき、前記生体試料中のＧｌｕ値を得る工程とを更に含むことを特徴とする（第１０の生体試料の成分を測定する方法）。このような方法によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、第１Ｈｃｔ測定系においてはＨｃｔに依存する電流値を短時間で測定することができ、そのＨｃｔに依存する電流値を用いて補正したＧｌｕ値を精度良く得ることができる。【００４０】
また、本発明のバイオセンサは、Ｇｌｕに依存する電流値を得るための、試薬部と接するＧｌｕに依存する電流値を得るための電極系をさらに有する（第２バイオセンサ）。このようなバイオセンサによれば、試薬部と接するように配置された第５作用極や第５対極を有しているため、Ｇｌｕに依存するより多くの電流値を測定することができるため、補正したＧｌｕ値をより精度良く得ることができる。【００４１】
また、本発明の生体試料の成分を測定する方法では、前記第２バイオセンサにおいて生体試料を測定し、かつ、前記第１Ｈｃｔ測定系に対して、生体試料の導入検知後０秒〜０．５秒以内に開始され、０秒より長く０．７秒までの間、電圧を印加し、第１電流値を得、その後に前記第２Ｈｃｔ測定系に電圧を印加して第２電流値を得、前記第１電流値と前記第２電流値とを用いてＨｃｔ値を得るという特徴を有する（第８の生体試料の成分を測定する方法）。このような方法によれば、第１Ｈｃｔ測定系において第１電流値（Ｈｃｔ値）を短時間で測定することができ、そのＨｃｔ値を用いて補正したＧｌｕ値を精度良く得ることができる。【００４２】
また、前記第８の生体試料の成分を測定する方法において、前記第１電流値を得る工程後に、前記Ｇｌｕに依存する電流値を得るための電極系に電圧を印加し、Ｇｌｕに依存する電流値を得る工程と、前記Ｇｌｕに依存する電流値と、前記生体試料中のＨｃｔ値とに基づき、前記生体試料中のＧｌｕ値を得る工程とを更に含むことを特徴とする（第９の生体試料の成分を測定する方法）。このような方法によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。【００４３】
また、本発明の生体試料の成分を測定する方法では、前記第２バイオセンサにおいて生体試料を測定し、かつ、前記第１Ｈｃｔ測定系に対して、生体試料の導入検知後０秒〜０．５秒以内に開始され、０秒より長く０．７秒までの間、電圧を印加し、第１電流値を得、その後に前記第２Ｈｃｔ測定系に電圧を印加して第２電流値を得、前記第１電流値を得る工程後に、前記Ｇｌｕに依存する電流値を得るための電極系に電圧を印加し、Ｇｌｕに依存する電流値を得る工程と、前記Ｇｌｕに依存する電流値と、前記第１電流値と前記第２電流値とに基づき、前記生体試料中のＧｌｕ値を得る工程とを更に含むことを特徴とする（第１１の生体試料の成分を測定する方法）。このような方法によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、第１Ｈｃｔ測定系において第１電流値を短時間で測定することができ、その第１電流値を用いて補正したＧｌｕ値を精度良く得ることができる。【００４４】
なお、本文中、単に「生体試料の成分を測定する方法」に言及する場合は、「第１の生体試料の成分を測定する方法」、「第２の生体試料の成分を測定する方法」、「第３の生体試料の成分を測定する方法」、「第４の生体試料の成分を測定する方法」、「第５の生体試料の成分を測定する方法」、「第６の生体試料の成分を測定する方法」、「第７の生体試料の成分を測定する方法」、「第８の生体試料の成分を測定する方法」、「第９の生体試料の成分を測定する方法」、「第１０の生体試料の成分を測定する方法」、「第１１の生体試料の成分を測定する方法」、「第１２の生体試料の成分を測定する方法」、「第１３の生体試料の成分を測定する方法」、「第１４の生体試料の成分を測定する方法」、「第１５の生体試料の成分を測定する方法」、「第１６の生体試料の成分を測定する方法」、「第１７の生体試料の成分を測定する方法」および「第１８の生体試料の成分を測定する方法」の全てを指す。また、本文中、単に「バイオセンサ」に言及する場合は、「第１バイオセンサ」、「第２バイオセンサ」および「第３バイオセンサ」の全てを指す。
【図面の簡単な説明】
【００４５】
【図１】図１は、本発明において用いるバイオセンサの分解斜視図である。
【図２】図２は、本発明において用いるバイオセンサの断面図である。
【図３】図３は、本発明において用いるバイオセンサの一例の平面図である。
【図４】図４は、本発明において用いるバイオセンサの別の一例（第１バイオセンサ）の平面図を示す。
【図５】図５は、本発明において用いるバイオセンサのさらに別の一例（第２バイオセンサ）の平面図を示す。
【図６】図６は、本発明において用いるバイオセンサのさらに別の一例（第３バイオセンサ）の平面図を示す。
【図７】図７の斜視図は、本発明の測定方法において用いられるバイオセンサを装着した状態の本発明の測定装置の一例を示す
【図８】図８は、本発明の測定方法において用いられるバイオセンサを装着した状態の本発明の測定装置の電気ブロック図の一例を示す。
【図９】図９は、実施形態１の動作フローチャートである。
【図１０】図１０は、実施形態１のＨＣＴ測定フローチャートである。
【図１１】図１１は、実施形態２の動作フローチャートである。
【図１２】図１２は、実施形態２の電流値測定フローチャートである。
【図１３】図１３（ａ）および図１３（ｂ）は、実施形態２の電圧の印加時間と印加電圧の関係の例を示す。
【図１４ａ】図１４ａは、実施形態３の動作フローチャートである。
【図１４ｂ】図１４ｂは、実施形態３のＨＣＴ測定２フローチャートである。
【図１５ａ】図１５ａは、実施形態４の動作フローチャートである。
【図１５ｂ】図１５ｂは、実施形態４のＩＮＴ測定フローチャートである。
【図１６ａ】図１６ａは、実施形態２の一例の印加電圧と印加時間の関係を示す。
【図１６ｂ】図１６ｂは、実施形態２の別の一例の印加電圧と印加時間の関係を示す。
【図１７ａ】図１７ａは、実施形態３の一例の印加電圧と印加時間の関係を示す。
【図１７ｂ】図１７ｂは、実施形態３の別の一例の印加電圧と印加時間の関係を示す。
【図１８ａ】図１８ａは、実施形態４の一例の印加電圧と印加時間の関係を示す。
【図１８ｂ】図１８ｂは、実施形態４の別の一例の印加電圧と印加時間の関係を示す。
【図１９】図１９（ａ）は、血液試料導入の検知後すぐ（０秒）における電圧の印加時間と印加電圧の関係を示す。図１９（ｂ）は、血液試料導入の検知後所定時間後の電圧の印加時間と印加電圧の関係を示す。
【図２０ａ】図２０ａは、実施例１のＧｌｕ濃度が４５ｍｇ／ｄｌ（Ｈｃｔ値０％、４２％、７０％）の血液試料について、印加電圧に対する応答電流値の経時変化を表すグラフである。
【図２０ｂ】図２０ｂは、実施例１のＧｌｕ濃度が５５０ｍｇ／ｄｌ（Ｈｃｔ値０％、４２％、７０％）の血液試料について、印加電圧に対する応答電流値の経時変化を表すグラフである。
【図２０ｃ】図２０ｃは、実施例１のＨｃｔ４２％を基準にした、Ｇｌｕ値４５ｍｇ／ｄｌ、５５０ｍｇ／ｄｌそれぞれの場合の感度差（％）のグラフである。
【図２０ｄ】図２０ｄは、実施例１のＧｌｕ４５ｍｇ／ｄｌを基準にした、Ｈｃｔ値０％、４２％、７０％それぞれの場合の感度差（％）のグラフである。
【図２１ａ】図２１ａは、実施例２のＧｌｕ濃度が４５ｍｇ／ｄｌ（Ｈｃｔ値０％、４２％、７０％）の血液試料について、印加電圧に対する応答電流値の経時変化を表すグラフである。
【図２１ｂ】図２１ｂは、実施例２のＧｌｕ濃度が５５０ｍｇ／ｄｌ（Ｈｃｔ値０％、４２％、７０％）の血液試料について、印加電圧に対する応答電流値の経時変化を表すグラフである。
【図２１ｃ】図２１ｃは、実施例２のＨｃｔ４２％を基準にした、Ｇｌｕ値４５ｍｇ／ｄｌ、５５０ｍｇ／ｄｌそれぞれの場合の感度差（％）のグラフである。
【図２１ｄ】図２１ｄは、実施例２のＧｌｕ４５ｍｇ／ｄｌを基準にした、Ｈｃｔ値０％、４２％、７０％それぞれの場合の感度差（％）のグラフである。
【図２２ａ】図２２ａは、実施例３のＧｌｕ濃度が４５ｍｇ／ｄｌ（Ｈｃｔ値０％、４２％、７０％）の血液試料について、印加電圧に対する応答電流値の経時変化を表すグラフである。
【図２２ｂ】図２２ｂは、実施例３のＧｌｕ濃度が５５０ｍｇ／ｄｌ（Ｈｃｔ値０％、４２％、７０％）の血液試料について、印加電圧に対する応答電流値の経時変化を表すグラフである。
【図２２ｃ】図２２ｃは、実施例３のＨｃｔ４２％を基準にした、Ｇｌｕ値４５ｍｇ／ｄｌ、５５０ｍｇ／ｄｌそれぞれの場合の感度差（％）のグラフである。
【図２２ｄ】図２２ｄは、実施例３のＧｌｕ４５ｍｇ／ｄｌを基準にした、Ｈｃｔ値０％、４２％、７０％それぞれの場合の感度差（％）のグラフである。
【図２３ａ】図２３ａは、実施例４のＧｌｕ濃度が４５ｍｇ／ｄｌ（Ｈｃｔ値０％、４２％、７０％）の血液試料について、印加電圧に対する応答電流値の経時変化を表すグラフである。
【図２３ｂ】図２３ｂは、実施例４のＧｌｕ濃度が５５０ｍｇ／ｄｌ（Ｈｃｔ値０％、４２％、７０％）の血液試料について、印加電圧に対する応答電流値の経時変化を表すグラフである。
【図２３ｃ】図２３ｃは、実施例４のＨｃｔ４２％を基準にした、Ｇｌｕ値４５ｍｇ／ｄｌ、５５０ｍｇ／ｄｌそれぞれの場合の感度差（％）のグラフである。
【図２３ｄ】図２３ｄは、実施例４のＧｌｕ４５ｍｇ／ｄｌを基準にした、Ｈｃｔ値０％、４２％、７０％それぞれの場合の感度差（％）のグラフである。
【図２４ａ】図２４ａは、比較例１のＧｌｕ濃度が４５ｍｇ／ｄｌ（Ｈｃｔ値０％、４２％、７０％）の血液試料について、印加電圧に対する応答電流値の経時変化を表すグラフである。
【図２４ｂ】図２４ｂは、比較例１のＧｌｕ濃度が５５０ｍｇ／ｄｌ（Ｈｃｔ値０％、４２％、７０％）の血液試料について、印加電圧に対する応答電流値の経時変化を表すグラフである。
【図２４ｃ】図２４ｃは、比較例１のＨｃｔ４２％を基準にした、Ｇｌｕ値４５ｍｇ／ｄｌ、５５０ｍｇ／ｄｌそれぞれの場合の感度差（％）のグラフである。
【図２４ｄ】図２４ｄは、比較例１のＧｌｕ４５ｍｇ／ｄｌを基準にした、Ｈｃｔ値０％、４２％、７０％それぞれの場合の感度差（％）のグラフである。
【図２５ａ】図２５ａは、比較例２のＧｌｕ濃度が４５ｍｇ／ｄｌ（Ｈｃｔ値０％、４２％、７０％）の血液試料について、印加電圧に対する応答電流値の経時変化を表すグラフである。
【図２５ｂ】図２５ｂは、比較例２のＧｌｕ濃度が５５０ｍｇ／ｄｌ（Ｈｃｔ値０％、４２％、７０％）の血液試料について、印加電圧に対する応答電流値の経時変化を表すグラフである。
【図２５ｃ】図２５ｃは、比較例２のＨｃｔ４２％を基準にした、Ｇｌｕ値４５ｍｇ／ｄｌ、５５０ｍｇ／ｄｌそれぞれの場合の感度差（％）のグラフである。
【図２５ｄ】図２５ｄは、比較例２のＧｌｕ４５ｍｇ／ｄｌを基準にした、Ｈｃｔ値０％、４２％、７０％それぞれの場合の感度差（％）のグラフである。
【図２６ａ】図２６ａは、実施例５のＧｌｕ濃度が４５ｍｇ／ｄｌ（Ｈｃｔ値０％、４２％、７０％）の血液試料について、印加電圧に対する応答電流値の経時変化を表すグラフである。
【図２６ｂ】図２６ｂは、実施例５のＧｌｕ濃度が５５０ｍｇ／ｄｌ（Ｈｃｔ値０％、４２％、７０％）の血液試料について、印加電圧に対する応答電流値の経時変化を表すグラフである。
【図２６ｃ】図２６ｃは、実施例５のＨｃｔ４２％を基準にした、Ｇｌｕ値４５ｍｇ／ｄｌ、５５０ｍｇ／ｄｌそれぞれの場合の感度差（％）のグラフである。
【図２６ｄ】図２６ｄは、実施例５のＧｌｕ４５ｍｇ／ｄｌを基準にした、Ｈｃｔ値０％、４２％、７０％それぞれの場合の感度差（％）のグラフである。
【図２７ａ】図２７ａは、実施例６のＧｌｕ濃度が４５ｍｇ／ｄｌ（Ｈｃｔ値０％、４２％、７０％）の血液試料について、印加電圧に対する応答電流値の経時変化を表すグラフである。
【図２７ｂ】図２７ｂは、実施例６のＧｌｕ濃度が５５０ｍｇ／ｄｌ（Ｈｃｔ値０％、４２％、７０％）の血液試料について、印加電圧に対する応答電流値の経時変化を表すグラフである。
【図２７ｃ】図２７ｃは、実施例６のＨｃｔ４２％を基準にした、Ｇｌｕ値４５ｍｇ／ｄｌ、５５０ｍｇ／ｄｌそれぞれの場合の感度差（％）のグラフである。
【図２７ｄ】図２７ｄは、実施例６のＧｌｕ４５ｍｇ／ｄｌを基準にした、Ｈｃｔ値０％、４２％、７０％それぞれの場合の感度差（％）のグラフである。
【図２８ａ】図２８ａは、実施例７のＧｌｕ濃度が４５ｍｇ／ｄｌ（Ｈｃｔ値０％、４２％、７０％）の血液試料について、印加電圧に対する応答電流値の経時変化を表すグラフである。
【図２８ｂ】図２８ｂは、実施例７のＧｌｕ濃度が５５０ｍｇ／ｄｌ（Ｈｃｔ値０％、４２％、７０％）の血液試料について、印加電圧に対する応答電流値の経時変化を表すグラフである。
【図２８ｃ】図２８ｃは、実施例７のＨｃｔ４２％を基準にした、Ｇｌｕ値４５ｍｇ／ｄｌ、５５０ｍｇ／ｄｌそれぞれの場合の感度差（％）のグラフである。
【図２８ｄ】図２８ｄは、実施例７のＧｌｕ４５ｍｇ／ｄｌを基準にした、Ｈｃｔ値０％、４２％、７０％それぞれの場合の感度差（％）のグラフである。
【図２９ａ】図２９ａは、実施例８のＧｌｕ濃度が４５ｍｇ／ｄｌ（Ｈｃｔ値０％、４２％、７０％）の血液試料について、印加電圧に対する応答電流値の経時変化を表すグラフである。
【図２９ｂ】図２９ｂは、実施例８のＧｌｕ濃度が５５０ｍｇ／ｄｌ（Ｈｃｔ値０％、４２％、７０％）の血液試料について、印加電圧に対する応答電流値の経時変化を表すグラフである。
【図２９ｃ】図２９ｃは、実施例８のＨｃｔ４２％を基準にした、Ｇｌｕ値４５ｍｇ／ｄｌ、５５０ｍｇ／ｄｌそれぞれの場合の感度差（％）のグラフである。
【図２９ｄ】図２９ｄは、実施例８のＧｌｕ４５ｍｇ／ｄｌを基準にした、Ｈｃｔ値０％、４２％、７０％それぞれの場合の感度差（％）のグラフである。
【図３０ａ】図３０ａは、比較例３のＧｌｕ濃度が４５ｍｇ／ｄｌ（Ｈｃｔ値０％、４２％、７０％）の血液試料について、印加電圧に対する応答電流値の経時変化を表すグラフである。
【図３０ｂ】図３０ｂは、比較例３のＧｌｕ濃度が５５０ｍｇ／ｄｌ（Ｈｃｔ値０％、４２％、７０％）の血液試料について、印加電圧に対する応答電流値の経時変化を表すグラフである。
【図３０ｃ】図３０ｃは、比較例３のＨｃｔ４２％を基準にした、Ｇｌｕ値４５ｍｇ／ｄｌ、５５０ｍｇ／ｄｌそれぞれの場合の感度差（％）のグラフである。
【図３０ｄ】図３０ｄは、比較例３のＧｌｕ４５ｍｇ／ｄｌを基準にした、Ｈｃｔ値０％、４２％、７０％それぞれの場合の感度差（％）のグラフである。
【図３１ａ】図３１ａは、実施例９のＧｌｕ濃度が４５ｍｇ／ｄｌ（Ｈｃｔ値０％、４２％、７０％）の血液試料について、印加電圧に対する応答電流値の経時変化を表すグラフである。
【図３１ｂ】図３１ｂは、実施例９のＧｌｕ濃度が５５０ｍｇ／ｄｌ（Ｈｃｔ値０％、４２％、７０％）の血液試料について、印加電圧に対する応答電流値の経時変化を表すグラフである。
【図３１ｃ】図３１ｃは、実施例９のＨｃｔ４２％を基準にした、Ｇｌｕ値４５ｍｇ／ｄｌ、５５０ｍｇ／ｄｌそれぞれの場合の感度差（％）のグラフである。
【図３１ｄ】図３１ｄは、実施例９のＧｌｕ４５ｍｇ／ｄｌを基準にした、Ｈｃｔ値０％、４２％、７０％それぞれの場合の感度差（％）のグラフである。
【図３２ａ】図３２ａは、実施例１０のＧｌｕ濃度が４５ｍｇ／ｄｌ（Ｈｃｔ値０％、４２％、７０％）の血液試料について、印加電圧に対する応答電流値の経時変化を表すグラフである。
【図３２ｂ】図３２ｂは、実施例１０のＧｌｕ濃度が５５０ｍｇ／ｄｌ（Ｈｃｔ値０％、４２％、７０％）の血液試料について、印加電圧に対する応答電流値の経時変化を表すグラフである。
【図３２ｃ】図３２ｃは、実施例１０のＨｃｔ４２％を基準にした、Ｇｌｕ値４５ｍｇ／ｄｌ、５５０ｍｇ／ｄｌそれぞれの場合の感度差（％）のグラフである。
【図３２ｄ】図３２ｄは、実施例１０のＧｌｕ４５ｍｇ／ｄｌを基準にした、Ｈｃｔ値０％、４２％、７０％それぞれの場合の感度差（％）のグラフである。
【図３３ａ】図３３ａは、実施例１１のＧｌｕ濃度が４５ｍｇ／ｄｌ（Ｈｃｔ値０％、４２％、７０％）の血液試料について、印加電圧に対する応答電流値の経時変化を表すグラフである。
【図３３ｂ】図３３ｂは、実施例１１のＧｌｕ濃度が５５０ｍｇ／ｄｌ（Ｈｃｔ値０％、４２％、７０％）の血液試料について、印加電圧に対する応答電流値の経時変化を表すグラフである。
【図３３ｃ】図３３ｃは、実施例１１のＨｃｔ４２％を基準にした、Ｇｌｕ値４５ｍｇ／ｄｌ、５５０ｍｇ／ｄｌそれぞれの場合の感度差（％）のグラフである。
【図３３ｄ】図３３ｄは、実施例１１のＧｌｕ４５ｍｇ／ｄｌを基準にした、Ｈｃｔ値０％、４２％、７０％それぞれの場合の感度差（％）のグラフである。
【図３４ａ】図３４ａは、実施例１２のＧｌｕ濃度が４５ｍｇ／ｄｌ（Ｈｃｔ値０％、４２％、７０％）の血液試料について、印加電圧に対する応答電流値の経時変化を表すグラフである。
【図３４ｂ】図３４ｂは、実施例１２のＧｌｕ濃度が５５０ｍｇ／ｄｌ（Ｈｃｔ値０％、４２％、７０％）の血液試料について、印加電圧に対する応答電流値の経時変化を表すグラフである。
【図３４ｃ】図３４ｃは、実施例１２のＨｃｔ４２％を基準にした、Ｇｌｕ値４５ｍｇ／ｄｌ、５５０ｍｇ／ｄｌそれぞれの場合の感度差（％）のグラフである。
【図３４ｄ】図３４ｄは、実施例１２のＧｌｕ４５ｍｇ／ｄｌを基準にした、Ｈｃｔ値０％、４２％、７０％それぞれの場合の感度差（％）のグラフである。
【図３５ａ】図３５ａは、実施例１３の、Ｈｃｔ４２％を基準にした、Ｇｌｕ値４５ｍｇ／ｄｌ、５５０ｍｇ／ｄｌそれぞれの場合の感度差（％）のグラフである。
【図３５ｂ】図３５ｂは、実施例１３の、Ｇｌｕ４５ｍｇ／ｄｌを基準にした、Ｈｃｔ値０％、４２％、７０％それぞれの場合の感度差（％）のグラフである。
【図３６ａ】図３６ａは、実施例１４の、Ｈｃｔ４２％を基準にした、Ｇｌｕ値４５ｍｇ／ｄｌ、５５０ｍｇ／ｄｌそれぞれの場合の感度差（％）のグラフである。
【図３６ｂ】図３６ｂは、実施例１４の、Ｇｌｕ４５ｍｇ／ｄｌを基準にした、Ｈｃｔ値０％、４２％、７０％それぞれの場合の感度差（％）のグラフである。
【図３７ａ】図３７ａは、実施例１５の、Ｈｃｔ４２％を基準にした、Ｇｌｕ値４５ｍｇ／ｄｌ、５５０ｍｇ／ｄｌそれぞれの場合の感度差（％）のグラフである。
【図３７ｂ】図３７ｂは、実施例１５の、Ｇｌｕ４５ｍｇ／ｄｌを基準にした、Ｈｃｔ値０％、４２％、７０％それぞれの場合の感度差（％）のグラフである。
【図３８ａ】図３８ａは、実施例１６の、Ｈｃｔ４２％を基準にした、Ｇｌｕ値４５ｍｇ／ｄｌ、５５０ｍｇ／ｄｌそれぞれの場合の感度差（％）のグラフである。
【図３８ｂ】図３８ｂは、実施例１６の、Ｇｌｕ４５ｍｇ／ｄｌを基準にした、Ｈｃｔ値０％、４２％、７０％それぞれの場合の感度差（％）のグラフである。
【図３９ａ】図３９ａは、実施例１７の、Ｈｃｔ４２％を基準にした、Ｇｌｕ値４５ｍｇ／ｄｌ、５５０ｍｇ／ｄｌそれぞれの場合の感度差（％）のグラフである。
【図３９ｂ】図３９ｂは、実施例１７の、Ｇｌｕ４５ｍｇ／ｄｌを基準にした、Ｈｃｔ値０％、４２％、７０％それぞれの場合の感度差（％）のグラフである。
【図４０ａ】図４０ａは、実施例１８の、Ｈｃｔ４２％を基準にした、Ｇｌｕ値４５ｍｇ／ｄｌ、５５０ｍｇ／ｄｌそれぞれの場合の感度差（％）のグラフである。
【図４０ｂ】図４０ｂは、実施例１８の、Ｇｌｕ４５ｍｇ／ｄｌを基準にした、Ｈｃｔ値０％、４２％、７０％それぞれの場合の感度差（％）のグラフである。
【図４１ａ】図４１ａは、実施例１９の、Ｈｃｔ４２％を基準にした、Ｇｌｕ値４５ｍｇ／ｄｌ、５５０ｍｇ／ｄｌそれぞれの場合の感度差（％）のグラフである。
【図４１ｂ】図４１ｂは、実施例１９の、Ｇｌｕ４５ｍｇ／ｄｌを基準にした、Ｈｃｔ値０％、４２％、７０％それぞれの場合の感度差（％）のグラフである。
【図４２ａ】図４２ａは、実施例２０の、Ｈｃｔ４２％を基準にした、Ｇｌｕ値４５ｍｇ／ｄｌ、５５０ｍｇ／ｄｌそれぞれの場合の感度差（％）のグラフである。
【図４２ｂ】図４２ｂは、実施例２０の、Ｇｌｕ４５ｍｇ／ｄｌを基準にした、Ｈｃｔ値０％、４２％、７０％それぞれの場合の感度差（％）のグラフである。
【図４３ａ】図４３ａは、実施例２１の、Ｈｃｔ４２％を基準にした、Ｇｌｕ値４５ｍｇ／ｄｌ、５５０ｍｇ／ｄｌそれぞれの場合の感度差（％）のグラフである。
【図４３ｂ】図４３ｂは、実施例２１の、Ｇｌｕ４５ｍｇ／ｄｌを基準にした、Ｈｃｔ値０％、４２％、７０％それぞれの場合の感度差（％）のグラフである。
【図４４ａ】図４４ａは、実施例２２の、Ｈｃｔ４２％を基準にした、Ｇｌｕ値４５ｍｇ／ｄｌ、５５０ｍｇ／ｄｌそれぞれの場合の感度差（％）のグラフである。
【図４４ｂ】図４４ｂは、実施例２２の、Ｇｌｕ４５ｍｇ／ｄｌを基準にした、Ｈｃｔ値０％、４２％、７０％それぞれの場合の感度差（％）のグラフである。
【図４５ａ】図４５ａは、実施例２３の、Ｈｃｔ４２％を基準にした、Ｇｌｕ値４５ｍｇ／ｄｌ、５５０ｍｇ／ｄｌそれぞれの場合の感度差（％）のグラフである。
【図４５ｂ】図４５ｂは、実施例２３の、Ｇｌｕ４５ｍｇ／ｄｌを基準にした、Ｈｃｔ値０％、４２％、７０％それぞれの場合の感度差（％）のグラフである。
【図４６ａ】図４６ａは、実施例２４の、Ｈｃｔ４２％を基準にした、Ｇｌｕ値４５ｍｇ／ｄｌ、５５０ｍｇ／ｄｌそれぞれの場合の感度差（％）のグラフである。
【図４６ｂ】図４６ｂは、実施例２４の、Ｇｌｕ４５ｍｇ／ｄｌを基準にした、Ｈｃｔ値０％、４２％、７０％それぞれの場合の感度差（％）のグラフである。
【図４７ａ】図４７ａは、実施例２５の、Ｈｃｔ４２％を基準にした、Ｇｌｕ値４５ｍｇ／ｄｌ、５５０ｍｇ／ｄｌそれぞれの場合の感度差（％）のグラフである。
【図４７ｂ】図４７ｂは、実施例２５の、Ｇｌｕ４５ｍｇ／ｄｌを基準にした、Ｈｃｔ値０％、４２％、７０％それぞれの場合の感度差（％）のグラフである。
【図４８ａ】図４８ａは、実施例２６の、Ｈｃｔ４２％を基準にした、Ｇｌｕ値４５ｍｇ／ｄｌ、５５０ｍｇ／ｄｌそれぞれの場合の感度差（％）のグラフである。
【図４８ｂ】図４８ｂは、実施例２６の、Ｇｌｕ４５ｍｇ／ｄｌを基準にした、Ｈｃｔ値０％、４２％、７０％それぞれの場合の感度差（％）のグラフである。
【図４９ａ】図４９ａは、実施例２７の、Ｈｃｔ４２％を基準にした、Ｇｌｕ値４５ｍｇ／ｄｌ、５５０ｍｇ／ｄｌそれぞれの場合の感度差（％）のグラフである。
【図４９ｂ】図４９ｂは、実施例２７の、Ｇｌｕ４５ｍｇ／ｄｌを基準にした、Ｈｃｔ値０％、４２％、７０％それぞれの場合の感度差（％）のグラフである。
【図５０ａ】図５０ａは、実施例２８の、Ｈｃｔ４２％を基準にした、Ｇｌｕ値４５ｍｇ／ｄｌ、５５０ｍｇ／ｄｌそれぞれの場合の感度差（％）のグラフである。
【図５０ｂ】図５０ｂは、実施例２８の、Ｇｌｕ４５ｍｇ／ｄｌを基準にした、Ｈｃｔ値０％、４２％、７０％それぞれの場合の感度差（％）のグラフである。
【図５１ａ】図５１ａは、実施例２９の、Ｈｃｔ４２％を基準にした、Ｇｌｕ値４５ｍｇ／ｄｌ、５５０ｍｇ／ｄｌそれぞれの場合の感度差（％）のグラフである。
【図５１ｂ】図５１ｂは、実施例２９の、Ｇｌｕ４５ｍｇ／ｄｌを基準にした、Ｈｃｔ値０％、４２％、７０％それぞれの場合の感度差（％）のグラフである。
【図５２ａ】図５２ａは、実施例３０の、Ｈｃｔ４２％を基準にした、Ｇｌｕ値４５ｍｇ／ｄｌ、５５０ｍｇ／ｄｌそれぞれの場合の感度差（％）のグラフである。
【図５２ｂ】図５２ｂは、実施例３０の、Ｇｌｕ４５ｍｇ／ｄｌを基準にした、Ｈｃｔ値０％、４２％、７０％それぞれの場合の感度差（％）のグラフである。
【図５３ａ】図５３ａは、実施例３１の、Ｈｃｔ４２％を基準にした、Ｇｌｕ値４５ｍｇ／ｄｌ、５５０ｍｇ／ｄｌそれぞれの場合の感度差（％）のグラフである。
【図５３ｂ】図５３ｂは、実施例３１の、Ｇｌｕ４５ｍｇ／ｄｌを基準にした、Ｈｃｔ値０％、４２％、７０％それぞれの場合の感度差（％）のグラフである。
【図５４ａ】図５４ａは、実施例３２の、Ｈｃｔ４２％を基準にした、Ｇｌｕ値４５ｍｇ／ｄｌ、５５０ｍｇ／ｄｌそれぞれの場合の感度差（％）のグラフである。
【図５４ｂ】図５４ｂは、実施例３２の、Ｇｌｕ４５ｍｇ／ｄｌを基準にした、Ｈｃｔ値０％、４２％、７０％それぞれの場合の感度差（％）のグラフである。
【図５５ａ】図５５ａは、比較例４の、Ｈｃｔ４２％を基準にした、Ｇｌｕ値４５ｍｇ／ｄｌ、５５０ｍｇ／ｄｌそれぞれの場合の感度差（％）のグラフである。
【図５５ｂ】図５５ｂは、比較例４の、Ｇｌｕ４５ｍｇ／ｄｌを基準にした、Ｈｃｔ値０％、４２％、７０％それぞれの場合の感度差（％）のグラフである。
【図５６ａ】図５６ａは、比較例５の、Ｈｃｔ４２％を基準にした、Ｇｌｕ値４５ｍｇ／ｄｌ、５５０ｍｇ／ｄｌそれぞれの場合の感度差（％）のグラフである。
【図５６ｂ】図５６ｂは、比較例５の、Ｇｌｕ４５ｍｇ／ｄｌを基準にした、Ｈｃｔ値０％、４２％、７０％それぞれの場合の感度差（％）のグラフである。
【図５７ａ】図５７ａは、比較例６の、Ｈｃｔ４２％を基準にした、Ｇｌｕ値４５ｍｇ／ｄｌ、５５０ｍｇ／ｄｌそれぞれの場合の感度差（％）のグラフである。
【図５７ｂ】図５７ｂは、比較例６の、Ｇｌｕ４５ｍｇ／ｄｌを基準にした、Ｈｃｔ値０％、４２％、７０％それぞれの場合の感度差（％）のグラフである。
【図５８ａ】図５８ａは、実施例３３の、Ｇｌｕ濃度が４５ｍｇ／ｄｌ（Ｈｃｔ値０％、４２％、７０％）の血液試料について、印加電圧に対する応答電流値の経時変化のグラフである。
【図５８ｂ】図５８ｂは、実施例３３の、Ｇｌｕ濃度が５５０ｍｇ／ｄｌ（Ｈｃｔ値０％、４２％、７０％）の血液試料について、印加電圧に対する応答電流値の経時変化のグラフである。
【図５８ｃ】図５８ｃは、実施例３３のＨｃｔ４２％を基準にした、Ｇｌｕ値４５ｍｇ／ｄｌ、５５０ｍｇ／ｄｌそれぞれの場合の感度差（％）のグラフである。
【図５８ｄ】図５８ｄは、実施例３３のＧｌｕ４５ｍｇ／ｄｌを基準にした、Ｈｃｔ値０％、４２％、７０％それぞれの場合の感度差（％）のグラフである。
【図５９ａ】図５９ａは、実施例３４の、Ｇｌｕ濃度が４５ｍｇ／ｄｌ（Ｈｃｔ値０％、４２％、７０％）の血液試料について、印加電圧に対する応答電流値の経時変化のグラフである。
【図５９ｂ】図５９ｂは、実施例３４の、Ｇｌｕ濃度が５５０ｍｇ／ｄｌ（Ｈｃｔ値０％、４２％、７０％）の血液試料について、印加電圧に対する応答電流値の経時変化のグラフである。
【図５９ｃ】図５９ｃは、実施例３４のＨｃｔ４２％を基準にした、Ｇｌｕ値４５ｍｇ／ｄｌ、５５０ｍｇ／ｄｌそれぞれの場合の感度差（％）のグラフである。
【図５９ｄ】図５９ｄは、実施例３４のＧｌｕ４５ｍｇ／ｄｌを基準にした、Ｈｃｔ値０％、４２％、７０％それぞれの場合の感度差（％）のグラフである。
【図６０ａ】図６０ａは、実施例３５の、Ｇｌｕ濃度が４５ｍｇ／ｄｌ（Ｈｃｔ値０％、４２％、７０％）の血液試料について、印加電圧に対する応答電流値の経時変化のグラフである。
【図６０ｂ】図６０ｂは、実施例３５の、Ｇｌｕ濃度が５５０ｍｇ／ｄｌ（Ｈｃｔ値０％、４２％、７０％）の血液試料について、印加電圧に対する応答電流値の経時変化のグラフである。
【図６０ｃ】図６０ｃは、実施例３５のＨｃｔ４２％を基準にした、Ｇｌｕ値４５ｍｇ／ｄｌ、５５０ｍｇ／ｄｌそれぞれの場合の感度差（％）のグラフである。
【図６０ｄ】図６０ｄは、実施例３５のＧｌｕ４５ｍｇ／ｄｌを基準にした、Ｈｃｔ値０％、４２％、７０％それぞれの場合の感度差（％）のグラフである。
【図６１ａ】図６１ａは、実施例３６の、Ｇｌｕ濃度が４５ｍｇ／ｄｌ（Ｈｃｔ値０％、４２％、７０％）の血液試料について、印加電圧に対する応答電流値の経時変化のグラフである。
【図６１ｂ】図６１ｂは、実施例３６の、Ｇｌｕ濃度が５５０ｍｇ／ｄｌ（Ｈｃｔ値０％、４２％、７０％）の血液試料について、印加電圧に対する応答電流値の経時変化のグラフである。
【図６１ｃ】図６１ｃは、実施例３６のＨｃｔ４２％を基準にした、Ｇｌｕ値４５ｍｇ／ｄｌ、５５０ｍｇ／ｄｌそれぞれの場合の感度差（％）のグラフである。
【図６１ｄ】図６１ｄは、実施例３６のＧｌｕ４５ｍｇ／ｄｌを基準にした、Ｈｃｔ値０％、４２％、７０％それぞれの場合の感度差（％）のグラフである。
【図６２ａ】図６２ａは、実施例３７の、Ｇｌｕ濃度が４５ｍｇ／ｄｌ（Ｈｃｔ値０％、４２％、７０％）の血液試料について、印加電圧に対する応答電流値の経時変化のグラフである。
【図６２ｂ】図６２ｂは、実施例３７の、Ｇｌｕ濃度が５５０ｍｇ／ｄｌ（Ｈｃｔ値０％、４２％、７０％）の血液試料について、印加電圧に対する応答電流値の経時変化のグラフである。
【図６２ｃ】図６２ｃは、実施例３７のＨｃｔ４２％を基準にした、Ｇｌｕ値４５ｍｇ／ｄｌ、５５０ｍｇ／ｄｌそれぞれの場合の感度差（％）のグラフである。
【図６２ｄ】図６２ｄは、実施例３７のＧｌｕ４５ｍｇ／ｄｌを基準にした、Ｈｃｔ値０％、４２％、７０％それぞれの場合の感度差（％）のグラフである。
【図６３ａ】図６３ａは、実施例３８の、Ｇｌｕ濃度が４５ｍｇ／ｄｌ（Ｈｃｔ値０％、４２％、７０％）の血液試料について、印加電圧に対する応答電流値の経時変化のグラフである。
【図６３ｂ】図６３ｂは、実施例３８の、Ｇｌｕ濃度が５５０ｍｇ／ｄｌ（Ｈｃｔ値０％、４２％、７０％）の血液試料について、印加電圧に対する応答電流値の経時変化のグラフである。
【図６３ｃ】図６３ｃは、実施例３８のＨｃｔ４２％を基準にした、Ｇｌｕ値４５ｍｇ／ｄｌ、５５０ｍｇ／ｄｌそれぞれの場合の感度差（％）のグラフである。
【図６３ｄ】図６３ｄは、実施例３８のＧｌｕ４５ｍｇ／ｄｌを基準にした、Ｈｃｔ値０％、４２％、７０％それぞれの場合の感度差（％）のグラフである。
【図６４ａ】図６４ａは、実施例３９の、Ｇｌｕ濃度が４５ｍｇ／ｄｌ（Ｈｃｔ値０％、４２％、７０％）の血液試料について、印加電圧に対する応答電流値の経時変化のグラフである。
【図６４ｂ】図６４ｂは、実施例３９の、Ｇｌｕ濃度が５５０ｍｇ／ｄｌ（Ｈｃｔ値０％、４２％、７０％）の血液試料について、印加電圧に対する応答電流値の経時変化のグラフである。
【図６４ｃ】図６４ｃは、実施例３９のＨｃｔ４２％を基準にした、Ｇｌｕ値４５ｍｇ／ｄｌ、５５０ｍｇ／ｄｌそれぞれの場合の感度差（％）のグラフである。
【図６４ｄ】図６４ｄは、実施例３９のＧｌｕ４５ｍｇ／ｄｌを基準にした、Ｈｃｔ値０％、４２％、７０％それぞれの場合の感度差（％）のグラフである。
【図６５ａ】図６５ａは、実施例４０の、Ｇｌｕ濃度が４５ｍｇ／ｄｌ（Ｈｃｔ値０％、４２％、７０％）の血液試料について、印加電圧に対する応答電流値の経時変化のグラフである。
【図６５ｂ】図６５ｂは、実施例４０の、Ｇｌｕ濃度が５５０ｍｇ／ｄｌ（Ｈｃｔ値０％、４２％、７０％）の血液試料について、印加電圧に対する応答電流値の経時変化のグラフである。
【図６５ｃ】図６５ｃは、実施例４０のＨｃｔ４２％を基準にした、Ｇｌｕ値４５ｍｇ／ｄｌ、５５０ｍｇ／ｄｌそれぞれの場合の感度差（％）のグラフである。
【図６５ｄ】図６５ｄは、実施例４０のＧｌｕ４５ｍｇ／ｄｌを基準にした、Ｈｃｔ値０％、４２％、７０％それぞれの場合の感度差（％）のグラフである。
【図６６ａ】図６６ａは、実施例４１の、Ｇｌｕ濃度が４５ｍｇ／ｄｌ（Ｈｃｔ値０％、４２％、７０％）の血液試料について、印加電圧に対する応答電流値の経時変化のグラフである。
【図６６ｂ】図６６ｂは、実施例４１の、Ｇｌｕ濃度が５５０ｍｇ／ｄｌ（Ｈｃｔ値０％、４２％、７０％）の血液試料について、印加電圧に対する応答電流値の経時変化のグラフである。
【図６６ｃ】図６６ｃは、実施例４１のＨｃｔ４２％を基準にした、Ｇｌｕ値４５ｍｇ／ｄｌ、５５０ｍｇ／ｄｌそれぞれの場合の感度差（％）のグラフである。
【図６６ｄ】図６６ｄは、実施例４１のＧｌｕ４５ｍｇ／ｄｌを基準にした、Ｈｃｔ値０％、４２％、７０％それぞれの場合の感度差（％）のグラフである。
【図６７ａ】図６７ａは、実施例４２の、Ｇｌｕ濃度が４５ｍｇ／ｄｌ（Ｈｃｔ値０％、４２％、７０％）の血液試料について、印加電圧に対する応答電流値の経時変化のグラフである。
【図６７ｂ】図６７ｂは、実施例４２の、Ｇｌｕ濃度が５５０ｍｇ／ｄｌ（Ｈｃｔ値０％、４２％、７０％）の血液試料について、印加電圧に対する応答電流値の経時変化のグラフである。
【図６７ｃ】図６７ｃは、実施例４２のＨｃｔ４２％を基準にした、Ｇｌｕ値４５ｍｇ／ｄｌ、５５０ｍｇ／ｄｌそれぞれの場合の感度差（％）のグラフである。
【図６７ｄ】図６７ｄは、実施例４２のＧｌｕ４５ｍｇ／ｄｌを基準にした、Ｈｃｔ値０％、４２％、７０％それぞれの場合の感度差（％）のグラフである。
【図６８ａ】図６８ａは、実施例４３の、Ｈｃｔ４２％を基準にした、Ｇｌｕ値４５ｍｇ／ｄｌ、５５０ｍｇ／ｄｌそれぞれの場合の感度差（％）のグラフである。
【図６８ｂ】図６８ｂは、実施例４３の、Ｇｌｕ４５ｍｇ／ｄｌを基準にした、Ｈｃｔ値０％、４２％、７０％それぞれの場合の感度差（％）のグラフである。
【図６９ａ】図６９ａは、実施例４４の、Ｈｃｔ４２％を基準にした、Ｇｌｕ値４５ｍｇ／ｄｌ、５５０ｍｇ／ｄｌそれぞれの場合の感度差（％）のグラフである。
【図６９ｂ】図６９ｂは、実施例４４の、Ｇｌｕ４５ｍｇ／ｄｌを基準にした、Ｈｃｔ値０％、４２％、７０％それぞれの場合の感度差（％）のグラフである。
【図７０ａ】図７０ａは、実施例４５の、Ｈｃｔ４２％を基準にした、Ｇｌｕ値４５ｍｇ／ｄｌ、５５０ｍｇ／ｄｌそれぞれの場合の感度差（％）のグラフである。
【図７０ｂ】図７０ｂは、実施例４５の、Ｇｌｕ４５ｍｇ／ｄｌを基準にした、Ｈｃｔ値０％、４２％、７０％それぞれの場合の感度差（％）のグラフである。
【図７１ａ】図７１ａは、実施例４６の、Ｈｃｔ４２％を基準にした、Ｇｌｕ値４５ｍｇ／ｄｌ、５５０ｍｇ／ｄｌそれぞれの場合の感度差（％）のグラフである。
【図７１ｂ】図７１ｂは、実施例４６の、Ｇｌｕ４５ｍｇ／ｄｌを基準にした、Ｈｃｔ値０％、４２％、７０％それぞれの場合の感度差（％）のグラフである。
【図７２ａ】図７２ａは、実施例４７の、Ｈｃｔ４２％を基準にした、Ｇｌｕ値４５ｍｇ／ｄｌ、５５０ｍｇ／ｄｌそれぞれの場合の感度差（％）のグラフである。
【図７２ｂ】図７２ｂは、実施例４７の、Ｇｌｕ４５ｍｇ／ｄｌを基準にした、Ｈｃｔ値０％、４２％、７０％それぞれの場合の感度差（％）のグラフである。
【図７３ａ】図７３ａは、実施例４８の、Ｈｃｔ４２％を基準にした、Ｇｌｕ値４５ｍｇ／ｄｌ、５５０ｍｇ／ｄｌそれぞれの場合の感度差（％）のグラフである。
【図７３ｂ】図７３ｂは、実施例４８の、Ｇｌｕ４５ｍｇ／ｄｌを基準にした、Ｈｃｔ値０％、４２％、７０％それぞれの場合の感度差（％）のグラフである。
【図７４ａ】図７４ａは、実施例４９の、Ｈｃｔ４２％を基準にした、Ｇｌｕ値４５ｍｇ／ｄｌ、５５０ｍｇ／ｄｌそれぞれの場合の感度差（％）のグラフである。
【図７４ｂ】図７４ｂは、実施例４９の、Ｇｌｕ４５ｍｇ／ｄｌを基準にした、Ｈｃｔ値０％、４２％、７０％それぞれの場合の感度差（％）のグラフである。
【図７５ａ】図７５ａは、実施例５０の、Ｈｃｔ４２％を基準にした、Ｇｌｕ値４５ｍｇ／ｄｌ、５５０ｍｇ／ｄｌそれぞれの場合の感度差（％）のグラフである。
【図７５ｂ】図７５ｂは、実施例５０の、Ｇｌｕ４５ｍｇ／ｄｌを基準にした、Ｈｃｔ値０％、４２％、７０％それぞれの場合の感度差（％）のグラフである。
【図７６ａ】図７６ａは、実施例５１の、Ｈｃｔ４２％を基準にした、Ｇｌｕ値４５ｍｇ／ｄｌ、５５０ｍｇ／ｄｌそれぞれの場合の感度差（％）のグラフである。
【図７６ｂ】図７６ｂは、実施例５１の、Ｇｌｕ４５ｍｇ／ｄｌを基準にした、Ｈｃｔ値０％、４２％、７０％それぞれの場合の感度差（％）のグラフである。
【図７７ａ】図７７ａは、実施例５２の、Ｈｃｔ４２％を基準にした、Ｇｌｕ値４５ｍｇ／ｄｌ、５５０ｍｇ／ｄｌそれぞれの場合の感度差（％）のグラフである。
【図７７ｂ】図７７ｂは、実施例５２の、Ｇｌｕ４５ｍｇ／ｄｌを基準にした、Ｈｃｔ値０％、４２％、７０％それぞれの場合の感度差（％）のグラフである。
【図７８ａ】図７８ａは、比較例７の、Ｈｃｔ４２％を基準にした、Ｇｌｕ値４５ｍｇ／ｄｌ、５５０ｍｇ／ｄｌそれぞれの場合の感度差（％）のグラフである。
【図７８ｂ】図７８ｂは、比較例７の、Ｇｌｕ４５ｍｇ／ｄｌを基準にした、Ｈｃｔ値０％、４２％、７０％それぞれの場合の感度差（％）のグラフである。
【図７９ａ】図７９ａは、比較例８の、Ｈｃｔ４２％を基準にした、Ｇｌｕ値４５ｍｇ／ｄｌ、５５０ｍｇ／ｄｌそれぞれの場合の感度差（％）のグラフである。
【図７９ｂ】図７９ｂは、比較例８の、Ｇｌｕ４５ｍｇ／ｄｌを基準にした、Ｈｃｔ値０％、４２％、７０％それぞれの場合の感度差（％）のグラフである。
【図８０】図８０（ａ）は、実施形態３の実施例５３〜７３及び比較例９〜１３における電圧の印加時間と印加電圧の関係を示す。また、図８０（ｂ）は、実施形態３の実施例７４〜９３及び比較例１４における電圧の印加時間と印加電圧の関係を示す。
【図８１ａ】図８１ａは、実施例５３の、Ｈｃｔ４２％を基準にした、Ｇｌｕ値４５ｍｇ／ｄｌ、５５０ｍｇ／ｄｌそれぞれの場合の感度差（％）のグラフである。
【図８１ｂ】図８１ｂは、実施例５３の、Ｇｌｕ４５ｍｇ／ｄｌを基準にした、Ｈｃｔ値０％、４２％、７０％それぞれの場合の感度差（％）のグラフである。
【図８２ａ】図８２ａは、実施例５４の、Ｈｃｔ４２％を基準にした、Ｇｌｕ値４５ｍｇ／ｄｌ、５５０ｍｇ／ｄｌそれぞれの場合の感度差（％）のグラフである。
【図８２ｂ】図８２ｂは、実施例５４の、Ｇｌｕ４５ｍｇ／ｄｌを基準にした、Ｈｃｔ値０％、４２％、７０％それぞれの場合の感度差（％）のグラフである。
【図８３ａ】図８３ａは、実施例５５の、Ｈｃｔ４２％を基準にした、Ｇｌｕ値４５ｍｇ／ｄｌ、５５０ｍｇ／ｄｌそれぞれの場合の感度差（％）のグラフである。
【図８３ｂ】図８３ｂは、実施例５５の、Ｇｌｕ４５ｍｇ／ｄｌを基準にした、Ｈｃｔ値０％、４２％、７０％それぞれの場合の感度差（％）のグラフである。
【図８４ａ】図８４ａは、実施例５６の、Ｈｃｔ４２％を基準にした、Ｇｌｕ値４５ｍｇ／ｄｌ、５５０ｍｇ／ｄｌそれぞれの場合の感度差（％）のグラフである。
【図８４ｂ】図８４ｂは、実施例５６の、Ｇｌｕ４５ｍｇ／ｄｌを基準にした、Ｈｃｔ値０％、４２％、７０％それぞれの場合の感度差（％）のグラフである。
【図８５ａ】図８５ａは、実施例５７の、Ｈｃｔ４２％を基準にした、Ｇｌｕ値４５ｍｇ／ｄｌ、５５０ｍｇ／ｄｌそれぞれの場合の感度差（％）のグラフである。
【図８５ｂ】図８５ｂは、実施例５７の、Ｇｌｕ４５ｍｇ／ｄｌを基準にした、Ｈｃｔ値０％、４２％、７０％それぞれの場合の感度差（％）のグラフである。
【図８６ａ】図８６ａは、実施例５８の、Ｈｃｔ４２％を基準にした、Ｇｌｕ値４５ｍｇ／ｄｌ、５５０ｍｇ／ｄｌそれぞれの場合の感度差（％）のグラフである。
【図８６ｂ】図８６ｂは、実施例５８の、Ｇｌｕ４５ｍｇ／ｄｌを基準にした、Ｈｃｔ値０％、４２％、７０％それぞれの場合の感度差（％）のグラフである。
【図８７ａ】図８７ａは、実施例５９の、Ｈｃｔ４２％を基準にした、Ｇｌｕ値４５ｍｇ／ｄｌ、５５０ｍｇ／ｄｌそれぞれの場合の感度差（％）のグラフである。
【図８７ｂ】図８７ｂは、実施例５９の、Ｇｌｕ４５ｍｇ／ｄｌを基準にした、Ｈｃｔ値０％、４２％、７０％それぞれの場合の感度差（％）のグラフである。
【図８８ａ】図８８ａは、実施例６０の、Ｈｃｔ４２％を基準にした、Ｇｌｕ値４５ｍｇ／ｄｌ、５５０ｍｇ／ｄｌそれぞれの場合の感度差（％）のグラフである。
【図８８ｂ】図８８ｂは、実施例６０の、Ｇｌｕ４５ｍｇ／ｄｌを基準にした、Ｈｃｔ値０％、４２％、７０％それぞれの場合の感度差（％）のグラフである。
【図８９ａ】図８９ａは、実施例６１の、Ｈｃｔ４２％を基準にした、Ｇｌｕ値４５ｍｇ／ｄｌ、５５０ｍｇ／ｄｌそれぞれの場合の感度差（％）のグラフである。
【図８９ｂ】図８９ｂは、実施例６１の、Ｇｌｕ４５ｍｇ／ｄｌを基準にした、Ｈｃｔ値０％、４２％、７０％それぞれの場合の感度差（％）のグラフである。
【図９０ａ】図９０ａは、実施例６２の、Ｈｃｔ４２％を基準にした、Ｇｌｕ値４５ｍｇ／ｄｌ、５５０ｍｇ／ｄｌそれぞれの場合の感度差（％）のグラフである。
【図９０ｂ】図９０ｂは、実施例６２の、Ｇｌｕ４５ｍｇ／ｄｌを基準にした、Ｈｃｔ値０％、４２％、７０％それぞれの場合の感度差（％）のグラフである。
【図９１ａ】図９１ａは、実施例６３の、Ｈｃｔ４２％を基準にした、Ｇｌｕ値４５ｍｇ／ｄｌ、５５０ｍｇ／ｄｌそれぞれの場合の感度差（％）のグラフである。
【図９１ｂ】図９１ｂは、実施例６３の、Ｇｌｕ４５ｍｇ／ｄｌを基準にした、Ｈｃｔ値０％、４２％、７０％それぞれの場合の感度差（％）のグラフである。
【図９２ａ】図９２ａは、実施例６４の、Ｈｃｔ４２％を基準にした、Ｇｌｕ値４５ｍｇ／ｄｌ、５５０ｍｇ／ｄｌそれぞれの場合の感度差（％）のグラフである。
【図９２ｂ】図９２ｂは、実施例６４の、Ｇｌｕ４５ｍｇ／ｄｌを基準にした、Ｈｃｔ値０％、４２％、７０％それぞれの場合の感度差（％）のグラフである。
【図９３ａ】図９３ａは、実施例６５の、Ｈｃｔ４２％を基準にした、Ｇｌｕ値４５ｍｇ／ｄｌ、５５０ｍｇ／ｄｌそれぞれの場合の感度差（％）のグラフである。
【図９３ｂ】図９３ｂは、実施例６５の、Ｇｌｕ４５ｍｇ／ｄｌを基準にした、Ｈｃｔ値０％、４２％、７０％それぞれの場合の感度差（％）のグラフである。
【図９４ａ】図９４ａは、実施例６６の、Ｈｃｔ４２％を基準にした、Ｇｌｕ値４５ｍｇ／ｄｌ、５５０ｍｇ／ｄｌそれぞれの場合の感度差（％）のグラフである。
【図９４ｂ】図９４ｂは、実施例６６の、Ｇｌｕ４５ｍｇ／ｄｌを基準にした、Ｈｃｔ値０％、４２％、７０％それぞれの場合の感度差（％）のグラフである。
【図９５ａ】図９５ａは、比較例９の、Ｈｃｔ４２％を基準にした、Ｇｌｕ値４５ｍｇ／ｄｌ、５５０ｍｇ／ｄｌそれぞれの場合の感度差（％）のグラフである。
【図９５ｂ】図９５ｂは、比較例９の、Ｇｌｕ４５ｍｇ／ｄｌを基準にした、Ｈｃｔ値０％、４２％、７０％それぞれの場合の感度差（％）のグラフである。
【図９６ａ】図９６ａは、比較例１０の、Ｈｃｔ４２％を基準にした、Ｇｌｕ値４５ｍｇ／ｄｌ、５５０ｍｇ／ｄｌそれぞれの場合の感度差（％）のグラフである。
【図９６ｂ】図９６ｂは、比較例１０の、Ｇｌｕ４５ｍｇ／ｄｌを基準にした、Ｈｃｔ値０％、４２％、７０％それぞれの場合の感度差（％）のグラフである。
【図９７ａ】図９７ａは、比較例１１の、Ｈｃｔ４２％を基準にした、Ｇｌｕ値４５ｍｇ／ｄｌ、５５０ｍｇ／ｄｌそれぞれの場合の感度差（％）のグラフである。
【図９７ｂ】図９７ｂは、比較例１１の、Ｇｌｕ４５ｍｇ／ｄｌを基準にした、Ｈｃｔ値０％、４２％、７０％それぞれの場合の感度差（％）のグラフである。
【図９８ａ】図９８ａは、実施例６７の、Ｈｃｔ４２％を基準にした、Ｇｌｕ値４５ｍｇ／ｄｌ、５５０ｍｇ／ｄｌそれぞれの場合の感度差（％）のグラフである。
【図９８ｂ】図９８ｂは、実施例６７の、Ｇｌｕ４５ｍｇ／ｄｌを基準にした、Ｈｃｔ値０％、４２％、７０％それぞれの場合の感度差（％）のグラフである。
【図９９ａ】図９９ａは、実施例６８の、Ｈｃｔ４２％を基準にした、Ｇｌｕ値４５ｍｇ／ｄｌ、５５０ｍｇ／ｄｌそれぞれの場合の感度差（％）のグラフである。
【図９９ｂ】図９９ｂは、実施例６８の、Ｇｌｕ４５ｍｇ／ｄｌを基準にした、Ｈｃｔ値０％、４２％、７０％それぞれの場合の感度差（％）のグラフである。
【図１００ａ】図１００ａは、実施例６９の、Ｈｃｔ４２％を基準にした、Ｇｌｕ値４５ｍｇ／ｄｌ、５５０ｍｇ／ｄｌそれぞれの場合の感度差（％）のグラフである。
【図１００ｂ】図１００ｂは、実施例６９の、Ｇｌｕ４５ｍｇ／ｄｌを基準にした、Ｈｃｔ値０％、４２％、７０％それぞれの場合の感度差（％）のグラフである。
【図１０１ａ】図１０１ａは、実施例７０の、Ｈｃｔ４２％を基準にした、Ｇｌｕ値４５ｍｇ／ｄｌ、５５０ｍｇ／ｄｌそれぞれの場合の感度差（％）のグラフである。
【図１０１ｂ】図１０１ｂは、実施例７０の、Ｇｌｕ４５ｍｇ／ｄｌを基準にした、Ｈｃｔ値０％、４２％、７０％それぞれの場合の感度差（％）のグラフである。
【図１０２ａ】図１０２ａは、実施例７１の、Ｈｃｔ４２％を基準にした、Ｇｌｕ値４５ｍｇ／ｄｌ、５５０ｍｇ／ｄｌそれぞれの場合の感度差（％）のグラフである。
【図１０２ｂ】図１０２ｂは、実施例７１の、Ｇｌｕ４５ｍｇ／ｄｌを基準にした、Ｈｃｔ値０％、４２％、７０％それぞれの場合の感度差（％）のグラフである。
【図１０３ａ】図１０３ａは、実施例７２の、Ｈｃｔ４２％を基準にした、Ｇｌｕ値４５ｍｇ／ｄｌ、５５０ｍｇ／ｄｌそれぞれの場合の感度差（％）のグラフである。
【図１０３ｂ】図１０３ｂは、実施例７２の、Ｇｌｕ４５ｍｇ／ｄｌを基準にした、Ｈｃｔ値０％、４２％、７０％それぞれの場合の感度差（％）のグラフである。
【図１０４ａ】図１０４ａは、実施例７３の、Ｈｃｔ４２％を基準にした、Ｇｌｕ値４５ｍｇ／ｄｌ、５５０ｍｇ／ｄｌそれぞれの場合の感度差（％）のグラフである。
【図１０４ｂ】図１０４ｂは、実施例７３の、Ｇｌｕ４５ｍｇ／ｄｌを基準にした、Ｈｃｔ値０％、４２％、７０％それぞれの場合の感度差（％）のグラフである。
【図１０５ａ】図１０５ａは、比較例１２の、Ｈｃｔ４２％を基準にした、Ｇｌｕ値４５ｍｇ／ｄｌ、５５０ｍｇ／ｄｌそれぞれの場合の感度差（％）のグラフである。
【図１０５ｂ】図１０５ｂは、比較例１２の、Ｇｌｕ４５ｍｇ／ｄｌを基準にした、Ｈｃｔ値０％、４２％、７０％それぞれの場合の感度差（％）のグラフである。
【図１０６ａ】図１０６ａは、比較例１３の、Ｈｃｔ４２％を基準にした、Ｇｌｕ値４５ｍｇ／ｄｌ、５５０ｍｇ／ｄｌそれぞれの場合の感度差（％）のグラフである。
【図１０６ｂ】図１０６ｂは、比較例１３の、Ｇｌｕ４５ｍｇ／ｄｌを基準にした、Ｈｃｔ値０％、４２％、７０％それぞれの場合の感度差（％）のグラフである。
【図１０７ａ】図１０７ａは、実施例７４の、Ｈｃｔ４２％を基準にした、Ｇｌｕ値４５ｍｇ／ｄｌ、５５０ｍｇ／ｄｌそれぞれの場合の感度差（％）のグラフである。
【図１０７ｂ】図１０７ｂは、実施例７４の、Ｇｌｕ４５ｍｇ／ｄｌを基準にした、Ｈｃｔ値０％、４２％、７０％それぞれの場合の感度差（％）のグラフである。
【図１０８ａ】図１０８ａは、実施例７５の、Ｈｃｔ４２％を基準にした、Ｇｌｕ値４５ｍｇ／ｄｌ、５５０ｍｇ／ｄｌそれぞれの場合の感度差（％）のグラフである。
【図１０８ｂ】図１０８ｂは、実施例７５の、Ｇｌｕ４５ｍｇ／ｄｌを基準にした、Ｈｃｔ値０％、４２％、７０％それぞれの場合の感度差（％）のグラフである。
【図１０９ａ】図１０９ａは、実施例７６の、Ｈｃｔ４２％を基準にした、Ｇｌｕ値４５ｍｇ／ｄｌ、５５０ｍｇ／ｄｌそれぞれの場合の感度差（％）のグラフである。
【図１０９ｂ】図１０９ｂは、実施例７６の、Ｇｌｕ４５ｍｇ／ｄｌを基準にした、Ｈｃｔ値０％、４２％、７０％それぞれの場合の感度差（％）のグラフである。
【図１１０ａ】図１１０ａは、実施例７７の、Ｈｃｔ４２％を基準にした、Ｇｌｕ値４５ｍｇ／ｄｌ、５５０ｍｇ／ｄｌそれぞれの場合の感度差（％）のグラフである。
【図１１０ｂ】図１１０ｂは、実施例７７の、Ｇｌｕ４５ｍｇ／ｄｌを基準にした、Ｈｃｔ値０％、４２％、７０％それぞれの場合の感度差（％）のグラフである。
【図１１１ａ】図１１１ａは、実施例７８の、Ｈｃｔ４２％を基準にした、Ｇｌｕ値４５ｍｇ／ｄｌ、５５０ｍｇ／ｄｌそれぞれの場合の感度差（％）のグラフである。
【図１１１ｂ】図１１１ｂは、実施例７８の、Ｇｌｕ４５ｍｇ／ｄｌを基準にした、Ｈｃｔ値０％、４２％、７０％それぞれの場合の感度差（％）のグラフである。
【図１１２ａ】図１１２ａは、実施例７９の、Ｈｃｔ４２％を基準にした、Ｇｌｕ値４５ｍｇ／ｄｌ、５５０ｍｇ／ｄｌそれぞれの場合の感度差（％）のグラフである。
【図１１２ｂ】図１１２ｂは、実施例７９の、Ｇｌｕ４５ｍｇ／ｄｌを基準にした、Ｈｃｔ値０％、４２％、７０％それぞれの場合の感度差（％）のグラフである。
【図１１３ａ】図１１３ａは、実施例８０の、Ｈｃｔ４２％を基準にした、Ｇｌｕ値４５ｍｇ／ｄｌ、５５０ｍｇ／ｄｌそれぞれの場合の感度差（％）のグラフである。
【図１１３ｂ】図１１３ｂは、実施例８０の、Ｇｌｕ４５ｍｇ／ｄｌを基準にした、Ｈｃｔ値０％、４２％、７０％それぞれの場合の感度差（％）のグラフである。
【図１１４ａ】図１１４ａは、実施例８１の、Ｈｃｔ４２％を基準にした、Ｇｌｕ値４５ｍｇ／ｄｌ、５５０ｍｇ／ｄｌそれぞれの場合の感度差（％）のグラフである。
【図１１４ｂ】図１１４ｂは、実施例８１の、Ｇｌｕ４５ｍｇ／ｄｌを基準にした、Ｈｃｔ値０％、４２％、７０％それぞれの場合の感度差（％）のグラフである。
【図１１５ａ】図１１５ａは、実施例８２の、Ｈｃｔ４２％を基準にした、Ｇｌｕ値４５ｍｇ／ｄｌ、５５０ｍｇ／ｄｌそれぞれの場合の感度差（％）のグラフである。
【図１１５ｂ】図１１５ｂは、実施例８２の、Ｇｌｕ４５ｍｇ／ｄｌを基準にした、Ｈｃｔ値０％、４２％、７０％それぞれの場合の感度差（％）のグラフである。
【図１１６ａ】図１１６ａは、実施例８３の、Ｈｃｔ４２％を基準にした、Ｇｌｕ値４５ｍｇ／ｄｌ、５５０ｍｇ／ｄｌそれぞれの場合の感度差（％）のグラフである。
【図１１６ｂ】図１１６ｂは、実施例８３の、Ｇｌｕ４５ｍｇ／ｄｌを基準にした、Ｈｃｔ値０％、４２％、７０％それぞれの場合の感度差（％）のグラフである。
【図１１７ａ】図１１７ａは、実施例８４の、Ｈｃｔ４２％を基準にした、Ｇｌｕ値４５ｍｇ／ｄｌ、５５０ｍｇ／ｄｌそれぞれの場合の感度差（％）のグラフである。
【図１１７ｂ】図１１７ｂは、実施例８４の、Ｇｌｕ４５ｍｇ／ｄｌを基準にした、Ｈｃｔ値０％、４２％、７０％それぞれの場合の感度差（％）のグラフである。
【図１１８ａ】図１１８ａは、実施例８５の、Ｈｃｔ４２％を基準にした、Ｇｌｕ値４５ｍｇ／ｄｌ、５５０ｍｇ／ｄｌそれぞれの場合の感度差（％）のグラフである。
【図１１８ｂ】図１１８ｂは、実施例８５の、Ｇｌｕ４５ｍｇ／ｄｌを基準にした、Ｈｃｔ値０％、４２％、７０％それぞれの場合の感度差（％）のグラフである。
【図１１９ａ】図１１９ａは、実施例８６の、Ｈｃｔ４２％を基準にした、Ｇｌｕ値４５ｍｇ／ｄｌ、５５０ｍｇ／ｄｌそれぞれの場合の感度差（％）のグラフである。
【図１１９ｂ】図１１９ｂは、実施例８６の、Ｇｌｕ４５ｍｇ／ｄｌを基準にした、Ｈｃｔ値０％、４２％、７０％それぞれの場合の感度差（％）のグラフである。
【図１２０ａ】図１２０ａは、実施例８７の、Ｈｃｔ４２％を基準にした、Ｇｌｕ値４５ｍｇ／ｄｌ、５５０ｍｇ／ｄｌそれぞれの場合の感度差（％）のグラフである。
【図１２０ｂ】図１２０ｂは、実施例８７の、Ｇｌｕ４５ｍｇ／ｄｌを基準にした、Ｈｃｔ値０％、４２％、７０％それぞれの場合の感度差（％）のグラフである。
【図１２１ａ】図１２１ａは、実施例８８の、Ｈｃｔ４２％を基準にした、Ｇｌｕ値４５ｍｇ／ｄｌ、５５０ｍｇ／ｄｌそれぞれの場合の感度差（％）のグラフである。
【図１２１ｂ】図１２１ｂは、実施例８８の、Ｇｌｕ４５ｍｇ／ｄｌを基準にした、Ｈｃｔ値０％、４２％、７０％それぞれの場合の感度差（％）のグラフである。
【図１２２ａ】図１２２ａは、実施例８９の、Ｈｃｔ４２％を基準にした、Ｇｌｕ値４５ｍｇ／ｄｌ、５５０ｍｇ／ｄｌそれぞれの場合の感度差（％）のグラフである。
【図１２２ｂ】図１２２ｂは、実施例８９の、Ｇｌｕ４５ｍｇ／ｄｌを基準にした、Ｈｃｔ値０％、４２％、７０％それぞれの場合の感度差（％）のグラフである。
【図１２３ａ】図１２３ａは、実施例９０の、Ｈｃｔ４２％を基準にした、Ｇｌｕ値４５ｍｇ／ｄｌ、５５０ｍｇ／ｄｌそれぞれの場合の感度差（％）のグラフである。
【図１２３ｂ】図１２３ｂは、実施例９０の、Ｇｌｕ４５ｍｇ／ｄｌを基準にした、Ｈｃｔ値０％、４２％、７０％それぞれの場合の感度差（％）のグラフである。
【図１２４ａ】図１２４ａは、実施例９１の、Ｈｃｔ４２％を基準にした、Ｇｌｕ値４５ｍｇ／ｄｌ、５５０ｍｇ／ｄｌそれぞれの場合の感度差（％）のグラフである。
【図１２４ｂ】図１２４ｂは、実施例９１の、Ｇｌｕ４５ｍｇ／ｄｌを基準にした、Ｈｃｔ値０％、４２％、７０％それぞれの場合の感度差（％）のグラフである。
【図１２５ａ】図１２５ａは、実施例９２の、Ｈｃｔ４２％を基準にした、Ｇｌｕ値４５ｍｇ／ｄｌ、５５０ｍｇ／ｄｌそれぞれの場合の感度差（％）のグラフである。
【図１２５ｂ】図１２５ｂは、実施例９２の、Ｇｌｕ４５ｍｇ／ｄｌを基準にした、Ｈｃｔ値０％、４２％、７０％それぞれの場合の感度差（％）のグラフである。
【図１２６ａ】図１２６ａは、実施例９３の、Ｈｃｔ４２％を基準にした、Ｇｌｕ値４５ｍｇ／ｄｌ、５５０ｍｇ／ｄｌそれぞれの場合の感度差（％）のグラフである。
【図１２６ｂ】図１２６ｂは、実施例９３の、Ｇｌｕ４５ｍｇ／ｄｌを基準にした、Ｈｃｔ値０％、４２％、７０％それぞれの場合の感度差（％）のグラフである。
【図１２７ａ】図１２７ａは、比較例１４の、Ｈｃｔ４２％を基準にした、Ｇｌｕ値４５ｍｇ／ｄｌ、５５０ｍｇ／ｄｌそれぞれの場合の感度差（％）のグラフである。
【図１２７ｂ】図１２７ｂは、比較例１４の、Ｇｌｕ４５ｍｇ／ｄｌを基準にした、Ｈｃｔ値０％、４２％、７０％それぞれの場合の感度差（％）のグラフである。
【発明を実施するための形態】
【００４６】
つぎに、本発明を詳しく説明する。
【００４７】
本発明の生体試料の成分を測定する方法およびバイオセンサにおいて、測定対象の成分は、例えば、グルコース、ケトン、ＨｂＡ１ｃ、乳酸、尿酸、ビリルビンおよびコレステロール等である。本発明の生体試料の成分を測定する方法において用いられるバイオセンサにおいて、前記試薬部が含む酵素は、測定対象の生体試料の成分に応じ適宜選択される。
【００４８】
＜第１の生体試料の成分を測定する方法＞
本発明は、
生体試料を導入するためのキャピラリと、
前記キャピラリ内に第１作用極と第１対極を含む第１電極系を含む電極部と、
前記電極部と接するように配置された試薬部とを備えるバイオセンサにおいて、前記生体試料の成分を測定する方法であって、
前記試薬部に酵素およびメディエータを含み、
前記第１電極系に対して、前記生体試料の導入検知後０秒〜０．５秒以内に開始され、０秒より長く０．７秒までの間、電圧を印加し、得られる電流値に基づき、Ｈｃｔ値を得る工程を含むことを特徴とする生体試料の成分を測定する方法（第１の生体試料の成分を測定する方法）である。
【００４９】
前記第１の生体試料の成分を測定する方法において、前記第１電極系への電圧印加時間は、０秒より長く０．７秒までの間のいずれかであり、０秒より長く０．５秒までの間のいずれかであるのが好ましく、０秒より長く０．１秒までの間のいずれかであるのがさらに好ましい。
【００５０】
前記第１の生体試料の成分を測定する方法において、前記第１電極系への電圧印加は、前記生体試料の導入検知後０秒に開始されるのが好ましい。または、前記第１の生体試料の成分を測定する方法において、前記第１電極系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【００５１】
前記第１の生体試料の成分を測定する方法において、前記第１電極系への印加電圧は、１．５〜４．０Ｖの範囲のいずれかであるのが好ましく、１．５〜３．０Ｖの範囲のいずれかであるのがより好ましく、１．５〜２．５Ｖの範囲のいずれかであるのがさらに好ましい。
【００５２】
前記第１の生体試料の成分を測定する方法は、作用極と対極の両方に試薬層が接しているバイオセンサにおいて、生体試料の検知後、極めて短い時間、電圧を印加し、その際に得られる電流値に基づきＨｃｔ値を得る。このような方法によれば、Ｈｃｔ値を短時間で測定することができる。
【００５３】
＜第２の生体試料の成分を測定する方法＞
また、本発明は、第１の生体試料の成分を測定する方法において、
前記成分がＧｌｕであり、
前記Ｈｃｔ値を得る工程後に、前記第１電極系へ電圧を印加し、Ｇｌｕに依存する電流値を得る工程と、
前記Ｇｌｕに依存する電流値と前記Ｈｃｔ値とを用いて、Ｇｌｕ値を得る工程と
を更に含む生体試料の成分を測定する方法である(第２の生体試料の成分を測定する方法)。
【００５４】
前記第２の生体試料の成分を測定する方法において、
前記Ｇｌｕに依存する電流値を得る工程における前記第１電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【００５５】
前記第２の生体試料の成分を測定する方法において、
前記Ｇｌｕに依存する電流値を得る工程における前記第１電極系に印加する電圧が、０．１Ｖ〜１．４Ｖの範囲のいずれかであるのが好ましく、０．１〜１．０Ｖの範囲のいずれかであるのがより好ましい。
【００５６】
前記第２の生体試料の成分を測定する方法は、前記試薬層に接した電極近傍のＧｌｕに依存する電流値と、同じ電極近傍のＨｃｔ値を用いてＧｌｕ値を得るため、電極近傍の生体試料の特性をより精度高く反映させてＧｌｕ値を測定することができる。また、このような方法によれば、Ｈｃｔ値を短時間で測定することができる。
【００５７】
前記第２の生体試料の成分を測定する方法において、前記第１電極系へ電圧を印加し、Ｇｌｕに依存する電流値を得る工程は、複数回行ってもよい。この場合、複数の前記Ｇｌｕに依存する電流値と前記Ｈｃｔ値とを用いて、Ｇｌｕ値を得る。Ｇｌｕに依存する電流値を得る工程を複数回行うと、より測定精度の向上を図ることができ、好ましい。
【００５８】
＜第３の生体試料の成分を測定する方法＞
また、本発明は、第１の生体試料の成分を測定する方法において、
前記成分がＧｌｕであり、
前記電極部に、第２作用極と第２対極とを含む第２電極系を更に設け、
前記Ｈｃｔ値を得る工程後に、前記第２電極系へ電圧を印加し、Ｇｌｕに依存する電流値を得る工程と、
前記Ｇｌｕに依存する電流値と前記Ｈｃｔ値とを用いて、Ｇｌｕ値を得る工程と
を更に含む
生体試料の成分を測定する方法である(第３の生体試料の成分を測定する方法)。
【００５９】
前記第３の生体試料の成分を測定する方法において、
前記第２電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【００６０】
前記第３の生体試料の成分を測定する方法において、
前記第２電極系に印加する電圧が、０．１Ｖ〜１．４Ｖの範囲のいずれかであるのが好ましく、０．１Ｖ〜１．０Ｖの範囲のいずれかであるのがより好ましい。
【００６１】
前記第３の生体試料の成分を測定する方法によれば、Ｈｃｔ値を短時間で測定することができ、そのＨｃｔ値を用いて補正したＧｌｕ値を短時間で得ることができる。
【００６２】
前記第３の生体試料の成分を測定する方法において、前記第２電極系へ電圧を印加し、Ｇｌｕに依存する電流値を得る工程は、複数回行ってもよい。この場合、複数の前記Ｇｌｕに依存する電流値と前記Ｈｃｔ値とを用いて、Ｇｌｕ値を得る。
【００６３】
＜第４の生体試料の成分を測定する方法＞
また、本発明は、
生体試料を導入するためのキャピラリと、
前記キャピラリ内に第１作用極と第１対極を含む第１電極系を含む電極部と、
前記電極部と接するように配置された試薬部とを備えるバイオセンサにおいて、前記生体試料の成分を測定する方法であって、
前記成分がＧｌｕであり、
前記試薬部に酵素およびメディエータを含み、
前記第１電極系に対して、前記生体試料の導入検知後０秒〜０．５秒以内に開始され、０秒より長く０．７秒までの間、電圧を印加し、Ｈｃｔに依存する電流値を得る工程と、
前記Ｈｃｔに依存する電流値を得る工程後に、前記第１電極系へ電圧を印加し、Ｇｌｕに依存する電流値を得る工程と、
前記Ｇｌｕに依存する電流値と前記Ｈｃｔに依存する電流値とを用いて、Ｇｌｕ値を得る工程と
を含む生体試料の成分を測定する方法である(第４の生体試料の成分を測定する方法)。
【００６４】
前記第４の生体試料の成分を測定する方法において、
前記Ｈｃｔに依存する電流値を得る工程における前記第１電極系への電圧印加時間は、０秒より長く０．５秒までの間のいずれかであるのが好ましく、０秒より長く０．１秒までの間のいずれかであるのがさらに好ましい。
【００６５】
前記第４の生体試料の成分を測定する方法において、
前記Ｈｃｔに依存する電流値を得る工程における前記第１電極系への電圧印加は、前記生体試料の導入検知後０秒に開始されるのが好ましい。
【００６６】
前記第４の生体試料の成分を測定する方法において、
前記Ｈｃｔに依存する電流値を得る工程における前記第１電極系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【００６７】
前記第４の生体試料の成分を測定する方法において、
前記Ｈｃｔに依存する電流値を得る工程における前記第１電極系への印加電圧は、１．５〜４．０Ｖの範囲のいずれかであるのが好ましく、１．５Ｖ〜３．０Ｖの範囲のいずれかであるのがより好ましく、１．５Ｖ〜２．５Ｖの範囲のいずれかであるのがさらに好ましい。
【００６８】
前記第４の生体試料の成分を測定する方法において、
前記Ｇｌｕに依存する電流値を得る工程における前記第１電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【００６９】
前記第４の生体試料の成分を測定する方法であって、
前記Ｇｌｕに依存する電流値を得る工程における前記第１電極系に印加する電圧が、０．１Ｖ〜１．４Ｖの範囲のいずれかであるのが好ましく、０．１Ｖ〜１．０Ｖの範囲のいずれかであるのがより好ましい。
【００７０】
前記第４の生体試料の成分を測定する方法は、前記試薬層に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、Ｈｃｔ値を短時間で測定することができ、そのＨｃｔ値を用いて補正したＧｌｕ値を短時間で得ることができる。
【００７１】
前記第４の生体試料の成分を測定する方法において、前記第１電極系へ電圧を印加し、Ｇｌｕに依存する電流値を得る工程は、複数回行ってもよい。この場合、複数の前記Ｇｌｕに依存する電流値と前記Ｈｃｔに依存する電流値とを用いて、Ｇｌｕ値を得る。Ｇｌｕに依存する電流値を得る工程を複数回行うと、より測定精度の向上を図ることができ、好ましい。
【００７２】
＜第５の生体試料の成分を測定する方法＞
また、本発明は、
生体試料を導入するためのキャピラリと、
前記キャピラリ内に第１作用極と第１対極を含む第１電極系と、第２作用極と第２対極とを含む第２電極系とを含む電極部と、
前記電極部と接するように配置された試薬部とを備えるバイオセンサにおいて、前記生体試料の成分を測定する方法であって、
前記成分がＧｌｕであり、
前記試薬部に酵素およびメディエータを含み、
前記第１電極系に対して、前記生体試料の導入検知後０秒〜０．５秒以内に開始され、０秒より長く０．７秒までの間、電圧を印加し、Ｈｃｔに依存する電流値を得る工程と、
前記Ｈｃｔに依存する電流値を得る工程後に、前記第２電極系へ電圧を印加し、Ｇｌｕに依存する電流値を得る工程と、
前記Ｇｌｕに依存する電流値と前記Ｈｃｔに依存する電流値とを用いて、Ｇｌｕ値を得る工程と
を含む生体試料の成分を測定する方法である(第５の生体試料の成分を測定する方法)。
【００７３】
前記第５の生体試料の成分を測定する方法において、
前記第１電極系への電圧印加時間は、０秒より長く０．５秒までの間のいずれかであるのが好ましく、０秒より長く０．１秒までの間のいずれかであるのがさらに好ましい。
【００７４】
前記第５の生体試料の成分を測定する方法において、
前記第１電極系への電圧印加は、前記生体試料の導入検知後０秒に開始されるのが好ましい。
【００７５】
前記第５の生体試料の成分を測定する方法において、
前記第１電極系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【００７６】
前記第５の生体試料の成分を測定する方法において、
前記第１電極系への印加電圧は、１．５〜４．０Ｖの範囲のいずれかであるのが好ましく、１．５Ｖ〜３．０Ｖの範囲のいずれかであるのがより好ましく、１．５Ｖ〜２．５Ｖの範囲のいずれかであるのがさらに好ましい。
【００７７】
前記第５の生体試料の成分を測定する方法において、
前記第２電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【００７８】
前記第５の生体試料の成分を測定する方法において、
前記第２電極系への印加電圧は、０．１〜１．４Ｖの範囲のいずれかであるのが好ましく、０．１Ｖ〜１．０Ｖの範囲のいずれかであるのがより好ましい。
【００７９】
前記第５の生体試料の成分を測定する方法によれば、Ｈｃｔ値を短時間で測定することができ、そのＨｃｔ値を用いて補正したＧｌｕ値を短時間で得ることができる。
【００８０】
前記第５の生体試料の成分を測定する方法において、前記第２電極系へ電圧を印加し、Ｇｌｕに依存する電流値を得る工程は、複数回行ってもよい。この場合、複数の前記Ｇｌｕに依存する電流値と前記Ｈｃｔに依存する電流値とを用いて、Ｇｌｕ値を得る。Ｇｌｕに依存する電流値を得る工程を複数回行うと、より測定精度の向上を図ることができ、好ましい。
【００８１】
前記第１の生体試料の成分を測定する方法、前記第２の生体試料の成分を測定する方法、前記第３の生体試料の成分を測定する方法、前記第４の生体試料の成分を測定する方法または前記第５の生体試料の成分を測定する方法において、前記生体試料は、例えば、血液、汗、尿等が挙げられ、血液であるのが好ましい。
【００８２】
＜第１バイオセンサ＞
また、本発明は、
生体試料を導入するためのキャピラリと、
前記キャピラリ内に酵素およびメディエータを含む試薬部と、
前記キャピラリ内において前記試薬部と接するように配置された、第３作用極と第３対極を有するＨｃｔ値を測定するための第１Ｈｃｔ測定系と、
前記試薬部が配置されていない箇所に第５作用極と、前記試薬部と接するように配置された第５対極を有するＨｃｔ値を測定するための第２Ｈｃｔ測定系と、
を有するバイオセンサである（第１バイオセンサＡ）。
【００８３】
また、本発明は、前記第１バイオセンサにおいて、
前記キャピラリ内に前記試薬部と接するように配置された第４作用極と第４対極とを含む、Ｇｌｕに依存する電流値を得るための電極系を更に設けるのが好ましい。このようなバイオセンサを第１バイオセンサＢと呼ぶ。
【００８４】
＜第２バイオセンサ＞
または、本発明は、第１バイオセンサＡにおいて、
前記第６作用極と第６対極とを含む、Ｇｌｕに依存する電流値を得るための電極系と、
前記第４作用極と第４対極とを含む、Ｇｌｕに依存する電流値を得るための電極系とを更に設けるのが好ましい。このようなバイオセンサを、第２バイオセンサと呼ぶ。
【００８５】
＜第３バイオセンサ＞
また、本発明は、前記第２バイオセンサにおいて、
前記キャピラリ内に前記試薬部と接するように配置された、第４作用極と第４対極とを含む、Ｇｌｕに依存する電流値を得るための更なる電極系を更に設けるのが好ましい。このようなバイオセンサを、第３バイオセンサＡと呼ぶ。
【００８６】
また、本発明は、前記第３バイオセンサＡにおいて、
前記キャピラリ内に前記試薬部と接しないように配置された第７作用極と、前記試薬部と接する第７対極とを含む、Ｉｎｔ（妨害物質）に依存する電流値を得るための電極系を更に設けるのが好ましい。このようなバイオセンサを、第３バイオセンサＢと呼ぶ。
【００８７】
前記第１の生体試料の成分を測定する方法、前記第２の生体試料の成分を測定する方法、前記第３の生体試料の成分を測定する方法、前記第４の生体試料の成分を測定する方法または前記第５の生体試料の成分を測定する方法において用いられるバイオセンサ、ならび前記第１バイオセンサ、前記第２バイオセンサおよび前記第３バイオセンサにおいて、不純物の付着防止および酸化防止等の目的で、前記試薬部を配置しない電極は、高分子材料により被覆されていることが好ましい。前記高分子材料としては、例えば、カルボキシメチルセルロース（ＣＭＣ）、ヒドロキシエチルセルロース、ヒドロキシプロピルセルロース、メチルセルロース、エチルセルロース、エチルヒドロキシエチルセルロース、カルボキシエチルセルロース、ポリビニルアルコール、ポリビニルピロリドン、ポリジン等のポリアミノ酸、ポリスチレンスルホン酸、ゼラチンおよびその誘導体、ポリアクリル酸およびその塩、ポリメタクリル酸およびその塩、スターチおよびその誘導体、無水マレイン酸重合体およびその塩、アガロースゲルおよびその誘導体、などがあげられる。これらは、単独で使用してもよいし、２種類以上で併用してもよい。この中で、好ましいのは、ＣＭＣである。高分子材料による電極の被覆は特に制限されず、例えば、高分子材料溶液を準備し、これを電極表面に塗布し、ついで乾燥させて前記塗膜中の溶媒を除去すればよい。前記高分子材料の割合は、試薬部を作製するための試薬液全体に対し、例えば、０．００１〜１０重量％であり、好ましくは、０．００５〜５重量％であり、より好ましくは０．０１〜２重量％である。
【００８８】
前記第１の生体試料の成分を測定する方法、前記第２の生体試料の成分を測定する方法、前記第３の生体試料の成分を測定する方法、前記第４の生体試料の成分を測定する方法または前記第５の生体試料の成分を測定する方法において用いられるバイオセンサ、ならび前記第１バイオセンサ、前記第２バイオセンサおよび前記第３バイオセンサにおいて、前記作用極と対極の間の最近接距離が、０．１ｍｍ以上であるのが好ましい。このように０．１ｍｍ以上の電極間距離があれば、測定値の信頼性が向上する。より好ましい電極間距離は、０．３ｍｍ以上であり、さらに好ましくは０．５ｍｍ以上である。
【００８９】
前記第１の生体試料の成分を測定する方法、前記第２の生体試料の成分を測定する方法、前記第３の生体試料の成分を測定する方法、前記第４の生体試料の成分を測定する方法または前記第５の生体試料の成分を測定する方法において用いられるバイオセンサ、ならび前記第１バイオセンサ、前記第２バイオセンサおよび前記第３バイオセンサにおいて、前記試薬部に含まれる酵素としては、酸化還元酵素が好ましい。前記酸化還元酵素は、測定対象の血液成分に応じ適宜選択される。前記酸化還元酵素としては、例えば、グルコースオキシダーゼ、ラクテートオキシダーゼ、コレステロールオキシダーゼ、ビリルビンオキシダーゼ、グルコースデヒドロゲナーゼ、ラクテートデヒドロゲナーゼなどがある。前記酸化還元酵素の量は、例えば、センサ１個当り、若しくは１回の測定当り、例えば、０．０１〜１００Ｕであり、好ましくは、０．０５〜１０Ｕであり、より好ましくは、０．１〜５Ｕである。このなかでも、グルコースを測定対象にすることが好ましく、この場合の酸化還元酵素は、グルコースオキシダーゼおよびグルコースデヒドロゲナーゼが好ましい。
【００９０】
前記第１の生体試料の成分を測定する方法、前記第２の生体試料の成分を測定する方法、前記第３の生体試料の成分を測定する方法、前記第４の生体試料の成分を測定する方法または前記第５の生体試料の成分を測定する方法において用いられるバイオセンサ、ならび前記第１バイオセンサ、前記第２バイオセンサおよび前記第３バイオセンサにおいて、前記試薬部に含まれるメディエータ（電子受容体）としては、特に制限されず、例えば、フェリシアン化物、ｐ−ベンゾキノン、ｐ−ベンゾキノン誘導体、フェナジンメトサルフェート、メチレンブルー、フェロセン、フェロセン誘導体、フェノチアジン誘導体、フェノキサジン誘導体、フェナンスレンキノン誘導体があげられる。この中で、フェナンスレンキノン（９，１０−フェナンスレンキノン）、３−フェニルイミノ−３Ｈ−フェノチアジンまたは、フェリシアン化物（フェリシアン化カリウム）が好ましい。前記メディエータの配合量は、特に制限されず、１回の測定当り若しくはセンサ１個当り、例えば、０．１〜１０００ｍＭであり、好ましくは１〜５００ｍＭであり、より好ましくは、１０〜３００ｍＭである。例えば、血液（生体試料）中のグルコース値（成分）を測定する際、酵素としてグルコースデヒドロゲナーゼ（酸化還元酵素）を用い、メディエータとしてフェリシアン化カリウムを用いたバイオセンサの場合、例えば、以下のようにしてＧｌｕに依存する電流値を得る。バイオセンサにおいて、前記酸化還元酵素とメディエータが血液と接触し、これらが血液中に溶解される。そうすると、血液中の基質であるＧｌｕと前記酸化還元酵素との間で酵素反応が進行し、前記メディエータが還元されて、フェロシアン化物が生成する。この反応終了後、還元されたメディエータを電気化学的に酸化し、このとき得られる電流から血液中のＧｌｕに依存する電流値を得る。
【００９１】
前記第１の生体試料の成分を測定する方法、前記第２の生体試料の成分を測定する方法、前記第３の生体試料の成分を測定する方法、前記第４の生体試料の成分を測定する方法または前記第５の生体試料の成分を測定する方法において用いられるバイオセンサ、ならび前記第１バイオセンサ、前記第２バイオセンサおよび前記第３バイオセンサにおいて、前記試薬部は、さらに酵素安定化剤および結晶均質化剤の少なくとも一方を含んでもよい。
【００９２】
前記酵素安定化剤としては、例えば、糖アルコールがあげられる。前記糖アルコールとしては、例えば、ソルビトール、マルチトール、キシリトール、マンニトール、ラクチトール、還元パラチノース、アラビニトール、グリセロール、リビトール、ガラクチトール、セドヘプチトール、ペルセイトール、ボレミトール、スチラシトール、ポリガリトール、イジトール、タリトール、アリトール、イシリトール、還元澱粉糖化物などの鎖状の多価アルコールや環式糖アルコールがあげられる。また、これらの糖アルコールの立体異性体、置換体または誘導体であってもよい。これらの糖アルコールは、単独で使用してもよいし、２種類以上で併用してもよい。これらの中で、好ましいのは、マルチトールである。前記酵素安定化剤の配合量は、１回の測定当り若しくは１センサ当り、例えば、０．１〜５００ｍＭの範囲であり、好ましくは、０．５〜１００ｍＭの範囲であり、より好ましくは１〜５０ｍＭの範囲である。
【００９３】
前記結晶均質化剤は、試薬部の結晶状態を均質にするためのものであり、例えば、アミノ酸があげられる。前記アミノ酸としては、例えば、グリシン、アラニン、バリン、ロイシン、イソロイシン、セリン、トレオニン、メチオニン、アスパラギン、グルタミン、アルギニン、リシン、ヒスチジン、フェニルアラニン、トリプトファン、プロリン、サルコシン、ベタイン、タウリン、これらの塩、置換体および誘導体があげられる。これらは、単独で使用してもよいし、２種類以上で併用してもよい。これらのなかで、グリシン、セリン、プロリン、トレオニン、リシン、タウリンが好ましく、より好ましくは、タウリンである。前記結晶均質化剤の配合量は、１回の測定当り若しくは１センサ当り、例えば、０．１〜１０００ｍＭであり、好ましくは、１０〜５００ｍＭであり、より好ましくは２０〜２００ｍＭである。
【００９４】
図１、図２および図３に、本発明において用いるバイオセンサの一例を示す。図１は、前記センサの分解斜視図であり、図２は断面図であり、図３は平面図であり、前記三図において、同一部分には同一符号を付している。このセンサは、一例として、前記第１の生体試料の成分を測定する方法、前記第２の生体試料の成分を測定する方法、または前記第４の生体試料の成分を測定する方法において用いられるバイオセンサである。
【００９５】
図示のように、このセンサは、絶縁基板１０１の上に、２個の電極ＡおよびＢが形成されている。これらの電極は、作用極と対極に切り換え可能である。電極ＡおよびＢの一部を覆うように試薬層１１が配置されている。試薬層１１は、グルコースデヒドロゲナーゼ等の酸化還元酵素、フェナンスレンキノン（９，１０−フェナンスレンキノン）、３−フェニルイミノ−３Ｈ−フェノチアジンまたは、フェリシアン化カリウム等のメディエータを含み、任意成分として、酵素安定化剤、結晶均質化剤、高分子等を含む。前記絶縁基板１０１の上には、一方の端部（図において右側端部）を残してスペーサ１０２を介しカバー１０３が配置されている。このセンサには、各電極（ＡおよびＢ）に血液を導入するために、絶縁基板１０１、スペーサ１０２およびカバー１０３から成る流路１４が形成されている。この流路１４の先端は、センサの他方の端部（図において左側端部）まで延伸しており、外部に対し開口することで生体試料供給口１２となっている。前記２個の電極（ＡおよびＢ）は各々リードと連結し、これらのリードは、前記一方の端部側（図において右側端部）に延びており、リードの先端はカバーに覆われずに露出している。前記カバー１０３において、流路１４の右側端部に対応する部分には、空気孔１３が形成されている。
【００９６】
このバイオセンサを前記第１の生体試料の成分を測定する方法、前記第２の生体試料の成分を測定する方法、または前記第４の生体試料の成分を測定する方法において用いられるバイオセンサとして用いる場合、電極Ａは、第１作用極として、電極Ｂは第１対極として機能してもよい。
【００９７】
本発明において、前記絶縁基板１０１の材質は、特に制限されず、例えば、ポリエチレンテレフタレート（ＰＥＴ）、ポリカーボネート（ＰＣ）、ポリイミド（ＰＩ）、ポリエチレン（ＰＥ）、ポリプロピレン（ＰＰ）、ポリスチレン（ＰＳ）、ポリ塩化ビニル（ＰＶＣ）、ポリオキシメチレン（ＰＯＭ）、モノマーキャストナイロン（ＭＣ）、ポリブチレンテレフタレート（ＰＢＴ）、メタクリル樹脂（ＰＭＭＡ）、ＡＢＳ樹脂（ＡＢＳ）、ガラス等が使用でき、このなかで、ポリエチレンテレフタレート（ＰＥＴ）、ポリカーボネート（ＰＣ）およびポリイミド（ＰＩ）が好ましく、より好ましくは、ポリエチレンテレフタレート（ＰＥＴ）である。絶縁基板の大きさは、特に制限されず、例えば、全長５〜１００ｍｍ、幅２〜５０ｍｍ、厚み０．０５〜２ｍｍであり、好ましくは、全長７〜５０ｍｍ、幅３〜２０ｍｍ、厚み０．１〜１ｍｍであり、より好ましくは、全長１０〜３０ｍｍ、幅３〜１０ｍｍ、厚み０．１〜０．６ｍｍである。
【００９８】
絶縁基板上の電極およびリードは、例えば、金、白金、パラジウム、ルテニウム等を材料として、スパッタリング法あるいは蒸着法により導電層を形成し、これをレーザーにより特定の電極パターンに加工することで形成できる。レーザーとしては、例えば、ＹＡＧレーザー、グリーンレーザー、ＣＯ2レーザー、エキシマレーザー等が使用できる。
【００９９】
前記試薬層１１は、次のようにして形成する。例えば、グルコースデヒドロゲナーゼを０．１〜５Ｕ／センサ、メディエータとして、フェナンスレンキノン（９，１０−フェナンスレンキノン）、３−フェニルイミノ−３Ｈ−フェノチアジンまたは、フェリシアン化カリウムを１０〜３００ｍＭ、マルチトールを１〜５０ｍＭ、タウリンを２０〜２００ｍＭ、高分子を０．１〜２重量％含む（必要に応じて界面活性剤も含む）水溶液を円形のスリット部（図示せず）に滴下し、乾燥させる。このスリット部を設置することで、滴下された水溶液の拡がりを抑制することができ、試薬層１１をより正確な位置に配置することができる。これにより、電極ＡおよびＢが形成する電極部の一部を覆うように試薬層１１が形成される。前記乾燥は、例えば、自然乾燥でも温風を用いた強制乾燥でもよいが、高温過ぎると酵素が失活するおそれがあるので、５０℃前後の温風を用いることが好ましい。
【０１００】
本発明において、スペーサ１０２の材質は、特に制限されず、例えば、絶縁基板と同様の材料が使用できる。また、スペーサ１０２の大きさは、特に制限されず、例えば、全長５〜１００ｍｍ、幅２〜５０ｍｍ、厚み０．０１〜１ｍｍであり、好ましくは、全長７〜５０ｍｍ、幅３〜２０ｍｍ、厚み０．０５〜０．５ｍｍであり、より好ましくは、全長１０〜３０ｍｍ、幅３〜１０ｍｍ、厚み０．０５〜０．２５ｍｍである。この例のスペーサ１０２には、血液導入のための流路となるＩ字形状の切欠部が形成されているが、その大きさは、例えば、全長０．５〜８ｍｍ、幅０．１〜５ｍｍ、好ましくは、全長１〜１０ｍｍ、幅０．２〜３ｍｍ、より好ましくは、全長１〜５ｍｍ、幅０．５〜２ｍｍである。この切欠部は、例えば、レーザーやドリル等で穿孔して形成してもよいし、スペーサ１０２の形成時に、切欠部が形成できるような金型を使用して形成してもよい。
【０１０１】
本発明において、カバー１０３の材質は、特に制限されない。例えば、絶縁基板と同様の材料が使用できる。カバー１０３の生体試料を導入するための流路の天井部に相当する部分は、親水処理されることがさらに好ましい。親水処理としては、例えば界面活性剤を塗布する方法、プラズマ処理などによりカバー１０３表面に水酸基、カルボニル基、カルボキシル基などの親水性官能基を導入する方法等がある。また、試薬層上にレシチン等の界面活性剤からなる層を形成してもよい。カバー１０３の大きさは、特に制限されない。例えば、全長５〜１００ｍｍ、幅３〜５０ｍｍ、厚み０．０１〜０.５ｍｍであり、好ましくは、全長１０〜５０ｍｍ、幅３〜２０ｍｍ、厚み０．０５〜０.２５ｍｍであり、より好ましくは、全長１５〜３０ｍｍ、幅５〜１０ｍｍ、厚み０．０５〜０．１ｍｍである。カバー１０３には空気孔１３が形成されていることが好ましく、形状は、例えば、円形、楕円形、多角形等である。その大きさは、例えば、最大直径０．０１〜１０ｍｍ、好ましくは、最大直径０．０５〜５ｍｍ、より好ましくは、最大直径０．１〜２ｍｍである。この空気孔は、例えば、レーザーやドリル等で穿孔して形成してもよいし、カバー１０３の形成時に、空気抜き部が形成できるような金型を使用して形成してもよい。
【０１０２】
さらに、このセンサは、絶縁基板１０１、スペーサ１０２およびカバー１０３をこの順序で積層し、一体化することで製造できる。前記３つの部材は、接着剤あるいは熱融着等で貼り合わせることにより一体化される。前記接着剤としては、例えば、エポキシ系接着剤、アクリル系接着剤、ポリウレタン系接着剤、また熱硬化性接着剤（ホットメルト接着剤等）、ＵＶ硬化性接着剤等が使用できる。
【０１０３】
このバイオセンサを前記第１の生体試料の成分を測定する方法、前記第２の生体試料の成分を測定する方法、または前記第４の生体試料の成分を測定する方法において用いる場合、電極Ａは、第１作用極として、電極Ｂは第１対極として、機能してもよい。または、電極Ｂは、第１作用極として、電極Ａは第１対極として、機能してもよい。
【０１０４】
図４に、本発明において用いるバイオセンサの別の一例（第１バイオセンサ）を示す。図２に示す絶縁基板１０１の平面図の代わりに図４に示す絶縁基板１０１の平面図を用いる以外は、図１および２に示す構成と同様である。このセンサは、一例として、前記第１の生体試料の成分を測定する方法、前記第２の生体試料の成分を測定する方法、前記第３の生体試料の成分を測定する方法、前記第４の生体試料の成分を測定する方法または前記第５の生体試料の成分を測定する方法において用いられるバイオセンサである。
【０１０５】
図示のように、この第１バイオセンサは、絶縁基板１０１の上に、４個の電極Ａ、Ｂ、ＣおよびＤが形成されている。これらの電極は、作用極と対極に切り換え可能である。電極Ａ、ＢおよびＤの一部を覆うように試薬層１１が配置されている。前記４個の電極（Ａ、Ｂ、ＣおよびＤ）は各々リードと連結し、これらのリードは、前記一方の端部側（図において右側端部）に延びており、リードの先端はカバーに覆われずに露出している。前記カバー１０３において、流路１４の右側端部に対応する部分には、空気孔１３が形成されている。
【０１０６】
この第１バイオセンサを前記第３の生体試料の成分を測定する方法、または前記第５の生体試料の成分を測定する方法において用いられるバイオセンサとして用いる場合、電極Ａは、第１作用極および第２作用極として、電極Ｂは第１対極および第２対極として、電極Ｄは、検知極として、機能してもよい。なお、第１作用極と第１対極は第１バイオセンサの第３作用極と第３対極に、第２作用極と第２対極は第１バイオセンサの第４作用極と第４対極に対応する。
【０１０７】
【表１】
0006595122.tif 000002
【０１０８】
または、この第１バイオセンサを前記第５の生体試料の成分を測定する方法において用いられるバイオセンサとして用いる場合、電極Ｂは、第１作用極として、電極Ａは第１対極および第２対極として、電極Ｄは、検知極として、機能してもよい。なお、第１作用極と第１対極は第１バイオセンサの第３作用極と第３対極に、第２作用極と第２対極は第１バイオセンサの第４作用極と第４対極に対応する。
【０１０９】
【表２】
0006595122.tif 000003
【０１１０】
また、この第１バイオセンサを前記第１の生体試料の成分を測定する方法、前記第２の生体試料の成分を測定する方法または前記第４の生体試料の成分を測定する方法において用いられるバイオセンサとして用いる場合、電極Ａは、第１作用極として、電極Ｂは第１対極として、機能してもよい。
【０１１１】
また、この第１バイオセンサを後記する第６の生体試料の成分を測定する方法において用いられるバイオセンサとして用いる場合、電極Ａは、第３作用極または第５作用極として、電極Ｂは第３対極または第５対極として、機能してもよい。
【０１１２】
【表３】
0006595122.tif 000004
【０１１３】
また、この第１バイオセンサを後記する第７の生体試料の成分を測定する方法、または第１０の生体試料の成分を測定する方法において用いられるバイオセンサとして用いる場合、電極Ａは、第３作用極、第４作用極または第５対として、電極Ｂは第３対極、第４対極または第５対極として、電極Ｃは第５作用極として機能してもよい。
【０１１４】
【表４】
0006595122.tif 000005
【０１１５】
また、この第１バイオセンサを後記する第７の生体試料の成分を測定する方法、または第１０の生体試料の成分を測定する方法において用いられるバイオセンサとして用いる場合、電極Ａは、第３対極、第４対極または第５対として、電極Ｂは第３作用極、第４作用極または第５対極として、電極Ｃは第５作用極として機能してもよい。
【０１１６】
【表５】
0006595122.tif 000006
【０１１７】
図５は、本発明において用いるバイオセンサのさらに別の一例（第２バイオセンサ）を示す。図２に示す絶縁基板１０１の平面図の代わりに図５に示す絶縁基板１０１の平面図を用いる以外は、図１および２に示す構成と同様である。このセンサは、一例として、前記第６の生体試料の成分を測定する方法、前記第７の生体試料の成分を測定する方法、前記第８の生体試料の成分を測定する方法、前記第９の生体試料の成分を測定する方法、前記第１０の生体試料の成分を測定する方法または前記第１１の生体試料の成分を測定する方法において用いられるバイオセンサである。
【０１１８】
図示のように、この第２バイオセンサは、絶縁基板１０１の上に、５個の電極Ａ、Ｂ、Ｅ、ＦおよびＧが形成されている。これらの電極は、作用極と対極に切り換え可能である。電極Ａ、Ｂ、ＥおよびＧの一部を覆うように試薬層１１が配置されている。前記電極Ａと前記電極Ｂは、間隔を置いて設置されている。つまり、電極Ａと電極Ｂ間に別の電極を設けていてもよい。また、前記電極Ａと前記電極Ｅも、間隔を置いて設置されている。さらに、電極Ｆは、試薬層１１とは間隔を置いて、流路１４内の生体試料供給口１２側に設置されている。前記電極Ａと前記電極Ｆは、間隔を置いて設置されている。前記５個の電極（Ａ、Ｂ、Ｅ、ＦおよびＧ）は各々リードと連結し、図１、図２のごとく、これらのリードは、前記一方の端部側（図において右側端部）に延びており、リードの先端はカバーに覆われずに露出している。前記カバー１０３において、流路１４の右側端部に対応する部分には、空気孔１３が形成されている。この第３センサにおいては、電極Ａと電極Ｂとが隣接していない。
【０１１９】
この第２バイオセンサを前記第３の生体試料の成分を測定する方法、または前記第５の生体試料の成分を測定する方法において用いられるバイオセンサとして用いる場合、電極Ａは、第１作用極または第２対極として、電極Ｂは第１対極または第２対極として、電極Ｅは、検知極または第２対極として、電極Ｇは、第２作用極として、機能してもよい。なお、第１作用極と第１対極は第２バイオセンサの第３作用極と第３対極に、第２作用極と第２対極は第２バイオセンサの第６作用極と第６対極に対応する。
【０１２０】
【表６】
0006595122.tif 000007
【０１２１】
または、この第２バイオセンサを前記第３の生体試料の成分を測定する方法、または前記第５の生体試料の成分を測定する方法において用いられるバイオセンサとして用いる場合、電極Ｂは、第１作用極または第２対極として、電極Ａは第１対極または第２対極として、電極Ｅは、検知極または第２対極として、電極Ｇは、第２作用極として、機能してもよい。この第２バイオセンサにおいては、ヘマトクリット値を得るために対極として前記電極Ａを用い、作用極として前記電極Ｂを用いる場合に、前記電極Ａと前記電極Ｂが、間隔を置いて設置されている。また、作用極として前記電極Ｆを用い、対極として前記電極Ｅ、ＡまたはＢのいずれかを用いる場合にも、前記電極Ｆと、前記電極Ｅ、ＡまたはＢのいずれが間隔を置いて設置されている。なお、第１作用極と第１対極は第２バイオセンサの第３作用極と第３対極に、第２作用極と第２対極は第２バイオセンサの第６作用極と第６対極に対応する。
【０１２２】
【表７】
0006595122.tif 000008
【０１２３】
また、この第２バイオセンサを前記第１の生体試料の成分を測定する方法、前記第２の生体試料の成分を測定する方法または前記第４の生体試料の成分を測定する方法において用いられるバイオセンサとして用いる場合、電極Ｂ、電極Ｅは、第１対極として、電極Ａは第１作用極として、機能してもよい。
【０１２４】
また、この第２バイオセンサを後記する第８の生体試料の成分を測定する方法、第９の生体試料の成分を測定する方法、または第１１の生体試料の成分を測定する方法において用いられるバイオセンサとして用いる場合、電極Ａは、第３作用極、第５対極または第６対極として、電極Ｂは第３対極、第５対極または第６対極として、電極Ｅは、検知極または第６対極として、電極Ｆは、第５作用極として、電極Ｇは、第５対極または第６作用極として、機能してもよい。
【０１２５】
【表８】
0006595122.tif 000009
【０１２６】
また、この第２バイオセンサを後記する第８の生体試料の成分を測定する方法、第９の生体試料の成分を測定する方法、または第１１の生体試料の成分を測定する方法において用いられるバイオセンサとして用いる場合、電極Ａは、第３対極、第５対極または第６対極として、電極Ｂは第３作用極、第５対極または第６対極として、電極Ｅは、検知極または第６対極として、電極Ｆは、第５作用極として、電極Ｇは、第５対極または第６作用極として、機能してもよい。
【０１２７】
【表９】
0006595122.tif 000010
【０１２８】
前記検知電極は、前記生体試料供給１２から前記各電極系の少なくとも一つよりも後方に位置し、この血液検知電極により、前記各電極系の少なくとも一つに確実に生体試料が導入されたことが検知可能であることが好ましい。より好ましくは、前記血液検知電極が、前記各電極系の最後方に位置することである。
【０１２９】
図６は、本発明において用いるバイオセンサのさらに別の一例（第３バイオセンサ）を示す。図２に示す絶縁基板１０１の平面図の代わりに図６に示す絶縁基板１０１の平面図を用いる以外は、図１および２に示す構成と同様である。このセンサは、一例として、第１２の生体試料の成分を測定する方法、第１３の生体試料の成分を測定する方法、第１４の生体試料の成分を測定する方法、第１５の生体試料の成分を測定する方法、第１６の生体試料の成分を測定する方法、および第１７の生体試料の成分を測定する方法において用いられるバイオセンサである。
【０１３０】
図示のように、この第３バイオセンサは、絶縁基板１０１の上に、６個の電極Ａ、Ｂ、Ｃ、Ｅ、ＦおよびＧが形成されている。これらの電極は、作用極と対極に切り換え可能である。電極Ａ、Ｂ、Ｃ、ＥおよびＧの一部を覆うように試薬層１１が配置されている。前記電極Ａと前記電極Ｂは、間隔を置いて設置されている。つまり、電極Ａと電極Ｂ間に別の電極を設けていてもよい。また、前記電極Ａと前記電極Ｅも、間隔を置いて設置されている。さらに、電極Ｆは、試薬層１１とは間隔を置いて、流路１４内の生体試料供給口１２側に設置されている。前記電極Ａと前記電極Ｆは、間隔を置いて設置されている。前記６個の電極（Ａ、Ｂ、Ｃ、Ｅ、ＦおよびＧ）は各々リードと連結し、図１、図２のごとく、これらのリードは、前記一方の端部側（図において右側端部）に延びており、リードの先端はカバーに覆われずに露出している。前記カバー１０３において、流路１４の右側端部に対応する部分には、空気孔１３が形成されている。この第４センサにおいては、電極Ａと電極Ｂとが隣接していない。
【０１３１】
以下の表１０〜２１に示す電極構成は、第３バイオセンサの代わりに第２バイオセンサを用いて行うこともできるが、例として、第３バイオセンサを用いた場合の電極構成について、説明する。
【０１３２】
この第３バイオセンサを後記する第６の生体試料の成分を測定する方法、第７の生体試料の成分を測定する方法または第１０の生体試料の成分を測定する方法において用いられるバイオセンサとして用いる場合、電極Ａは、第３作用極または第４作用極として、電極Ｂは第３対極または第４対極として、電極Ｃは、第４対極として、電極Ｅは検知極として、機能してもよい。
【０１３３】
【表１０】
0006595122.tif 000011
【０１３４】
また、この第３バイオセンサを後記する第６の生体試料の成分を測定する方法、第７の生体試料の成分を測定する方法または第１０の生体試料の成分を測定する方法において用いられるバイオセンサとして用いる場合、電極Ａは、第３対極または第４対極として、電極Ｂは第３作用極または第４作用極として、電極Ｃは、第４対極として、電極Ｅは検知極として、機能してもよい。
【０１３５】
【表１１】
0006595122.tif 000012
【０１３６】
この第３バイオセンサを後記する第１２の生体試料の成分を測定する方法において用いられるバイオセンサとして用いる場合、電極Ａは、第３作用極、第４作用極または第５対極として、電極Ｂは第３対極、第４対極または第５対極として、電極Ｃは、第４対極または第５対極として、電極Ｅは、検知極として、電極Ｆは、第５作用極として、電極Ｇは、第５対極として、機能してもよい。
【０１３７】
【表１２】
0006595122.tif 000013
【０１３８】
この第３バイオセンサを後記する第１２の生体試料の成分を測定する方法において用いられるバイオセンサとして用いる場合、または、電極Ｂは、第３作用極、第４作用極または第５対極として、電極Ａは第３対極、第４対極または第５対極として、電極Ｃは、第４対極または第５対極として、電極Ｅは、検知極として、電極Ｆは、第５作用極として、電極Ｇは、第５対極として、機能してもよい。この第３バイオセンサにおいては、ヘマトクリット値を得るために対極として前記電極Ａを用い、作用極として前記電極Ｂを用いる場合に、前記電極Ａと前記電極Ｂが、間隔を置いて設置されている。また、作用極として前記電極Ｆを用い、対極として前記電極Ａ、Ｂ、Ｃ、Ｇを用いる場合にも、前記電極Ｆと、前記電極Ａ、Ｂ、Ｃ、Ｇが間隔を置いて設置されている。
【０１３９】
【表１３】
0006595122.tif 000014
【０１４０】
また、この第３バイオセンサを後記する第１３の生体試料の成分を測定する方法において用いられるバイオセンサとして用いる場合、電極Ａは、第３作用極または第４の対極第５作用極として、電極Ｂは第３対極、第４対極または第５対極として、電極Ｃは、第３対極、第４対極または第５対極として、電極Ｅは、検知極として、電極Ｆは、第４作用極として、電極Ｇは、第５作用極として、機能してもよい。
【０１４１】
【表１４】
0006595122.tif 000015
【０１４２】
また、この第３バイオセンサを後記する第１３の生体試料の成分を測定する方法において用いられるバイオセンサとして用いる場合、電極Ｂは、第３作用極または第５対極として、電極Ａは第３対極、第５対極、または第６対極として、電極Ｃは、第５対極または第６対極として、電極Ｅは、検知極として、電極Ｆは、第５作用極として、電極Ｇは、第５対極または第５作用極として、機能してもよい。
【０１４３】
【表１５】
0006595122.tif 000016
【０１４４】
また、この第３バイオセンサを後記する第１８の生体試料の成分を測定する方法において用いられるバイオセンサとして用いる場合、電極Ａは第３作用極、第４作用極、または第５対極として、電極Ｂは、第３対極、第４対極、第５対極、または第６対極として、電極Ｃは、第４対極、第５対極または第６対極として、電極Ｅは検知極または第６対極として、電極Ｆは、第５作用極として、電極Ｇは、第５対極または第６作用極として、機能してもよい。
【０１４５】
【表１６】
0006595122.tif 000017
【０１４６】
また、この第３バイオセンサを後記する第１８の生体試料の成分を測定する方法において用いられるバイオセンサとして用いる場合、電極Ａは第３対極、第４対極、第５対極または第６対極として、電極Ｂは、第３作用極、第４作用極、または第５作用極として、電極Ｃは、第４対極、第５対極または第６対極として、電極Ｅは、検知極または第６対極として、電極Ｆは、第５作用極として、電極Ｇは、第５対極または第６作用極として、機能してもよい。この第３バイオセンサにおいては、ヘマトクリット値を得るために対極として前記電極Ａを用い、作用極として前記電極Ｂを用いる場合に、前記電極Ａと前記電極Ｂが、間隔を置いて設置されている。また、作用極として前記電極Ｆを用い、対極として前記電極Ａ、Ｂ、Ｃ，Ｇを用いる場合にも、前記電極Ｆと、前記電極Ａ、Ｂ、Ｃ、Ｇが間隔を置いて設置されている。
【０１４７】
【表１７】
0006595122.tif 000018
【０１４８】
また、この第３バイオセンサを後記する第１４の生体試料の成分を測定する方法において用いられるバイオセンサとして用いる場合、電極Ａは、第３作用極、第４作用極または第５対極として、電極Ｂは第３対極、第４対極、第５対極または第７対極として、電極Ｃは、第４対極、第５対極または第７対極として、電極Ｅは、検知極として、電極Ｆは、第５作用極または第７作用極として、電極Ｇは、第６対極として、機能してもよい。
【０１４９】
【表１８】
0006595122.tif 000019
【０１５０】
また、この第３バイオセンサを後記する第１４の生体試料の成分を測定する方法において用いられるバイオセンサとして用いる場合、電極Ｂは、第３作用極、第４作用極または第５対極として、電極Ａは第３対極、第４対極、第５対極または第７作用極として、電極Ｃは、第４対極、第５対極または第７対極として、電極Ｆは、第５作用極または第７作用極として、電極Ｇは、第５対極として、機能してもよい。この第３バイオセンサにおいては、ヘマトクリット値を得るために対極として前記電極Ａを用い、作用極として前記電極Ｂを用いる場合に、前記電極Ａと前記電極Ｂが、間隔を置いて設置されている。また、作用極として前記電極Ｆを用い、対極として前記電極Ａ、Ｂ、Ｃ、Ｇを用いる場合にも、前記電極Ｆと、前記電極Ａ、Ｂ、Ｃ、Ｇが間隔を置いて設置されている。
【０１５１】
【表１９】
0006595122.tif 000020
【０１５２】
また、この第３バイオセンサを後記する第１６の生体試料の成分を測定する方法において用いられるバイオセンサとして用いる場合、電極Ａは、第３作用極、第４作用極または第５対極として、電極Ｂは第３対極、第４対極、第５対極、または第７対極として、電極Ｃは、第４対極、第５対極、または第７対極として、電極Ｅは、検知極として、電極Ｆは、第５作用極または第７作用極として、電極Ｇは、第５対極または第７作用極として、機能してもよい。
【０１５３】
【表２０】
0006595122.tif 000021
【０１５４】
また、この第３バイオセンサを後記する第１６の生体試料の成分を測定する方法において用いられるバイオセンサとして用いる場合、電極Ｂは、第３作用極、第４作用極または第５対極として、電極Ａは第３対極、第４対極、第５対極、または第７対極として、電極Ｃは、第４対極、第５対極または第７対極として、電極Ｅは、検知極として、電極Ｆは、第５作用極または第７作用極として、電極Ｇは、第５対極として、機能してもよい。この第３バイオセンサにおいては、ヘマトクリット値を得るために対極として前記電極Ａを用い、作用極として前記電極Ｂを用いる場合に、前記電極Ａと前記電極Ｂが、間隔を置いて設置されている。また、作用極として前記電極Ｆを用い、対極として前記電極Ａ、Ｂ、Ｃ、Ｇを用いる場合にも、前記電極Ｆと、前記電極Ａ、Ｂ、Ｃ、Ｇが間隔を置いて設置されている。
【０１５５】
【表２１】
0006595122.tif 000022
【０１５６】
前記検知電極は、前記生体試料供給口１２から前記各電極系の少なくとも一つよりも後方に位置し、この血液検知電極により、前記各電極系の少なくとも一つに確実に生体試料が導入されたことが検知可能であることが好ましい。より好ましくは、前記血液検知電極が、前記各電極系の最後方に位置することである。
【０１５７】
図７の斜視図に、本発明の測定方法において用いられるバイオセンサ１を装着した状態の本発明の測定装置の一例を示す。図示のように、この測定装置２は、その一端にセンサ１の装着口５を有し、ここにセンサ１を装着して保持する。なお、符号１２は、センサ１の生体試料供給口である。また、この測定装置２の略中央には表示部４を有し、ここに測定結果を表示する。
【０１５８】
図８には、本発明の測定方法において用いられるバイオセンサ１を装着した状態の本発明の測定装置の電気ブロック図の一例を示す。本発明の測定装置において、本発明の一実施形態にかかる測定装置の入力端子部６には、電圧を印加する電圧印加部３７と、電流−電圧変換部３８が接続されている。電圧印加部３７には、制御部３９から電圧が印加され、この電圧は、入力端子部６を介して、バイオセンサ１の電極のうち所望の電極へ一定時間印加される。この電圧印加によりバイオセンサ１において電極間に流れる電流は、電流−電圧変換部３８にて電圧に変換され、その後、この電圧はＡ／Ｄ変換部３０でデジタル変換され、このデジタル変換された電圧が判定手段３１によって閾値と比較される。
【０１５９】
また、制御部３９に接続された表示部３２には、前記バイオセンサ１で検出した成分の値や、前記判定手段３１による判定結果が表示されるようになっている。なお、図８の符号３３は電源部で、前記各部に電源を供給するためのものである。符号３４は、Ｈｃｔ値とＧｌｕ測定時の印加電圧、印加時間等からなるテーブルや環境温度から予め作成した検量線および検量テーブルを備えたメモリである。
【０１６０】
また、前記制御部３９には、時計３５が接続され、制御部３９は、この時計３５の時刻および時間を活用して、各種制御動作を実行するように構成されている。さらに、制御部３９内には、補正手段３６が設けられ、測定したＧｌｕ値をＨｃｔ値によって補正することで、Ｇｌｕ値の測定精度を高めるものである。
【０１６１】
＜第６の生体試料の成分を測定する方法＞
また、本発明は、
前記第１バイオセンサを用いて生体試料中のＨｃｔ値を得る工程を含む生体試料の成分を測定する方法であって、
前記第１Ｈｃｔ測定系に、前記生体試料の導入検知後０秒〜０．５秒に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と
を含む生体試料の成分を測定する方法である(第６の生体試料の成分を測定する方法)。
【０１６２】
前記第６の生体試料の成分を測定する方法において、
前記第１Ｈｃｔ測定系への電圧印加時間は、０秒より長く０．７秒までの間のいずれかであり、０秒より長く０．５秒までの間のいずれかであるのが好ましく、０秒より長く０．１秒までの間のいずれかであるのがさらに好ましい。また、記第１Ｈｃｔ測定系への電圧印加は、前記生体試料の導入検知後０秒に開始されるのが好ましい。
【０１６３】
前記第６の生体試料の成分を測定する方法において、
前記第１Ｈｃｔ測定系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【０１６４】
前記第６の生体試料の成分を測定する方法であって、
前記第１Ｈｃｔ測定系に印加する電圧が、１．５〜４．０Ｖの範囲のいずれかであるのが好ましく、１．５Ｖ〜３．０Ｖの範囲のいずれかであるのがより好ましく、１．５Ｖ〜２．５Ｖの範囲のいずれかであるのがさらに好ましい。
【０１６５】
前記第６の生体試料の成分を測定する方法において、
前記第２Ｈｃｔ測定系への電圧印加時間は、０．０１〜５．０秒の間のいずれかであるのが好ましく、０．０５〜１．０秒の間のいずれかであるのがより好ましく、０．１〜０．５秒の間のいずれかであるのがさらに好ましい。
【０１６６】
前記第６の生体試料の成分を測定する方法であって、
前記第２Ｈｃｔ測定系に印加する電圧が、１．０Ｖ〜３．５Ｖの範囲のいずれかであるのが好ましく、１．５Ｖ〜３．５Ｖの範囲のいずれかであるのがより好ましく、２．０Ｖ〜３．０Ｖの範囲のいずれかであるのがさらに好ましい。
【０１６７】
前記第６の生体試料の成分を測定する方法によれば、第１Ｈｃｔ測定系においてＨｃｔ値を短時間で測定することができ、その第１Ｈｃｔ測定系におけるＨｃｔ値を用いて補正したＧｌｕ値を精度良く得ることができる。
【０１６８】
＜第７の生体試料の成分を測定する方法＞
また、本発明は、
前記第１電流値を得る工程後に、前記第１Ｈｃｔ測定系に電圧を印加し、Ｇｌｕに依存する電流値を得る工程と、
前記Ｇｌｕに依存する電流値と、前記生体試料中のＨｃｔ値とに基づき、前記生体試料中のＧｌｕ値を得る工程とを更に含む前記第６の生体試料の成分を測定する方法である（第７の生体試料の成分を測定する方法）。
【０１６９】
前記第７の生体試料の成分を測定する方法において、
前記Ｇｌｕに依存する電流値を得る工程における前記第１Ｈｃｔ測定系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０１７０】
前記第７の生体試料の成分を測定する方法であって、
前記Ｇｌｕに依存する電流値を得る工程における前記第１Ｈｃｔ測定系に印加する電圧が、０．１Ｖ〜１．４Ｖの範囲のいずれかであるのが好ましく、０．１Ｖ〜１．０Ｖの範囲のいずれかであるのがより好ましい。
【０１７１】
前記第７の生体試料の成分を測定する方法において、
前記Ｇｌｕに依存する電流値を得る工程後に、前記第２電流値を得る工程を行うのが好ましい。
【０１７２】
前記第７の生体試料の成分を測定する方法によれば、前記試薬部に接した電極近傍のＧｌｕに依存する電流値と、同じ電極近傍のＨｃｔ値を用いてＧｌｕ値を得るため、電極近傍の生体試料の特性をより精度高く反映させてＧｌｕ値を測定することができる。また、このような方法によれば、第１Ｈｃｔ測定系においてＨｃｔ値を短時間で測定することができ、そのＨｃｔ値を用いて補正したＧｌｕ値を精度良く得ることができる。
【０１７３】
前記第７の生体試料の成分を測定する方法において、前記第１Ｈｃｔ測定系へ電圧を印加し、Ｇｌｕに依存する電流値を得る工程は、複数回行ってもよい。この場合、複数の前記Ｇｌｕに依存する電流値と前記Ｈｃｔ値とを用いて、Ｇｌｕ値を得る。Ｇｌｕに依存する電流値を得る工程を複数回行うと、より測定精度の向上を図ることができ、好ましい。
【０１７４】
前記第７の生体試料の成分を測定する方法において、前記Ｇｌｕに依存する電流値を得る工程の後に、前記第１Ｈｃｔ測定系に対して電圧を印加し、得られる電流値に基づき、別のＨｃｔ値を得る工程を更に含んでもよい。この場合、前記Ｇｌｕに依存する電流値と前記Ｈｃｔ値とを用いて、Ｇｌｕ値を得る工程は、前記Ｇｌｕに依存する電流値と２つのＨｃｔ値とを用いて、Ｇｌｕ値を得る。前記Ｇｌｕに依存する電流値を得る工程の後に、前記第２Ｈｃｔ測定系に対して電圧を印加し、得られる電流値に基づき、別のＨｃｔ値を得ると、より測定精度の向上を図ることができ、好ましい。
【０１７５】
＜第８の生体試料の成分を測定する方法＞
また、本発明は、
第２バイオセンサを用いて生体試料中のＨｃｔ値を得る工程を含む生体試料の成分を測定する方法であって、
前記第１Ｈｃｔ測定系に、前記生体試料の導入検知後０秒〜０．５秒以内に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
を含む生体試料の成分を測定する方法である（第８の生体試料の成分を測定する方法）。
【０１７６】
前記第８の生体試料の成分を測定する方法において、
前記第１Ｈｃｔ測定系への電圧印加時間は、０秒より長く０．５秒までの間のいずれかであるのが好ましく、０秒より長く０．１秒までの間のいずれかであるのがさらに好ましい。
【０１７７】
前記第８の生体試料の成分を測定する方法において、
前記第１Ｈｃｔ測定系への電圧印加は、前記生体試料の導入検知後０秒に開始されるのが好ましい。また、前記第１Ｈｃｔ測定系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【０１７８】
前記第８の生体試料の成分を測定する方法であって、
前記第１Ｈｃｔ測定系に印加する電圧が、１．５〜４．０Ｖの範囲のいずれかであるのが好ましく、１．５Ｖ〜３．０Ｖの範囲のいずれかであるのがより好ましく、１．５Ｖ〜２．５Ｖの範囲のいずれかであるのがさらに好ましい。
【０１７９】
前記第８の生体試料の成分を測定する方法において、
前記第２Ｈｃｔ測定系への電圧印加時間は、０．０１〜５．０秒の間のいずれかであるのが好ましく、０．０５〜１．０秒の間のいずれかであるのがより好ましく、０．１〜０．５秒の間のいずれかであるのがさらに好ましい。
【０１８０】
前記第８の生体試料の成分を測定する方法であって、
前記第２Ｈｃｔ測定系に印加する電圧が、１．０Ｖ〜３．５Ｖの範囲のいずれかであるのが好ましく、１．５Ｖ〜３．５Ｖの範囲のいずれかであるのがより好ましく、２．０Ｖ〜３．０Ｖの範囲のいずれかであるのがさらに好ましい。
【０１８１】
前記第８の生体試料の成分を測定する方法によれば、第１Ｈｃｔ測定系においてＨｃｔ値を短時間で測定することができ、そのＨｃｔ値を用いて補正したＧｌｕ値を精度良く得ることができる。
【０１８２】
＜第９の生体試料の成分を測定する方法＞
また、本発明は、第８の生体試料の成分を測定する方法において、
前記第１電流値を得る工程後に、前記Ｇｌｕに依存する電流値を得るための電極系に電圧を印加し、Ｇｌｕに依存する電流値を得る工程と、
前記Ｇｌｕに依存する電流値と、前記生体試料中のＨｃｔ値とに基づき、前記生体試料中のＧｌｕ値を得る工程とを更に含む生体試料の成分を測定する方法である（第９の生体試料の成分を測定する方法）。
【０１８３】
前記第９の生体試料の成分を測定する方法において、
前記Ｇｌｕに依存する電流値を得るための電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０１８４】
前記第９の生体試料の成分を測定する方法であって、
前記Ｇｌｕに依存する電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０１８５】
前記第９の生体試料の成分を測定する方法において、
前記Ｇｌｕに依存する電流値を得る工程後に、前記第２電流値を得る工程を行うのが好ましい。
【０１８６】
前記第９の生体試料の成分を測定する方法によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、第１Ｈｃｔ測定系においてＨｃｔ値を短時間で測定することができ、そのＨｃｔ値を用いて補正したＧｌｕ値を精度良く得ることができる。
【０１８７】
前記第９の生体試料の成分を測定する方法において、前記Ｇｌｕに依存する電流値を得るための電極系へ電圧を印加し、Ｇｌｕに依存する電流値を得る工程は、複数回行ってもよい。この場合、複数の前記Ｇｌｕに依存する電流値と前記Ｈｃｔ値とを用いて、Ｇｌｕ値を得る。Ｇｌｕに依存する電流値を得る工程を複数回行うと、より測定精度の向上を図ることができ、好ましい。
【０１８８】
前記第９の生体試料の成分を測定する方法において、前記Ｇｌｕに依存する電流値を得る工程の後に、前記第２Ｈｃｔ測定系に対して電圧を印加し、得られる電流値に基づき、別のＨｃｔ値を得る工程を更に含んでもよい。この場合、前記Ｇｌｕに依存する電流値と前記Ｈｃｔ値とを用いて、Ｇｌｕ値を得る工程は、前記Ｇｌｕに依存する電流値と２つのＨｃｔ値とを用いて、Ｇｌｕ値を得る。前記Ｇｌｕに依存する電流値を得る工程の後に、前記第２Ｈｃｔ測定系に対して電圧を印加し、得られる電流値に基づき、別のＨｃｔ値を得ると、より測定精度の向上を図ることができ、好ましい。
【０１８９】
＜第１０の生体試料の成分を測定する方法＞
また、本発明は、
第１バイオセンサを用いて生体試料中のＧｌｕ値を得る工程を含む生体試料の成分を測定する方法であって、
前記第１Ｈｃｔ測定系に、前記生体試料の導入検知後０秒〜０．５秒以内に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値を得る工程後に、前記第１Ｈｃｔ測定系へ電圧を印加し、Ｇｌｕに依存する電流値を得る工程と、
前記Ｇｌｕに依存する電流値と前記第１電流値と前記第２電流値とを用いて、生体試料中のＧｌｕ値を得る工程と
を含む生体試料の成分を測定する方法である（第１０の生体試料の成分を測定する方法）。
【０１９０】
前記第１０の生体試料の成分を測定する方法において、
前記第１電流値を得る工程における前記第１Ｈｃｔ測定系への電圧印加時間は、０秒より長く０．５秒までの間のいずれかであるのが好ましく、０秒より長く０．１秒までの間のいずれかであるのがさらに好ましい。
【０１９１】
前記第１０の生体試料の成分を測定する方法において、
前記第１電流値を得る工程における前記第１Ｈｃｔ測定系への電圧印加は、前記生体試料の導入検知後０秒に開始されるのが好ましい。
【０１９２】
前記第１０の生体試料の成分を測定する方法において、
前記第１電流値を得る工程における前記第１Ｈｃｔ測定系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【０１９３】
前記第１０の生体試料の成分を測定する方法であって、
前記第１電流値を得る工程における前記第１Ｈｃｔ測定系に印加する電圧が、１．５〜４．０Ｖの範囲のいずれかであるのが好ましく、１．５Ｖ〜３．０Ｖの範囲のいずれかであるのがより好ましく、１．５Ｖ〜２．５Ｖの範囲のいずれかであるのがさらに好ましい。
【０１９４】
前記第１０の生体試料の成分を測定する方法において、
前記第２Ｈｃｔ測定系への電圧印加時間は、０．０１〜５．０秒の間のいずれかであるのが好ましく、０．０５〜１．０秒の間のいずれかであるのがより好ましく、０．１〜０．５秒の間のいずれかであるのがさらに好ましい。
【０１９５】
前記第１０の生体試料の成分を測定する方法であって、
前記第２Ｈｃｔ測定系に印加する電圧が、１．０Ｖ〜３．５Ｖの範囲のいずれかであるのが好ましく、１．５Ｖ〜３．５Ｖの範囲のいずれかであるのがより好ましく、２．０Ｖ〜３．０Ｖの範囲のいずれかであるのがさらに好ましい。
【０１９６】
前記第１０の生体試料の成分を測定する方法において、
前記Ｇｌｕに依存する電流値を得る工程における前記第１Ｈｃｔ測定系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０１９７】
前記第１０の生体試料の成分を測定する方法であって、
前記Ｇｌｕに依存する電流値を得る工程における前記第１Ｈｃｔ測定系に印加する電圧が、０．１Ｖ〜１．４Ｖの範囲のいずれかであるのが好ましく、０．１Ｖ〜１．０Ｖの範囲のいずれかであるのがより好ましい。
【０１９８】
前記第１０の生体試料の成分を測定する方法において、
前記第２電流値を得る工程が、前記Ｇｌｕに依存する電流値を得る工程の後に行われるのが好ましい。
【０１９９】
前記第１０の生体試料の成分を測定する方法によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、第１Ｈｃｔ測定系においてＨｃｔ値を短時間で測定することができ、そのＨｃｔ値を用いて補正したＧｌｕ値を精度良く得ることができる。
【０２００】
前記第１０の生体試料の成分を測定する方法において、前記第１Ｈｃｔ測定系へ電圧を印加し、Ｇｌｕに依存する電流値を得る工程は、複数回行ってもよい。この場合、複数の前記Ｇｌｕに依存する電流値と前記第１電流値と前記第２電流値（前記Ｈｃｔに依存する電流値）とを用いて、Ｇｌｕ値を得る。Ｇｌｕに依存する電流値を得る工程を複数回行うと、より測定精度の向上を図ることができ、好ましい。
【０２０１】
＜第１１の生体試料の成分を測定する方法＞
また、本発明は、
前記第２バイオセンサを用いて生体試料中のＧｌｕ値を得る工程を含む生体試料の成分を測定する方法であって、
前記第１Ｈｃｔ測定系に、前記生体試料の導入検知後０秒〜０．５秒以内に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値を得る工程後に、前記Ｇｌｕに依存する電流値を得るための電極系へ電圧を印加し、Ｇｌｕに依存する電流値を得る工程と、
前記Ｇｌｕに依存する電流値と前記第１電流値と前記第２電流値とを用いて、生体試料中のＧｌｕ値を得る工程と
を含む生体試料の成分を測定する方法である（第１１の生体試料の成分を測定する方法）。
【０２０２】
前記第１１の生体試料の成分を測定する方法において、
前記第１Ｈｃｔ測定系への電圧印加時間は、０秒より長く０．５秒までの間のいずれかであるのが好ましく、０秒より長く０．１秒までの間のいずれかであるのがさらに好ましい。また、前記第１Ｈｃｔ測定系への電圧印加は、前記生体試料の導入検知後０秒に開始されるのが好ましい。
【０２０３】
前記第１１の生体試料の成分を測定する方法において、
前記第１Ｈｃｔ測定系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【０２０４】
前記第１１の生体試料の成分を測定する方法であって、
前記第１Ｈｃｔ測定系に印加する電圧が、１．５〜４．０Ｖの範囲のいずれかであるのが好ましく、１．５Ｖ〜３．０Ｖの範囲のいずれかであるのがより好ましく、１．５Ｖ〜２．５Ｖの範囲のいずれかであるのがさらに好ましい。
【０２０５】
前記第１１の生体試料の成分を測定する方法において、
前記第２Ｈｃｔ測定系への電圧印加時間は、０．０１〜５．０秒の間のいずれかであるのが好ましく、０．０５〜１．０秒の間のいずれかであるのがより好ましく、０．１〜０．５秒の間のいずれかであるのがさらに好ましい。
【０２０６】
前記第１１の生体試料の成分を測定する方法であって、
前記第２Ｈｃｔ測定系に印加する電圧が、１．０Ｖ〜３．５Ｖの範囲のいずれかであるのが好ましく、１．５Ｖ〜３．５Ｖの範囲のいずれかであるのがより好ましく、２．０Ｖ〜３．０Ｖの範囲のいずれかであるのがさらに好ましい。
【０２０７】
前記第１１の生体試料の成分を測定する方法において、
前記Ｇｌｕに依存する電流値を得るための電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０２０８】
前記第１１の生体試料の成分を測定する方法であって、
前記Ｇｌｕに依存する電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０２０９】
前記第１１の生体試料の成分を測定する方法において、
前記第２電流値を得る工程が、前記Ｇｌｕに依存する電流値を得る工程の後に行われるのが好ましい。
【０２１０】
前記第１１の生体試料の成分を測定する方法によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、第１Ｈｃｔ測定系においてＨｃｔ値を短時間で測定することができ、そのＨｃｔ値を用いて補正したＧｌｕ値を精度良く得ることができる。
【０２１１】
前記第１１の生体試料の成分を測定する方法において、前記Ｇｌｕに依存する電流値を得るための電極系へ電圧を印加し、Ｇｌｕに依存する電流値を得る工程は、複数回行ってもよい。この場合、複数の前記Ｇｌｕに依存する電流値と前記Ｈｃｔ値とを用いて、Ｇｌｕ値を得る。Ｇｌｕに依存する電流値を得る工程を複数回行うと、より測定精度の向上を図ることができ、好ましい。
【０２１２】
＜第１２の生体試料の成分を測定する方法＞
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記第１Ｈｃｔ測定系に電圧を印加し、Ｇｌｕに依存する電流値を得る工程と、
前記Ｇｌｕに依存する電流値と、前記生体試料中のＨｃｔ値とに基づき、前記生体試料中のＧｌｕ値を得る工程とを含む
生体試料の成分を測定する方法である（第１２の生体試料の成分を測定する方法）。
【０２１３】
前記第１２の生体試料の成分を測定する方法において、
第１電流値を得るための前記第１Ｈｃｔ測定系への電圧印加時間は、０秒より長く０．５秒までの間のいずれかであるのが好ましく、０秒より長く０．１秒までの間のいずれかであるのがさらに好ましい。また、前記第１Ｈｃｔ測定系への電圧印加は、前記生体試料の導入検知後０秒に開始されるのが好ましい。
【０２１４】
前記第１２の生体試料の成分を測定する方法において、
第１電流値を得るための前記第１Ｈｃｔ測定系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【０２１５】
前記第１２の生体試料の成分を測定する方法であって、
第１電流値を得るための前記第１Ｈｃｔ測定系に印加する電圧が、１．５〜４．０Ｖの範囲のいずれかであるのが好ましく、１．５Ｖ〜３．０Ｖの範囲のいずれかであるのがより好ましく、１．５Ｖ〜２．５Ｖの範囲のいずれかであるのがさらに好ましい。
【０２１６】
前記第１２の生体試料の成分を測定する方法において、
前記第２Ｈｃｔ測定系への電圧印加時間は、０．０１〜５．０秒の間のいずれかであるのが好ましく、０．０５〜１．０秒の間のいずれかであるのがより好ましく、０．１〜０．５秒の間のいずれかであるのがさらに好ましい。
【０２１７】
前記第１２の生体試料の成分を測定する方法であって、
前記第２Ｈｃｔ測定系に印加する電圧が、１．０Ｖ〜３．５Ｖの範囲のいずれかであるのが好ましく、１．５Ｖ〜３．５Ｖの範囲のいずれかであるのがより好ましく、２．０Ｖ〜３．０Ｖの範囲のいずれかであるのがさらに好ましい。
【０２１８】
前記第１２の生体試料の成分を測定する方法において、
前記Ｇｌｕに依存する電流値を得るための前記第１Ｈｃｔ測定系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０２１９】
前記第１２の生体試料の成分を測定する方法であって、
前記Ｇｌｕに依存する電流値を得るための前記第１Ｈｃｔ測定系に印加する電圧が、０．１Ｖ〜１．４Ｖの範囲のいずれかであるのが好ましく、０．１Ｖ〜１．０Ｖの範囲のいずれかであるのがより好ましい。
【０２２０】
前記第１２の生体試料の成分を測定する方法によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、第１Ｈｃｔ測定系においてＨｃｔ値を短時間で測定することができ、そのＨｃｔ値を用いて補正したＧｌｕ値を精度良く得ることができる。
【０２２１】
前記第１２の生体試料の成分を測定する方法において、前記Ｇｌｕに依存する電流値を得るための電極系へ電圧を印加し、Ｇｌｕに依存する電流値を得る工程は、複数回行ってもよい。この場合、複数の前記Ｇｌｕに依存する電流値と前記Ｈｃｔ値とを用いて、Ｇｌｕ値を得る。Ｇｌｕに依存する電流値を得る工程を複数回行うと、より測定精度の向上を図ることができ、好ましい。
【０２２２】
前記第１２の生体試料の成分を測定する方法は、更に、前記第１Ｈｃｔ測定系に、電圧を印加し、第３電流値を得る工程を含んでもよい。前記第３電流値を得る工程は、前記第２電流値を得る工程の後に行うのが好ましい。
【０２２３】
＜第１３の生体試料の成分を測定する方法＞
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒以内に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記Ｇｌｕに依存する電流値を得るための電極系に電圧を印加し、Ｇｌｕに依存する電流値を得る工程と、
前記Ｇｌｕに依存する電流値と、前記生体試料中のＨｃｔ値とに基づき、前記生体試料中のＧｌｕ値を得る工程とを含む
生体試料の成分を測定する方法である（第１３の生体試料の成分を測定する方法）。
【０２２４】
前記第１３の生体試料の成分を測定する方法において、
前記第１Ｈｃｔ測定系への電圧印加時間は、０秒より長く０．５秒までの間のいずれかであるのが好ましく、０秒より長く０．１秒までの間のいずれかであるのがさらに好ましい。
【０２２５】
前記第１３の生体試料の成分を測定する方法において、
前記第１Ｈｃｔ測定系への電圧印加は、前記生体試料の導入検知後０秒に開始されるのが好ましい。また、前記第１Ｈｃｔ測定系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【０２２６】
前記第１３の生体試料の成分を測定する方法であって、
前記第１Ｈｃｔ測定系に印加する電圧が、１．５〜４．０Ｖの範囲のいずれかであるのが好ましく、１．５Ｖ〜３．０Ｖの範囲のいずれかであるのがより好ましく、１．５Ｖ〜２．５Ｖの範囲のいずれかであるのがさらに好ましい。
【０２２７】
前記第１３の生体試料の成分を測定する方法において、
前記第２Ｈｃｔ測定系への電圧印加時間は、０．０１〜５．０秒の間のいずれかであるのが好ましく、０．０５〜１．０秒の間のいずれかであるのがより好ましく、０．１〜０．５秒の間のいずれかであるのがさらに好ましい。
【０２２８】
前記第１３の生体試料の成分を測定する方法であって、
前記第２Ｈｃｔ測定系に印加する電圧が、１．０Ｖ〜３．５Ｖの範囲のいずれかであるのが好ましく、１．５Ｖ〜３．５Ｖの範囲のいずれかであるのがより好ましく、２．０Ｖ〜３．０Ｖの範囲のいずれかであるのがさらに好ましい。
【０２２９】
前記第１３の生体試料の成分を測定する方法によれば、第１Ｈｃｔ測定系においてＨｃｔ値を短時間で測定することができ、そのＨｃｔ値を用いて補正したＧｌｕ値を精度良く得ることができる。
【０２３０】
前記第１３の生体試料の成分を測定する方法において、
前記Ｇｌｕに依存する電流値を得るための電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０２３１】
前記第１３の生体試料の成分を測定する方法であって、
前記Ｇｌｕに依存する電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０２３２】
前記第１３の生体試料の成分を測定する方法において、
前記Ｇｌｕに依存する電流値を得る工程後に、前記第２電流値を得る工程を行うのが好ましい。
【０２３３】
前記第１３の生体試料の成分を測定する方法によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、第１Ｈｃｔ測定系においてＨｃｔ値を短時間で測定することができ、そのＨｃｔ値を用いて補正したＧｌｕ値を精度良く得ることができる。
【０２３４】
前記第１３の生体試料の成分を測定する方法において、前記Ｇｌｕに依存する電流値を得るための電極系へ電圧を印加し、Ｇｌｕに依存する電流値を得る工程は、複数回行ってもよい。この場合、複数の前記Ｇｌｕに依存する電流値と前記Ｈｃｔ値とを用いて、Ｇｌｕ値を得る。Ｇｌｕに依存する電流値を得る工程を複数回行うと、より測定精度の向上を図ることができ、好ましい。
【０２３５】
前記第１３の生体試料の成分を測定する方法において、前記Ｇｌｕに依存する電流値を得る工程の後に、前記第２Ｈｃｔ測定系に対して電圧を印加し、得られる電流値に基づき、別のＨｃｔ値を得る工程を更に含んでもよい。この場合、前記Ｇｌｕに依存する電流値と前記Ｈｃｔ値とを用いて、Ｇｌｕ値を得る工程は、前記Ｇｌｕに依存する電流値と２つのＨｃｔ値とを用いて、Ｇｌｕ値を得る。前記Ｇｌｕに依存する電流値を得る工程の後に、前記第２Ｈｃｔ測定系に対して電圧を印加し、得られる電流値に基づき、別のＨｃｔ値を得ると、より測定精度の向上を図ることができ、好ましい。
【０２３６】
＜第１４の生体試料の成分を測定する方法＞
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記第１Ｈｃｔ測定系に電圧を印加し、Ｇｌｕに依存する電流値を得る工程と、
前記Ｇｌｕに依存する電流値を得る工程後に、Ｉｎｔに依存する電流値を得るための電極系に電圧を印加し、前記生体試料中のＩｎｔ値に依存する電流値を得る工程と、
前記Ｇｌｕに依存する電流値と、前記生体試料中のＨｃｔ値と、前記生体試料中のＩｎｔ値に依存する電流値に基づき、前記生体試料中のＧｌｕ値を得る工程とを含む
生体試料の成分を測定する方法である（第１４の生体試料の成分を測定する方法）。
【０２３７】
前記第１４の生体試料の成分を測定する方法において、
第１電流値を得るための前記第１Ｈｃｔ測定系への電圧印加時間は、０秒より長く０．５秒までの間のいずれかであるのが好ましく、０秒より長く０．１秒までの間のいずれかであるのがさらに好ましい。また、前記第１Ｈｃｔ測定系への電圧印加は、前記生体試料の導入検知後０秒に開始されるのが好ましい。
【０２３８】
前記第１４の生体試料の成分を測定する方法において、
第１電流値を得るための前記第１Ｈｃｔ測定系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【０２３９】
前記第１４の生体試料の成分を測定する方法であって、
第１電流値を得るための前記第１Ｈｃｔ測定系に印加する電圧が、１．５〜４．０Ｖの範囲のいずれかであるのが好ましく、１．５Ｖ〜３．０Ｖの範囲のいずれかであるのがより好ましく、１．５Ｖ〜２．５Ｖの範囲のいずれかであるのがさらに好ましい。
【０２４０】
前記第１４の生体試料の成分を測定する方法において、
前記第２Ｈｃｔ測定系への電圧印加時間は、０．０１〜５．０秒の間のいずれかであるのが好ましく、０．０５〜１．０秒の間のいずれかであるのがより好ましく、０．１〜０．５秒の間のいずれかであるのがさらに好ましい。
【０２４１】
前記第１４の生体試料の成分を測定する方法であって、
前記第２Ｈｃｔ測定系に印加する電圧が、１．０Ｖ〜３．５Ｖの範囲のいずれかであるのが好ましく、１．５Ｖ〜３．５Ｖの範囲のいずれかであるのがより好ましく、２．０Ｖ〜３．０Ｖの範囲のいずれかであるのがさらに好ましい。
【０２４２】
前記第１４の生体試料の成分を測定する方法において、
前記Ｇｌｕに依存する電流値を得るための前記第１Ｈｃｔ測定系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０２４３】
前記第１４の生体試料の成分を測定する方法であって、
前記Ｇｌｕに依存する電流値を得るための前記第１Ｈｃｔ測定系に印加する電圧が、０．１Ｖ〜１．４Ｖの範囲のいずれかであるのが好ましく、０．１Ｖ〜１．０Ｖの範囲のいずれかであるのがより好ましい。
【０２４４】
前記第１４の生体試料の成分を測定する方法によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、第１Ｈｃｔ測定系においてＨｃｔ値を短時間で測定することができ、そのＨｃｔ値を用いて補正したＧｌｕ値を精度良く得ることができる。
【０２４５】
前記第１４の生体試料の成分を測定する方法において、前記第１Ｈｃｔ測定系に電圧を印加し、Ｇｌｕに依存する電流値を得る工程は、複数回行ってもよい。この場合、複数の前記Ｇｌｕに依存する電流値と前記Ｈｃｔ値とを用いて、Ｇｌｕ値を得る。Ｇｌｕに依存する電流値を得る工程を複数回行うと、より測定精度の向上を図ることができ、好ましい。
【０２４６】
前記第１４の生体試料の成分を測定する方法は、更に、前記第１Ｈｃｔ測定系に、電圧を印加し、第３電流値を得る工程を含んでもよい。前記第３電流値を得る工程は、前記第２電流値を得る工程の後に行うのが好ましい。
【０２４７】
前記第１４の生体試料の成分を測定する方法において、
前記Ｉｎｔに依存する電流値を得るための電極系への電圧印加時間は、０．１〜１０．０秒の間のいずれかであるのが好ましく、０．１〜７．０秒の間のいずれかであるのがより好ましく、０．１〜５．０秒の間のいずれかであるのがさらに好ましい。
【０２４８】
前記第１４の生体試料の成分を測定する方法であって、
前記Ｉｎｔに依存する電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０２４９】
前記第１４の生体試料の成分を測定する方法において、
前記Ｉｎｔに依存する電流値を得る工程が、前記Ｇｌｕに依存する電流値を得る工程の後に行われるのが好ましい。
【０２５０】
前記第１４の生体試料の成分を測定する方法において、
前記第２電流値を得る工程が、前記Ｉｎｔに依存する電流値を得る工程の後に行われるのが好ましい。
【０２５１】
＜第１５の生体試料の成分を測定する方法＞
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒以内に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記Ｇｌｕに依存する電流値を得るための電極系に電圧を印加し、Ｇｌｕに依存する電流値を得る工程と、
前記Ｇｌｕに依存する電流値を得る工程後に、Ｉｎｔに依存する電流値を得るための電極系に電圧を印加し、前記生体試料中のＩｎｔ値に依存する電流値を得る工程と、
前記Ｇｌｕに依存する電流値と、前記生体試料中のＨｃｔ値と、前記生体試料中のＩｎｔ値に依存する電流値に基づき、前記生体試料中のＧｌｕ値を得る工程とを含む
生体試料の成分を測定する方法である（第１５の生体試料の成分を測定する方法）。
【０２５２】
前記第１５の生体試料の成分を測定する方法において、
前記第１Ｈｃｔ測定系への電圧印加時間は、０秒より長く０．５秒までの間のいずれかであるのが好ましく、０秒より長く０．１秒までの間のいずれかであるのがさらに好ましい。
【０２５３】
前記第１５の生体試料の成分を測定する方法において、
前記第１Ｈｃｔ測定系への電圧印加は、前記生体試料の導入検知後０秒に開始されるのが好ましい。また、前記第１Ｈｃｔ測定系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【０２５４】
前記第１５の生体試料の成分を測定する方法であって、
前記第１Ｈｃｔ測定系に印加する電圧が、１．５〜４．０Ｖの範囲のいずれかであるのが好ましく、１．５Ｖ〜３．０Ｖの範囲のいずれかであるのがより好ましく、１．５Ｖ〜２．５Ｖの範囲のいずれかであるのがさらに好ましい。
【０２５５】
前記第１５の生体試料の成分を測定する方法において、
前記第２Ｈｃｔ測定系への電圧印加時間は、０．０１〜５．０秒の間のいずれかであるのが好ましく、０．０５〜１．０秒の間のいずれかであるのがより好ましく、０．１〜０．５秒の間のいずれかであるのがさらに好ましい。
【０２５６】
前記第１５の生体試料の成分を測定する方法であって、
前記第２Ｈｃｔ測定系に印加する電圧が、１．０Ｖ〜３．５Ｖの範囲のいずれかであるのが好ましく、１．５Ｖ〜３．５Ｖの範囲のいずれかであるのがより好ましく、２．０Ｖ〜３．０Ｖの範囲のいずれかであるのがさらに好ましい。
【０２５７】
前記第１５の生体試料の成分を測定する方法によれば、第１Ｈｃｔ測定系においてＨｃｔ値を短時間で測定することができ、そのＨｃｔ値を用いて補正したＧｌｕ値を精度良く得ることができる。
【０２５８】
前記第１５の生体試料の成分を測定する方法において、
前記Ｇｌｕに依存する電流値を得るための電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０２５９】
前記第１５の生体試料の成分を測定する方法であって、
前記Ｇｌｕに依存する電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０２６０】
前記第１５の生体試料の成分を測定する方法において、
前記Ｇｌｕに依存する電流値を得る工程後に、前記第２電流値を得る工程を行うのが好ましい。
【０２６１】
前記第１５の生体試料の成分を測定する方法によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、第１Ｈｃｔ測定系においてＨｃｔ値を短時間で測定することができ、そのＨｃｔ値を用いて補正したＧｌｕ値を精度良く得ることができる。
【０２６２】
前記第１５の生体試料の成分を測定する方法において、前記Ｇｌｕに依存する電流値を得るための電極系へ電圧を印加し、Ｇｌｕに依存する電流値を得る工程は、複数回行ってもよい。この場合、複数の前記Ｇｌｕに依存する電流値と前記Ｈｃｔ値とを用いて、Ｇｌｕ値を得る。Ｇｌｕに依存する電流値を得る工程を複数回行うと、より測定精度の向上を図ることができ、好ましい。
【０２６３】
前記第１５の生体試料の成分を測定する方法において、前記Ｇｌｕに依存する電流値を得る工程の後に、前記第２Ｈｃｔ測定系に対して電圧を印加し、得られる電流値に基づき、別のＨｃｔ値を得る工程を更に含んでもよい。この場合、前記Ｇｌｕに依存する電流値と前記Ｈｃｔ値とを用いて、Ｇｌｕ値を得る工程は、前記Ｇｌｕに依存する電流値と２つのＨｃｔ値とを用いて、Ｇｌｕ値を得る。前記Ｇｌｕに依存する電流値を得る工程の後に、前記第２Ｈｃｔ測定系に対して電圧を印加し、得られる電流値に基づき、別のＨｃｔ値を得ると、より測定精度の向上を図ることができ、好ましい。
【０２６４】
前記第１５の生体試料の成分を測定する方法において、
前記Ｉｎｔに依存する電流値を得るための電極系への電圧印加時間は、０．１〜１０．０秒の間のいずれかであるのが好ましく、０．１〜７．０秒の間のいずれかであるのがより好ましく、０．１〜５．０秒の間のいずれかであるのがさらに好ましい。
【０２６５】
前記第１５の生体試料の成分を測定する方法であって、
前記Ｉｎｔに依存する電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０２６６】
前記第１５の生体試料の成分を測定する方法において、
前記Ｉｎｔに依存する電流値を得る工程が、前記Ｇｌｕに依存する電流値を得る工程の後に行われるのが好ましい。
【０２６７】
前記第１５の生体試料の成分を測定する方法において、
前記第２電流値を得る工程が、前記Ｉｎｔに依存する電流値を得る工程の後に行われるのが好ましい。
【０２６８】
＜第１６の生体試料の成分を測定する方法＞
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記第１Ｈｃｔ測定系に電圧を印加し、Ｇｌｕに依存する第１電流値を得る工程と、
前記Ｇｌｕに依存する第１電流値を得る工程後に、前記Ｇｌｕに依存する第２電流値を得るための電極系に電圧を印加し、Ｇｌｕに依存する第２電流値を得る工程と、
前記Ｇｌｕに依存する第２電流値を得る工程後に、Ｉｎｔに依存する電流値を得るための電極系に電圧を印加し、前記生体試料中のＩｎｔ値に依存する電流値を得る工程と、
前記Ｇｌｕに依存する第１電流値と、前記Ｇｌｕに依存する第２電流値と、前記生体試料中のＨｃｔ値と、前記生体試料中のＩｎｔ値に依存する電流値に基づき、前記生体試料中のＧｌｕ値を得る工程とを含む
生体試料の成分を測定する方法である（第１６の生体試料の成分を測定する方法）。
【０２６９】
前記第１６の生体試料の成分を測定する方法において、
第１電流値を得るための前記第１Ｈｃｔ測定系への電圧印加時間は、０秒より長く０．５秒までの間のいずれかであるのが好ましく、０秒より長く０．１秒までの間のいずれかであるのがさらに好ましい。また、前記第１Ｈｃｔ測定系への電圧印加は、前記生体試料の導入検知後０秒に開始されるのが好ましい。
【０２７０】
前記第１６の生体試料の成分を測定する方法において、
第１電流値を得るための前記第１Ｈｃｔ測定系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【０２７１】
前記第１６の生体試料の成分を測定する方法であって、
第１電流値を得るための前記第１Ｈｃｔ測定系に印加する電圧が、１．５〜４．０Ｖの範囲のいずれかであるのが好ましく、１．５Ｖ〜３．０Ｖの範囲のいずれかであるのがより好ましく、１．５Ｖ〜２．５Ｖの範囲のいずれかであるのがさらに好ましい。
【０２７２】
前記第１６の生体試料の成分を測定する方法において、
前記第２Ｈｃｔ測定系への電圧印加時間は、０．０１〜５．０秒の間のいずれかであるのが好ましく、０．０５〜１．０秒の間のいずれかであるのがより好ましく、０．１〜０．５秒の間のいずれかであるのがさらに好ましい。
【０２７３】
前記第１６の生体試料の成分を測定する方法であって、
前記第２Ｈｃｔ測定系に印加する電圧が、１．０Ｖ〜３．５Ｖの範囲のいずれかであるのが好ましく、１．５Ｖ〜３．５Ｖの範囲のいずれかであるのがより好ましく、２．０Ｖ〜３．０Ｖの範囲のいずれかであるのがさらに好ましい。
【０２７４】
前記第１６の生体試料の成分を測定する方法において、
前記Ｇｌｕに依存する第１電流値を得るための前記第１Ｈｃｔ測定系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０２７５】
前記第１６の生体試料の成分を測定する方法であって、
前記Ｇｌｕに依存する第１電流値を得るための前記第１Ｈｃｔ測定系に印加する電圧が、０．１Ｖ〜１．４Ｖの範囲のいずれかであるのが好ましく、０．１Ｖ〜１．０Ｖの範囲のいずれかであるのがより好ましい。
【０２７６】
前記第１６の生体試料の成分を測定する方法において、
前記Ｇｌｕに依存する第２電流値を得るための電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０２７７】
前記第１６の生体試料の成分を測定する方法であって、
前記Ｇｌｕに依存する第２電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０２７８】
前記第１６の生体試料の成分を測定する方法によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、第１Ｈｃｔ測定系においてＨｃｔ値を短時間で測定することができ、そのＨｃｔ値を用いて補正したＧｌｕ値を精度良く得ることができる。
【０２７９】
前記第１６の生体試料の成分を測定する方法において、前記Ｇｌｕに依存する第１電流値を得る工程と前記Ｇｌｕに依存する第２電流値を得る工程は、複数回行ってもよい。この場合、複数の前記Ｇｌｕに依存する第１電流値と前記Ｇｌｕに依存する第２電流値と前記Ｈｃｔ値とを用いて、Ｇｌｕ値を得る。Ｇｌｕに依存する電流値を得る工程を複数回行うと、より測定精度の向上を図ることができ、好ましい。
【０２８０】
前記第１６の生体試料の成分を測定する方法は、更に、前記第１Ｈｃｔ測定系に、電圧を印加し、第３電流値を得る工程を含んでもよい。前記第３電流値を得る工程は、前記第２電流値を得る工程の後に行うのが好ましい。
【０２８１】
前記第１６の生体試料の成分を測定する方法において、
前記Ｉｎｔに依存する電流値を得るための電極系への電圧印加時間は、０．１〜１０．０秒の間のいずれかであるのが好ましく、０．１〜７．０秒の間のいずれかであるのがより好ましく、０．１〜５．０秒の間のいずれかであるのがさらに好ましい。
【０２８２】
前記第１６の生体試料の成分を測定する方法であって、
前記Ｉｎｔに依存する電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０２８３】
前記第１６の生体試料の成分を測定する方法において、
前記Ｉｎｔに依存する電流値を得る工程が、前記Ｇｌｕに依存する第１電流値を得る工程の後に行われるのが好ましい。また、前記Ｉｎｔに依存する電流値を得る工程が、前記Ｇｌｕに依存する第２電流値を得る工程の後に行われるのが好ましい。
【０２８４】
前記第１６の生体試料の成分を測定する方法において、
前記第２電流値を得る工程が、前記Ｉｎｔに依存する電流値を得る工程の後に行われるのが好ましい。
【０２８５】
前記第１６の生体試料の成分を測定する方法において、
前記Ｇｌｕに依存する第２電流値を得るための電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０２８６】
前記第１６の生体試料の成分を測定する方法であって、
前記Ｇｌｕに依存する第２電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０２８７】
＜第１７の生体試料の成分を測定する方法＞
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒以内に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記Ｇｌｕに依存する第１電流値を得るための電極系に電圧を印加し、Ｇｌｕに依存する第１電流値を得る工程と、
前記Ｇｌｕに依存する第１電流値を得る工程後に、前記Ｇｌｕに依存する第２電流値を得るための電極系に電圧を印加し、Ｇｌｕに依存する第２電流値を得る工程と、
前記Ｇｌｕに依存する第２電流値を得る工程後に、Ｉｎｔに依存する電流値を得るための電極系に電圧を印加し、前記生体試料中のＩｎｔ値に依存する電流値を得る工程と、
前記Ｇｌｕに依存する第１電流値と、前記Ｇｌｕに依存する第２電流値と、前記生体試料中のＨｃｔ値と、前記生体試料中のＩｎｔ値に依存する電流値に基づき、前記生体試料中のＧｌｕ値を得る工程とを含む
生体試料の成分を測定する方法である（第１７の生体試料の成分を測定する方法）。
【０２８８】
前記第１７の生体試料の成分を測定する方法において、
前記第１Ｈｃｔ測定系への電圧印加時間は、０秒より長く０．５秒までの間のいずれかであるのが好ましく、０秒より長く０．１秒までの間のいずれかであるのがさらに好ましい。
【０２８９】
前記第１７の生体試料の成分を測定する方法において、
前記第１Ｈｃｔ測定系への電圧印加は、前記生体試料の導入検知後０秒に開始されるのが好ましい。また、前記第１Ｈｃｔ測定系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【０２９０】
前記第１７の生体試料の成分を測定する方法であって、
前記第１Ｈｃｔ測定系に印加する電圧が、１．５〜４．０Ｖの範囲のいずれかであるのが好ましく、１．５Ｖ〜３．０Ｖの範囲のいずれかであるのがより好ましく、１．５Ｖ〜２．５Ｖの範囲のいずれかであるのがさらに好ましい。
【０２９１】
前記第１７の生体試料の成分を測定する方法において、
前記第２Ｈｃｔ測定系への電圧印加時間は、０．０１〜５．０秒の間のいずれかであるのが好ましく、０．０５〜１．０秒の間のいずれかであるのがより好ましく、０．１〜０．５秒の間のいずれかであるのがさらに好ましい。
【０２９２】
前記第１７の生体試料の成分を測定する方法であって、
前記第２Ｈｃｔ測定系に印加する電圧が、１．０Ｖ〜３．５Ｖの範囲のいずれかであるのが好ましく、１．５Ｖ〜３．５Ｖの範囲のいずれかであるのがより好ましく、２．０Ｖ〜３．０Ｖの範囲のいずれかであるのがさらに好ましい。
【０２９３】
前記第１７の生体試料の成分を測定する方法によれば、第１Ｈｃｔ測定系においてＨｃｔ値を短時間で測定することができ、そのＨｃｔ値を用いて補正したＧｌｕ値を精度良く得ることができる。
【０２９４】
前記第１７の生体試料の成分を測定する方法において、
前記Ｇｌｕに依存する第１電流値を得るための電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０２９５】
前記第１７の生体試料の成分を測定する方法であって、
前記Ｇｌｕに依存する第１電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０２９６】
前記第１７の生体試料の成分を測定する方法において、
前記Ｇｌｕに依存する第２電流値を得るための電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０２９７】
前記第１７の生体試料の成分を測定する方法であって、
前記Ｇｌｕに依存する第２電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０２９８】
前記第１７の生体試料の成分を測定する方法において、
前記Ｇｌｕに依存する第１電流値を得る工程後に、前記第２電流値を得る工程を行うのが好ましい。
【０２９９】
前記第１７の生体試料の成分を測定する方法によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができる。また、このような方法によれば、第１Ｈｃｔ測定系においてＨｃｔ値を短時間で測定することができ、そのＨｃｔ値を用いて補正したＧｌｕ値を精度良く得ることができる。
【０３００】
前記第１７の生体試料の成分を測定する方法において、前記Ｇｌｕに依存する第１電流値を得る工程と前記Ｇｌｕに依存する第２電流値を得る工程は、複数回行ってもよい。この場合、複数の前記Ｇｌｕに依存する第１電流値と前記Ｇｌｕに依存する第２電流値と前記Ｈｃｔ値とを用いて、Ｇｌｕ値を得る。Ｇｌｕに依存する電流値を得る工程を複数回行うと、より測定精度の向上を図ることができ、好ましい。
【０３０１】
前記第１７の生体試料の成分を測定する方法において、前記Ｇｌｕに依存する第１電流値を得る工程の後に、前記第２Ｈｃｔ測定系に対して電圧を印加し、得られる電流値に基づき、別のＨｃｔ値を得る工程を更に含んでもよい。この場合、前記Ｇｌｕに依存する電流値と前記Ｈｃｔ値とを用いて、Ｇｌｕ値を得る工程は、前記Ｇｌｕに依存する電流値と２つのＨｃｔ値とを用いて、Ｇｌｕ値を得る。前記Ｇｌｕに依存する電流値を得る工程の後に、前記第２Ｈｃｔ測定系に対して電圧を印加し、得られる電流値に基づき、別のＨｃｔ値を得ると、より測定精度の向上を図ることができ、好ましい。
【０３０２】
前記第１７の生体試料の成分を測定する方法において、
前記Ｉｎｔに依存する電流値を得るための電極系への電圧印加時間は、０．１〜１０．０秒の間のいずれかであるのが好ましく、０．１〜７．０秒の間のいずれかであるのがより好ましく、０．１〜５．０秒の間のいずれかであるのがさらに好ましい。
【０３０３】
前記第１７の生体試料の成分を測定する方法であって、
前記Ｉｎｔに依存する電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０３０４】
前記第１７の生体試料の成分を測定する方法において、
前記Ｉｎｔに依存する電流値を得る工程が、前記Ｇｌｕに依存する電流値を得る工程の後に行われるのが好ましい。
【０３０５】
前記第１７の生体試料の成分を測定する方法において、
前記第２電流値を得る工程が、前記Ｉｎｔに依存する電流値を得る工程の後に行われるのが好ましい。
【０３０６】
また、本発明は、
前記第３バイオセンサを用いて生体試料中のＧｌｕ値を得る工程を含む生体試料の成分を測定する方法であって、
前記第１Ｈｃｔ測定系に、前記生体試料の導入検知後０秒〜０．５秒に開始され、０秒より長く０．７秒までの間、電圧を印加し、第１電流値を得る工程と、
前記第１電流値を得る工程後に、前記第２Ｈｃｔ測定系に電圧を印加し、第２電流値を得る工程と、
前記第１電流値と前記第２電流値とに基づき、前記生体試料中のＨｃｔ値を得る工程と、
前記第１電流値を得る工程後に、前記第１Ｈｃｔ測定系に電圧を印加し、Ｇｌｕに依存する第１電流値を得る工程と、
前記第１電流値を得る工程後に、前記Ｇｌｕに依存する電流値を得るための電極系に電圧を印加し、Ｇｌｕに依存する第２電流値を得る工程と、
前記Ｇｌｕに依存する第１電流値と、前記Ｇｌｕに依存する第２電流値と、前記生体試料中のＨｃｔ値とに基づき、前記生体試料中のＧｌｕ値を得る工程とを含む
生体試料の成分を測定する方法である（第１８の生体試料の成分を測定する方法）。
【０３０７】
前記第１８の生体試料の成分を測定する方法において、
前記第１Ｈｃｔ測定系への電圧印加時間は、０秒より長く０．５秒までの間のいずれかであるのが好ましく、０秒より長く０．１秒までの間のいずれかであるのがさらに好ましい。
【０３０８】
前記第１８の生体試料の成分を測定する方法において、
前記第１Ｈｃｔ測定系への電圧印加は、前記生体試料の導入検知後０秒に開始されるのが好ましい。また、前記第１Ｈｃｔ測定系への電圧印加は、前記生体試料の導入検知後０秒より後で０．５秒以内に開始され、０秒より後で０．３秒以内に開始されるのが好ましく、０秒より後で０．１秒以内に開始されるのがより好ましく、０秒より後で０．０５秒以内に開始されるのがさらに好ましい。
【０３０９】
前記第１８の生体試料の成分を測定する方法であって、
前記第１Ｈｃｔ測定系に印加する電圧が、１．５〜４．０Ｖの範囲のいずれかであるのが好ましく、１．５Ｖ〜３．０Ｖの範囲のいずれかであるのがより好ましく、１．５Ｖ〜２．５Ｖの範囲のいずれかであるのがさらに好ましい。
【０３１０】
前記第１８の生体試料の成分を測定する方法において、
前記第２Ｈｃｔ測定系への電圧印加時間は、０．０１〜５．０秒の間のいずれかであるのが好ましく、０．０５〜１．０秒の間のいずれかであるのがより好ましく、０．１〜０．５秒の間のいずれかであるのがさらに好ましい。
前記第１８の生体試料の成分を測定する方法であって、
前記第２Ｈｃｔ測定系に印加する電圧が、１．０Ｖ〜３．５Ｖの範囲のいずれかであるのが好ましく、１．５Ｖ〜３．５Ｖの範囲のいずれかであるのがより好ましく、２．０Ｖ〜３．０Ｖの範囲のいずれかであるのがさらに好ましい。
【０３１１】
前記第１８の生体試料の成分を測定する方法によれば、第１Ｈｃｔ測定系においてＨｃｔ値を短時間で測定することができ、そのＨｃｔ値を用いて補正したＧｌｕ値を精度良く得ることができる。
【０３１２】
前記第１８の生体試料の成分を測定する方法において、
前記Ｇｌｕに依存する第１電流値を得るための電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０３１３】
前記第１８の生体試料の成分を測定する方法であって、
前記Ｇｌｕに依存する第１電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０３１４】
前記第１８の生体試料の成分を測定する方法において、
前記Ｇｌｕに依存する第２電流値を得るための電極系への電圧印加時間は、０．０１〜１０．０秒の間のいずれかであるのが好ましく、０．１〜７．０秒の間のいずれかであるのがより好ましく、０．１〜５．０秒の間のいずれかであるのがさらに好ましい。
【０３１５】
前記第１８の生体試料の成分を測定する方法であって、
前記Ｇｌｕに依存する第２電流値を得るための電極系に印加する電圧が、０．１Ｖ〜１．４Ｖの範囲のいずれかであるのが好ましく、０．１Ｖ〜１．０Ｖの範囲のいずれかであるのがより好ましい。
【０３１６】
前記第１８の生体試料の成分を測定する方法において、
前記Ｇｌｕに依存する第１電流値を得る工程後に、前記第２電流値を得る工程を行うのが好ましい。
【０３１７】
前記第１８の生体試料の成分を測定する方法において、前記Ｇｌｕに依存する第１電流値を得る工程と前記Ｇｌｕに依存する第２電流値を得る工程は、複数回行ってもよい。この場合、複数の前記Ｇｌｕに依存する第１電流値と前記Ｇｌｕに依存する第２電流値と前記Ｈｃｔ値とを用いて、Ｇｌｕ値を得る。Ｇｌｕに依存する電流値を得る工程を複数回行うと、より測定精度の向上を図ることができ、好ましい。
【０３１８】
前記第６の生体試料の成分を測定する方法、前記第７の生体試料の成分を測定する方法、前記第８の生体試料の成分を測定する方法、前記第９の生体試料の成分を測定する方法、前記第１０の生体試料の成分を測定する方法、前記第１１の生体試料の成分を測定する方法、前記第１２の生体試料の成分を測定する方法、前記第１３の生体試料の成分を測定する方法、前記第１４の生体試料の成分を測定する方法、前記第１５の生体試料の成分を測定する方法、前記第１６の生体試料の成分を測定する方法、前記第１７の生体試料の成分を測定する方法または前記第１８の生体試料の成分を測定する方法において、前記生体試料は例えば、血液、汗、尿等が挙げられ、血液であるのが好ましい。
【０３１９】
次に、本発明の生体試料の成分を測定する方法の実施形態について、図面に基づき説明する。
【０３２０】
［実施形態１］
図９を用いて、Ｈｃｔ値を得る生体試料の成分を測定する方法を説明する。図９は、この実施形態にかかる方法の動作フローチャートである。
【０３２１】
生体試料として血液を用いた例について、説明する。まず、専用のランセットで指先等を穿刺し、出血させる。一方、バイオセンサ１を専用の測定装置（メータ）にセットし（Ｓ１）、測定器を起動させてスタンバイ状態にする（Ｓ２）。測定器には「センサへ点着」を促す表示を提示し（Ｓ３）、出血した血液に、測定装置にセットしたセンサの生体試料供給口１２を接触させ、毛細管現象により血液をセンサ内部に導入する。
【０３２２】
なお、この測定方法においては、例えば図１に示すバイオセンサ１を用い、その際、電極Ａは、第１作用極として、電極Ｂは第１対極として用いる。
【０３２３】
（ステップ１：検体（血液）の検知）
作用極と対極の両電極間に電圧を印加し、血液の導入に伴う電流値の変化により血液の導入を検知する。電流値が閾値を越えた場合、点着量の充満と判断する（Ｓ４）。点着量の充満後、「測定開始」を測定器に表示する（Ｓ５）。
【０３２４】
（ステップ２：Ｈｃｔ測定処理）
血液の導入を確認したら、以降のステップを開始する。図９における「ＨＣＴ測定処理」は、図１０を参照して説明する。作用極（第１作用極）と対極（第１対極）間へ電圧を印加する（Ｓ２１）。この電圧印加は、血液の導入を確認した後、０秒（すなわち、ただちに）〜０．５秒（すなわち、非常に短時間の後に）以内に開始され、かつ、０秒より長く０．７秒までの間（すなわち、比較的短い時間の間）、行う（Ｓ２２）。このときの電圧は、高電圧、例えば、１．５〜４．０Ｖである。本発明においては、この作用極と対極の両方は、酵素とメディエータとを含む試薬部と接している。この比較的短い時間の間、電圧を印加したのみでは、血液中のＧｌｕと酵素（例えば、Ｇｌｕ酸化還元酵素）との反応がほとんど進行しない。そのため、このような印加により、Ｇｌｕの電解酸化反応に依存しない、Ｈｃｔ値に依存する電流値を検出することができる(Ｓ２３)。そして、得られた電流値に基づき、Ｈｃｔ値を得る。なお、検出した電流値からＨｃｔ値への換算は、予め検量線または検量線テーブルを求めておくことにより行うことができる。この補正では、予め作成された電流値とＨｃｔ値との検量線から求めたＨｃｔ値を使用してもよいし、検出された電流値をそのまま使用してもよい。このステップにおいて、作用極および対極の両方にメディエータが配置されているため、Ｇｌｕ値測定と同様の環境下でＨｃｔ値を得ることができる。電圧印加を終了し（Ｓ２４）、Ｈｃｔ測定処理を終了する。
【０３２５】
［実施形態２］
図１１を用いて、Ｇｌｕ値を得る生体試料の成分を測定する方法を説明する。図１１は、この実施形態にかかる方法の動作フローチャートである。
【０３２６】
なお、この測定方法においては、例えば図４に示すバイオセンサ（第１バイオセンサ）を用いてもよい。その際、例えば、電極Ａは、ステップ２：Ｈｃｔ測定処理における作用極、電極Ｂは、ステップ２：Ｈｃｔ測定処理における対極、電極Ａは、ステップ３：見かけのＧｌｕ量の測定における作用極、電極Ｂは、ステップ３：見かけのＧｌｕ量の測定における対極として用いる。
【０３２７】
【表２２】
0006595122.tif 000023
【０３２８】
図１１に示す動作フローチャートのうち、Ｓ１からＳ６の工程は、図９に示す実施形態１のＳ１からＳ６の工程と同様である。図１１における「電流値測定処理」（Ｓ７）は、図１２を参照して説明する。
【０３２９】
（ステップ３：見かけのＧｌｕ量の測定）
血液中のＧｌｕとＧｌｕ酸化還元酵素とを一定時間反応させた後、作用極Ａ（第１作用極）と対極Ｂ（第１対極）の間に電圧を印加する（Ｓ３１）。このときの電圧は、例えば、０．１〜１．４Ｖである。この作用極Ａと対極Ｂの両方は、酵素とメディエータとを含む試薬部１１と接している。従って、電圧を印加中、そして、血液中のＧｌｕと酵素（例えば、Ｇｌｕ酸化還元酵素）とを一定時間反応させる。電圧の印加により、Ｇｌｕの電解酸化反応に基づくＧｌｕに依存する電流値を検出することができる(Ｓ３３)。電流値の測定は、１回であっても、複数回であってもよい。例えば、図１３（ａ）に示すような、印加時間と印加電圧の関係の場合、（１）の時点で測定した電流値を用いても、（２）の時点で測定した電流値を用いてもよい。または、図１３（ｂ）に示すような、印加時間と印加電圧の関係の場合、（１）の時点で測定した電流値、（２）の時点で測定した電流値、（３）の時点で測定した電流値、または（４）の時点で測定した電流値を用いてもよい。または、上記抽出した複数の所定時間における測定電流値や上記抽出した生体情報測定装置の温度情報などに基づいた複数のパラメータ（ｘ１，ｘ２，ｘ３・・・，ｘ１０）を算出し（「所定のパラメータを計算する」）、重回帰式（たとえば、下記式１）により、補正量を算出し、Ｇｌｕ値を算出する（Ｓ８）。
【０３３０】
【数１】
0006595122.tif 000024
【０３３１】
電流値を測定した後、所望であれば、さらに電流値を測定する。例えば、図１３（ａ）に示すような、印加時間と印加電圧の関係の場合、（１）の時点で電流値を測定し、（２）の時点でまた、電流値を測定してもよい。所望の回数、電流値を測定した後、電圧印加を停止し（Ｓ３４）、電流値測定を終了し（Ｓ３５）、電流値測定処理を終了する。
【０３３２】
（ステップ４：血液成分の補正）
ステップ２で得られたＨｃｔ値と、ステップ３で得られたＧｌｕに依存する電流値とを用いて、Ｇｌｕ値を得る（図１１、Ｓ８）。これは、予め作成した検量線（検量テーブルを含む）に基づき行うことが好ましい。得られたＧｌｕ量は、測定装置に表示若しくは記憶される(Ｓ９)。なお、上述のように一旦、Ｈｃｔ値を求めてからＧｌｕ量を補正するのではなく、ステップ２にて検出したＨｃｔ値に依存した電流値と、ステップ３で得られたＧｌｕに依存する電流値とを用いて、Ｇｌｕ値を得てもよい。その後、センサを廃棄し（Ｓ１１）、表示部などをオフした後、測定器もオフして（Ｓ１２）、生体試料の成分の測定を終了する（Ｓ１３）。
【０３３３】
すなわち、実施形態２においては、ステップ１：検体（血液）の検知、ステップ２：Ｈｃｔ測定処理、ステップ３：見かけのＧｌｕ量の測定およびステップ４：血液成分の補正をこの順番に行う。
【０３３４】
図１６ａおよび図１６ｂに実施形態２における印加電圧と印加時間の関係を示す。
【０３３５】
図１６ａにおいて、ステップ２のＨｃｔ測定処理は、血液の導入を確認した後、０秒に開始され、０．３秒までの０．３秒間の電圧印加により、行われている。このときは、１．５Ｖの電圧を印加している。そして、ステップ３の見かけのＧｌｕ量を測定するための電圧印加は、２回、行われている。具体的には、１秒から２．５秒までの１．５秒間、０．３５Ｖの電圧印加を、３．５秒から５秒までの１．５秒間、０．３５Ｖの電圧印加が行われている。
【０３３６】
図１６ｂにおいて、ステップ２のＨｃｔ測定処理は、血液の導入を確認した後、０．１秒に開始され、０．３秒までの０．２秒間の電圧印加により、行われている。このときは、１．５Ｖの電圧を印加している。そして、ステップ３の見かけのＧｌｕ量を測定するための電圧印加は、２回、行われている。具体的には、１秒から２．５秒までの１．５秒間、０．３５Ｖの電圧印加が、３．５秒から５秒までの１．５秒間、０．３５Ｖの電圧印加が行われている。
【０３３７】
［実施形態３］
図１４ａを用いて、Ｇｌｕ値を得る生体試料の成分を測定する別の方法を説明する。図１４ａは、この実施形態にかかる方法の動作フローチャートである。
【０３３８】
なお、この測定方法においては、例えば図４に示すバイオセンサ（第１バイオセンサ）を用いてもよい。その際、例えば、電極Ａは、ステップ２：Ｈｃｔ測定処理における作用極およびステップ５：２つめのＨｃｔ測定処理における対極、電極Ｂは、ステップ２：Ｈｃｔ測定処理における対極、電極Ａは、ステップ３：見かけのＧｌｕ量の測定における作用極、電極Ｂは、ステップ３：見かけのＧｌｕ量の測定における対極、電極Ｃは、ステップ５：２つめのＨｃｔ測定処理における作用極として用いる。
【０３３９】
【表２３】
0006595122.tif 000025
【０３４０】
図１４ａに示す動作フローチャートのうち、Ｓ１からＳ１３の工程は、図１１に示す実施形態２のＳ１からＳ１３の工程と同様である。図１４ａにおける「ＨＣＴ測定処理２」（図１４ａのＳ１４）は、図１４ｂを参照して説明する。
【０３４１】
（ステップ５：２つめのＨｃｔ測定処理）
このステップは、実施形態２におけるステップ３：見かけのＧｌｕ量の測定とステップ４：血液成分の補正の間に位置するステップである。
【０３４２】
まず、作用極Ｃ（第２作用極）と対極Ａ（第２対極）の間へ電圧を印加する（Ｓ４１）。このときの電圧は、例えば、１．５〜３．５Ｖである。本発明においては、この対極Ａは、酵素とメディエータとを含む試薬部と接している。一方、この作用極Ｃは、前記試薬部と接していない。この電圧印加では、血液中のＧｌｕと酵素（例えば、Ｇｌｕ酸化還元酵素）との反応がほとんど進行しない（Ｓ４２）。そのため、このような印加により、Ｇｌｕの電解酸化反応に依存しないＨｃｔ値に依存する電流値を検出することができる(Ｓ４３)。そして、得られた電流値に基づき、Ｈｃｔ値を得る。なお、検出した電流値からＨｃｔ値への換算は、予め検量線または検量線テーブルを求めておくことにより行うことができる。この補正では、予め作成された電流値とＨｃｔ値との検量線から求めたＨｃｔ値を使用してもよいし、検出された電流値をそのまま使用してもよい。電圧印加を終了し（Ｓ４４）、Ｈｃｔ測定処理を終了する。
【０３４３】
なお、この場合、ステップ４：血液成分の補正において、ステップ２で得られたＨｃｔ値と、ステップ５で得られたＨｃｔ値と、ステップ３で得られたＧｌｕに依存する電流値とを用いて、Ｇｌｕ値を得る（図１４ａ、Ｓ８）。このようなステップ５を追加した場合、キャピラリ全体の血液のＨｃｔ値を捉えることができるため、ステップ５を追加しない場合に比べて、より高精度にＧｌｕ値を測定することができる。
【０３４４】
すなわち、実施形態３においては、ステップ１：検体（血液）の検知、ステップ２：Ｈｃｔ測定処理、ステップ３：見かけのＧｌｕ量の測定、ステップ５：２つめのＨｃｔ測定処理およびステップ４：血液成分の補正をこの順番に行う。
【０３４５】
図１７ａと図１７ｂに実施形態３における印加電圧と印加時間の関係の例を示す。
【０３４６】
図１７ａにおいて、ステップ２のＨｃｔ測定処理は、血液の導入を確認した後、０秒に開始され、０．３秒までの０．３秒間の電圧印加により、行われている。このときは、１．５Ｖの電圧を印加している。そして、ステップ３の見かけのＧｌｕ量を測定するための電圧印加は、２回、行われている。具体的には、１秒から２．５秒までの１．５秒間、０．３５Ｖの電圧印加が、３．５秒から５秒までの１．５秒間、０．３５Ｖの電圧印加が行われている。そして、ステップ５の２つめのＨｃｔ測定処理は、６．５秒から７秒までの０．５秒間、２．５Ｖの電圧印加が行われている。
【０３４７】
図１７ｂにおいて、ステップ２のＨｃｔ測定処理は、血液の導入を確認した後、０．１秒に開始され、０．３秒までの０．２秒間の電圧印加により、行われている。このときは、１．５Ｖの電圧を印加している。そして、ステップ３の見かけのＧｌｕ量を測定するための電圧印加は、２回、行われている。具体的には、１秒から２．５秒までの１．５秒間、０．３５Ｖの電圧印加が、３．５秒から５秒までの１．５秒間、０．３５Ｖの電圧印加が行われている。そして、ステップ５の２つめのＨｃｔ測定処理は、６．５秒から７秒までの０．５秒間、２．５Ｖの電圧印加が行われている。
【０３４８】
［実施形態４］
図１５ａを用いて、Ｇｌｕ値を得る生体試料の成分を測定する別の方法を説明する。図１５ａは、この実施形態にかかる方法の動作フローチャートである。
【０３４９】
なお、この測定方法においては、例えば図６に示すバイオセンサ（第３バイオセンサ）を用いてもよい。その際、例えば、電極Ａは、ステップ２：Ｈｃｔ測定処理における作用極、ステップ３：見かけのＧｌｕ量の測定における作用極、ステップ５：２つめのＨｃｔ測定処理における対極、電極Ｂは、ステップ２：Ｈｃｔ測定処理における対極、ステップ３：見かけのＧｌｕ量の測定における対極、電極Ｃは、ステップ３：見かけのＧｌｕ量の測定における対極、ステップ６；Ｉｎｔ測定処理における対極およびステップ５：２つめのＨｃｔ測定処理における対極、電極Ｅは、ステップ３：見かけのＧｌｕ量の測定における対極、およびステップ６；Ｉｎｔ測定処理における対極、電極Ｇは、ステップ５：２つめのＨｃｔ測定処理における対極、電極Ｆは、ステップ６；Ｉｎｔ測定処理における作用極、ステップ５：２つめのＨｃｔ測定処理における作用極として用いる。
【０３５０】
前記ステップ６：Ｉｎｔ測定処理においては、試薬層と接していない電極（例えば電極Ｆ）を作用極として用い、試薬層と接している電極（例えば、電極Ｂ、Ｃ、Ｅ）を対極として用いることができる。さらに、ステップ６：Ｉｎｔ測定処理において用いる対極とステップ３：見かけのＧｌｕ量の測定において用いる対極とは同じ電極を用いるのが好ましい。
【０３５１】
【表２４】
0006595122.tif 000026
【０３５２】
図１５ａに示す動作フローチャートのうち、Ｓ１からＳ１３の工程は、図１１に示す実施形態２のＳ１からＳ１３の工程と同様である。図１５ａにおける「ＨＣＴ測定処理２」（図１５ａのＳ１４）は、図１４ｂに示す実施形態３のＳ１４の工程と同様である。図１５ａにおける「ＩＮＴ測定処理」（図１５ａのＳ１５）を、図１５ｂを参照して説明する。
【０３５３】
（ステップ６：Ｉｎｔ測定処理）
このステップは、実施形態３におけるステップ３：見かけのＧｌｕ量の測定とステップ５：Ｈｃｔ測定処理２との間に位置するステップである。
【０３５４】
まず、作用極Ｆ（第６作用極）と対極ＢＡ（第６対極）、Ｃ（第６対極）、Ｅ（第６対極）の間へ電圧を印加する（Ｓ５１）。このときの電圧は、ステップ２におけるＳ２１やステップ５におけるＳ４１のようなＨｃｔ測定処理における電圧より低く、例えば、０．１〜１．４Ｖである。本発明においては、この対極Ａは、酵素とメディエータとを含む試薬部と接している。一方、この作用極Ｃは、前記試薬部と接していない。この電圧印加では、妨害物質（尿酸やアセトアミノフェン等。Ｉｎｔと略する。）に依存する電流値を検出することができる（Ｓ５３）。そして、得られた電流値に基づき、Ｉｎｔ値を得る。なお、検出した電流値からＩｎｔ値への換算は、予め検量線または検量線テーブルを求めておくことにより行うことができる。この補正では、予め作成された電流値とＩｎｔ値との検量線から求めたＩｎｔ値を使用してもよいし、検出された電流値をそのまま使用してもよい。電圧印加を終了し（Ｓ５４）、Ｉｎｔ測定処理を終了する。
【０３５５】
なお、この場合、ステップ４：血液成分の補正において、ステップ２で得られたＨｃｔ値と、ステップ５で得られたＨｃｔ値と、ステップ３で得られたＧｌｕに依存する電流値と、ステップ６で得られたＩｎｔ値とを用いて、Ｇｌｕ値を得る（図１５ａ、Ｓ８）。このようなステップ６を追加した場合、キャピラリ全体の血液のＩｎｔ値を捉えることができるため、ステップ６を追加しない場合に比べて、より高精度にＧｌｕ値を測定することができる。
【０３５６】
すなわち、実施形態４においては、ステップ１：検体（血液）の検知、ステップ２：Ｈｃｔ測定処理、ステップ３：見かけのＧｌｕ量の測定、ステップ６：Ｉｎｔ測定処理、ステップ５：２つめのＨｃｔ測定処理およびステップ４：血液成分の補正およびをこの順番に行う。
【０３５７】
図１８ａに実施形態４における印加電圧と印加時間の関係の例を示す。
【０３５８】
図１８ａにおいて、ステップ２のＨｃｔ測定処理は、血液の導入を確認した後、０秒に開始され、０．３秒までの０．３秒間の電圧印加により、行われている。このときは、１．５Ｖの電圧を印加している。そして、ステップ３の見かけのＧｌｕ量を測定するための電圧印加は、２回、行われている。具体的には、１秒から２秒までの１秒間、０．３５Ｖの電圧印加が、３秒から４秒までの１秒間、０．３５Ｖの電圧印加が行われている。そして、ステップ６のＩｎｔ測定処理は、５秒から６秒までの１秒間、１．０Ｖの電圧印加が行われている。最後に、ステップ５の２つめのＨｃｔ測定処理は、６．５秒から７秒までの０．５秒間、２．５Ｖの電圧印加が行われている。
【０３５９】
［実施形態５］
図１５ａを用いて、Ｇｌｕ値を得る生体試料の成分を測定するさらに別の方法を説明する。図１５ａは、実施形態４にかかる方法の動作フローチャートであるが、ＨＣＴ測定処理２（Ｓ１４）と最終グルコース値補正＆演算（Ｓ８）の間に、さらにＨＣＴ測定処理１（Ｓ６）追加して、実施形態５の方法を実施する。
【０３６０】
なお、この測定方法においては、例えば図６に示すバイオセンサ（第３バイオセンサ）を用いてもよい。その際、例えば、電極Ａは、ステップ２：Ｈｃｔ測定処理における対極、ステップ３：見かけのＧｌｕ量の測定における対極、ステップ５：２つめのＨｃｔ測定処理における対極およびステップ６；Ｉｎｔ測定処理における対極、電極Ｂは、ステップ２：Ｈｃｔ測定処理における作用極、ステップ３：見かけのＧｌｕ量の測定における作用極、およびステップ５：２つめのＨｃｔ測定処理における対極、電極Ｃは、ステップ３：見かけのＧｌｕ量の測定における対極、ステップ５：２つめのＨｃｔ測定処理における対極およびステップ６；Ｉｎｔ測定処理における対極、電極Ｅは、ステップ３：見かけのＧｌｕ量の測定における対極、およびステップ６；Ｉｎｔ測定処理における対極、電極Ｇは、ステップ３：見かけのＧｌｕ量の測定における作用極、およびステップ５：２つめのＨｃｔ測定処理における対極、電極Ｆは、ステップ５：２つめのＨｃｔ測定処理における作用極およびステップ６；Ｉｎｔ測定処理における作用極として用いる。
【０３６１】
前記ステップ６：Ｉｎｔ測定処理においては、試薬層と接していない電極（例えば電極Ｆ）を作用極として用い、試薬層と接している電極（例えば、電極Ａ、Ｃ、Ｅ）を対極として用いることができる。さらに、ステップ６：Ｉｎｔ測定処理において用いる対極とステップ３：見かけのＧｌｕ量の測定において用いる対極とは同じ電極を用いるのが好ましい。
【０３６２】
ステップ３：見かけのＧｌｕ量の測定において、複数回、電圧印加を行うことができる。その際、対極は同じ極（例えば、電極Ａ、電極Ｃ、電極Ｅ）を用い、作用極としては、試薬層と接している極のうち異なる電極（例えば電極Ｂと電極Ｇ）をそれぞれ用いることができる。そうすると、バイオセンサ全体のＧｌｕに関する電流値を得ることができるため、好ましい。
【０３６３】
【表２５】
0006595122.tif 000027
【０３６４】
図１５ａに示す動作フローチャートのうち、Ｓ１からＳ１３の工程は、図１１に示す実施形態２のＳ１からＳ１３の工程と同様である。図１５ａにおける「ＨＣＴ測定処理２」（図１５ａのＳ１４）は、図１４ｂに示す実施形態３のＳ１４の工程と同様である。ＨＣＴ測定処理２（Ｓ１４）と最終グルコース値補正＆演算（Ｓ８）の間で、さらに実施するＨＣＴ測定処理１（Ｓ６）は、図１１に示す実施形態２のＨＣＴ測定処理（Ｓ６）と同様である。
【０３６５】
なお、この場合、ステップ４：血液成分の補正において、２回のステップ２で得られたＨｃｔ値と、ステップ５で得られたＨｃｔ値と、ステップ３で得られたＧｌｕに依存する電流値と、ステップ６で得られたＩｎｔ値とを用いて、Ｇｌｕ値を得る（図１５ａ、Ｓ８）。このようなステップ６を追加した場合、キャピラリ全体の血液のＩｎｔ値を捉えることができるため、ステップ６を追加しない場合に比べて、より高精度にＧｌｕ値を測定することができる。また、ステップ２を２回行うことにより、キャピラリ内の血液の状態をより正確に把握できるため、より高精度にＧｌｕ値を測定することができるという効果が得られる。
【０３６６】
すなわち、実施形態５においては、ステップ１：検体（血液）の検知、ステップ２：Ｈｃｔ測定処理、ステップ３：見かけのＧｌｕ量の測定、ステップ６：Ｉｎｔ測定処理、ステップ５：２つめのＨｃｔ測定処理、さらなるステップ２：Ｈｃｔ測定処理、およびステップ４：血液成分の補正およびをこの順番に行う。
【０３６７】
図１８ｂに実施形態５における印加電圧と印加時間の関係の例を示す。
【０３６８】
図１８ｂにおいて、ステップ２のＨｃｔ測定処理は、血液の導入を確認した後、０秒に開始され、０．３秒までの０．３秒間の電圧印加により、行われている。このときは、１．５Ｖの電圧を印加している。そして、ステップ３の見かけのＧｌｕ量を測定するための電圧印加は、２回、行われている。具体的には、１秒から２秒までの１秒間、０．３５Ｖの電圧印加が、３秒から４秒までの１秒間、０．３５Ｖの電圧印加が行われている。そして、ステップ６のＩｎｔ測定処理は、４．５秒から５．５秒までの１秒間、１．０Ｖの電圧印加が行われている。そして、ステップ５の２つめのＨｃｔ測定処理は、６秒から６．５秒までの０．５秒間、２．５Ｖの電圧印加が行われている。最後に、２回目のステップ２のＨｃｔ測定処理は、７秒から７．５秒までの０．５秒間、１．５Ｖの電圧印加が行われている。
【０３６９】
次に、本発明の生体試料の成分を測定する方法の実施例について、図面に基づき説明する。なお、図２０ａ〜図１２７ｂにおいて、「０」のカーブはＨｃｔ値０％、「４２」のカーブはＨｃｔ値４２％、「７０」のカーブはＨｃｔ値７０％、「４５」のカーブはＧｌｕ値４５ｍｇ／ｄｌ、「５５０」のカーブはＧｌｕ値５５０ｍｇ／ｄｌの場合のカーブを意味する。
【０３７０】
［実施例１］
図１、図２および図３に、本発明の測定方法において用いる血液成分測定用センサの一例を示す。図１は、前記センサの分解斜視図であり、図２は断面図であり、図３は平面図であり、前記三図において、同一部分には同一符号を付している。このセンサは、一例として、血液成分としてＧｌｕを測定するためのセンサである。
【０３７１】
図示のように、このセンサ１は、絶縁基板１０１の上に、２個の電極ＡおよびＢが形成されている。これらの電極の間隔は、１００〜１６００μｍであり、作用極と対極に切り換え可能である。電極Ａと電極Ｂの面積は、０．０５５〜１．１ｍｍ2である。電極ＡおよびＢの表面は、ＣＭＣ等の高分子材料で被覆されている。電極ＡおよびＢの一部を覆うように試薬層１１が配置されている。試薬層１１は、グルコースデヒドロゲナーゼ等の酸化還元酵素、フェナンスレンキノン（９，１０−フェナンスレンキノン）、３−フェニルイミノ−３Ｈ−フェノチアジンまたは、フェリシアン化カリウム等のメディエータを含み、任意成分として、酵素安定化剤、結晶均質化剤、高分子等を含む。前記絶縁基板１０１の上には、一方の端部（図において右側端部）を残してスペーサ１０２を介しカバー１０３が配置されている。このセンサ１には、各電極（ＡおよびＢ）に血液を導入するために、絶縁基板１０１、スペーサ１０２およびカバー１０３から成る流路１４が形成されている。この流路１４の先端は、センサ１の他方の端部（図において左側端部）まで延伸しており、外部に対し開口することで生体試料供給口１２となっている。前記２個の電極（ＡおよびＢ）は各々リードと連結し、これらのリードは、前記一方の端部側（図において右側端部）に延びており、リードの先端はカバー１０３に覆われずに露出している。前記カバー１０３において、流路１４の右側端部に対応する部分には、空気孔１３が形成されている。
【０３７２】
本発明において、前記絶縁基板１０１の材質は、ポリエチレンテレフタラートである。絶縁基板１０１の大きさは、全長１０〜３０ｍｍ、幅３〜１０ｍｍ、厚み０．１〜０．６ｍｍである。前記絶縁基板の材質および大きさについては、後述の実施例２〜９３においても同様である。
【０３７３】
絶縁基板上の電極およびリードは、パラジウムを材料として、スパッタリング法により導電層を形成し、これをレーザーにより特定の電極パターンに加工することで形成した。レーザーとしては、グリーンレーザを使用した。また、作用極と対極の間の距離は、１０００μｍとした。これについても、後述の実施例２〜９３において同様である。
【０３７４】
前記試薬層１１は、次のようにして形成する。グルコースデヒドロゲナーゼを０．１〜５Ｕ／センサ、フェナンスレンキノン（９，１０−フェナンスレンキノン）、３−フェニルイミノ−３Ｈ−フェノチアジンまたは、フェリシアン化カリウムを１０〜３００ｍＭ、マルチトールを１〜５０ｍＭ、タウリンを２０〜２００ｍＭ、ＣＭＣを０．０１-２重量％含む水溶液を円形のスリット部２０（図示せず）に滴下し、乾燥させる。このスリット部２０を設置することで、滴下された水溶液の拡がりを抑制することができ、試薬層１１をより正確な位置に配置することができる。これにより、電極Ａおよび電極Ｂが形成する電極部の一部を覆うように試薬層１１が形成される。前記乾燥は、乾燥機を用いて行った。
【０３７５】
本発明において、スペーサ１０２の材質は、絶縁基板と同様の材料である。また、スペーサ１０２の大きさは、全長１０〜３０ｍｍ、幅３〜１０ｍｍ、厚み０．０５〜０．２５ｍｍである。この例のスペーサ１０２には、血液導入のための流路となるＩ字形状の切欠部が形成されているが、その大きさは、全長１．０〜５．０ｍｍ、幅０．５〜２．０ｍｍである。この切欠部は、金型を使用して形成した。前記スペーサ１０２の材質および大きさ並びに切欠部については、後述の実施例２〜９３においても同様である。
【０３７６】
本発明において、カバー１０３の材質は、絶縁基板と同様の材料である。カバー１０３の血液を導入するための流路の天井部に相当する部分は、親水処理した。親水処理としては、界面活性剤を塗布する方法により行った。カバー１０３の大きさは、全長１５〜３０ｍｍ、幅５〜１０ｍｍ、厚み０．０５〜０．１ｍｍである。カバー１０３には空気孔が形成され、その形状は、円形である。その大きさは、最大直径０．１〜２．０ｍｍである。前記カバー１０３の材質および大きさ並びに空気孔１３については、後述の実施例２〜９３においても同様である。
【０３７７】
さらに、このセンサ１は、絶縁基板、スペーサ１０２およびカバー１０３をこの順序で積層し、一体化することにより製造した。前記３つの部材は、熱硬化性接着剤で貼り合わせることにより一体化した。これについても、後述の実施例２〜１０８において同様である。
【０３７８】
このセンサ１を用いた血液成分量、例えば、血糖値の測定は、次のようにして実施される。Ｈｃｔ値を０％、４２％、または７０％に調整した、３種類の血液試料を、Ｇｌｕ濃度２種類、すなわち４５ｍｇ／ｄＬまたは５５０ｍｇ／ｄＬについて、準備した。これらの６つの血液試料について、前記センサ１により、血液試料導入の検知後０秒から０．１秒までの０．１秒間、電極Ａおよび電極Ｂ間に電圧１．５Ｖを印加した（図１９（ａ）参照）。各センサの作用極と対極との間に流れる電流を測定し、Ｈｃｔ値の測定における応答電流値および感度差の測定を行った（図２０ａ〜ｄ参照）。図２０ａは、実施例１のＧｌｕ濃度が４５ｍｇ／ｄｌ（Ｈｃｔ値０％、４２％、７０％）の血液試料について、印加電圧に対する応答電流値の経時変化を表すグラフであり、図２０ｂは、実施例１のＧｌｕ濃度が５５０ｍｇ／ｄｌ（Ｈｃｔ値０％、４２％、７０％）の血液試料について、印加電圧に対する応答電流値の経時変化を表すグラフであり、図２０ａおよび図２０ｂは夫々、試薬が配置されている電極Ａおよび電極Ｂ間に５秒間電圧を１．５Ｖ印加し、印加電圧に対する応答電流値の経時変化を表すグラフである。図２０ｃは、実施例１のＨｃｔ４２％を基準にした、Ｇｌｕ値４５ｍｇ／ｄｌ、５５０ｍｇ／ｄｌそれぞれの場合の感度差（％）のグラフであり、図２０ｄは、実施例１のＧｌｕ４５ｍｇ／ｄｌを基準にした、Ｈｃｔ値０％、４２％、７０％それぞれの場合の感度差（％）のグラフであり、図２０ｃおよび図２０ｄは夫々、検知後０秒から０．１秒時点でのそれぞれの場合の感度差を示したグラフである。
【０３７９】
［実施例２］
血液試料導入の検知後０．０５秒後に開始し、０．１５秒までの０．１秒間、電極Ａおよび電極Ｂ間に電圧１．５Ｖを印加した以外は、実施例１と同様にして行った（図１９（ｂ）参照）。各センサ１の作用極と対極との間に流れる電流を測定し、Ｈｃｔ値の測定における応答電流値および感度差の測定を行った（図２１ａ〜ｄ参照）。図２１ａは、実施例２のＧｌｕ濃度が４５ｍｇ／ｄｌ（Ｈｃｔ値０％、４２％、７０％）の血液試料について、印加電圧に対する応答電流値の経時変化を表すグラフであり、図２１ｂは、実施例２のＧｌｕ濃度が５５０ｍｇ／ｄｌ（Ｈｃｔ値０％、４２％、７０％）の血液試料について、印加電圧に対する応答電流値の経時変化を表すグラフであり、図２１ａおよび図２１ｂは夫々、試薬が配置されている電極Ａおよび電極Ｂ間に５秒間電圧を１．５Ｖ印加し、印加電圧に対する応答電流値の経時変化を表すグラフである。図２１ｃは、実施例２のＨｃｔ４２％を基準にした、Ｇｌｕ値４５ｍｇ／ｄｌ、５５０ｍｇ／ｄｌそれぞれの場合の感度差（％）のグラフであり、図２１ｄは、実施例２のＧｌｕ４５ｍｇ／ｄｌを基準にした、Ｈｃｔ値０％、４２％、７０％それぞれの場合の感度差（％）のグラフであり、図２１ｃおよび図２１ｄは夫々、検知後０．０５秒から０．１５秒時点でのそれぞれの場合の感度差を示したグラフである。
【０３８０】
［実施例３］
血液試料導入の検知後０．１秒後に開始し、０．２秒までの０．１秒間、電極Ａおよび電極Ｂ間に電圧１．５Ｖを印加した以外は、実施例１と同様にして行った。各センサ１の作用極と対極との間に流れる電流を測定し、Ｈｃｔ値の測定における応答電流値および感度差の測定を行った（図２２ａ〜ｄ参照）。図２２ａは、実施例３のＧｌｕ濃度が４５ｍｇ／ｄｌ（Ｈｃｔ値０％、４２％、７０％）の血液試料について、印加電圧に対する応答電流値の経時変化を表すグラフであり、図２２ｂは、実施例３のＧｌｕ濃度が５５０ｍｇ／ｄｌ（Ｈｃｔ値０％、４２％、７０％）の血液試料について、印加電圧に対する応答電流値の経時変化を表すグラフであり、図２２ａおよび図２２ｂは夫々、試薬が配置されている電極Ａおよび電極Ｂ間に５秒間電圧を１．５Ｖ印加し、印加電圧に対する応答電流値の経時変化を表すグラフである。図２２ｃは、実施例３のＨｃｔ４２％を基準にした、Ｇｌｕ値４５ｍｇ／ｄｌ、５５０ｍｇ／ｄｌそれぞれの場合の感度差（％）のグラフであり、図２２ｄは、実施例３のＧｌｕ４５ｍｇ／ｄｌを基準にした、Ｈｃｔ値０％、４２％、７０％それぞれの場合の感度差（％）のグラフであり、図２２ｃおよび図２２ｄは夫々、検知後０．１秒から０．２秒時点でのそれぞれの場合の感度差を示したグラフである。
【０３８１】
［実施例４］
血液試料導入の検知後０．５秒後に開始し、０．６秒までの０．１秒間、電極Ａおよび電極Ｂ間に電圧１．５Ｖを印加した以外は、実施例１と同様にして行った。各センサ１の作用極と対極との間に流れる電流を測定し、Ｈｃｔ値の測定における応答電流値および感度差の測定を行った（図２３ａ〜ｄ参照）。図２３ａは、実施例４のＧｌｕ濃度が４５ｍｇ／ｄｌ（Ｈｃｔ値０％、４２％、７０％）の血液試料について、印加電圧に対する応答電流値の経時変化を表すグラフであり、図２３ｂは、実施例４のＧｌｕ濃度が５５０ｍｇ／ｄｌ（Ｈｃｔ値０％、４２％、７０％）の血液試料について、印加電圧に対する応答電流値の経時変化を表すグラフであり、図２３ａおよび図２３ｂは夫々、試薬が配置されている電極Ａおよび電極Ｂ間に５秒間電圧を１．５Ｖ印加し、印加電圧に対する応答電流値の経時変化を表すグラフである。図２３ｃは、実施例４のＨｃｔ４２％を基準にした、Ｇｌｕ値４５ｍｇ／ｄｌ、５５０ｍｇ／ｄｌそれぞれの場合の感度差（％）のグラフであり、図２３ｄは、実施例４のＧｌｕ４５ｍｇ／ｄｌを基準にした、Ｈｃｔ値０％、４２％、７０％それぞれの場合の感度差（％）のグラフであり、図２３ｃおよび図２３ｄは夫々、検知後０．５秒から０．６秒時点でのそれぞれの場合の感度差を示したグラフである。
【０３８２】
［比較例１］
血液試料導入の検知後１秒後に開始し、１．１秒までの０．１秒間、電極Ａおよび電極Ｂ間に電圧１．５Ｖを印加した以外は、実施例１と同様にして行った。各センサ１の作用極と対極との間に流れる電流を測定し、Ｈｃｔ値の測定における応答電流値および感度差の測定を行った（図２４ａ〜ｄ参照）。図２４ａは、比較例１のＧｌｕ濃度が４５ｍｇ／ｄｌ（Ｈｃｔ値０％、４２％、７０％）の血液試料について、印加電圧に対する応答電流値の経時変化を表すグラフであり、図２４ｂは、比較例１のＧｌｕ濃度が５５０ｍｇ／ｄｌ（Ｈｃｔ値０％、４２％、７０％）の血液試料について、印加電圧に対する応答電流値の経時変化を表すグラフであり、図２４ａおよび図２４ｂは夫々、試薬が配置されている電極Ａおよび電極Ｂ間に５秒間電圧を１．５Ｖ印加し、印加電圧に対する応答電流値の経時変化を表すグラフである。図２４ｃは、比較例１のＨｃｔ４２％を基準にした、Ｇｌｕ値４５ｍｇ／ｄｌ、５５０ｍｇ／ｄｌそれぞれの場合の感度差（％）のグラフであり、図２４ｄは、比較例１のＧｌｕ４５ｍｇ／ｄｌを基準にした、Ｈｃｔ値０％、４２％、７０％それぞれの場合の感度差（％）のグラフであり、図２４ｃおよび図２４ｄは夫々、検知後１秒から１．１秒時点でのそれぞれの場合の感度差を示したグラフである。
【０３８３】
［比較例２］
血液試料導入の検知後２秒後に開始し、２．１秒までの０．１秒間、電極Ａおよび電極Ｂ間に電圧１．５Ｖを印加した以外は、実施例１と同様にして行った。各センサ１の作用極と対極との間に流れる電流を測定し、Ｈｃｔ値の測定における応答電流値および感度差の測定を行った（図２５ａ〜ｄ参照）。図２５ａは、比較例２のＧｌｕ濃度が４５ｍｇ／ｄｌ（Ｈｃｔ値０％、４２％、７０％）の血液試料について、印加電圧に対する応答電流値の経時変化を表すグラフであり、図２５ｂは、比較例２のＧｌｕ濃度が５５０ｍｇ／ｄｌ（Ｈｃｔ値０％、４２％、７０％）の血液試料について、印加電圧に対する応答電流値の経時変化を表すグラフであり、図２５ａおよび図２５ｂは夫々、試薬が配置されている電極Ａおよび電極Ｂ間に５秒間電圧を１．５Ｖ印加し、印加電圧に対する応答電流値の経時変化を表すグラフである。図２５ｃは、比較例２のＨｃｔ４２％を基準にした、Ｇｌｕ値４５ｍｇ／ｄｌ、５５０ｍｇ／ｄｌそれぞれの場合の感度差（％）のグラフであり、図２５ｄは、比較例２のＧｌｕ４５ｍｇ／ｄｌを基準にした、Ｈｃｔ値０％、４２％、７０％それぞれの場合の感度差（％）のグラフであり、図２５ｃおよび図２５ｄは夫々、検知後２秒から２．１秒時点でのそれぞれの場合の感度差を示したグラフである。
【０３８４】
実施例１〜４および比較例１〜２から、生体試料の導入検知後０秒〜０．５秒以内に作用極と対極へ電圧１．５Ｖを０．１秒間印加した際、得られる電流値の感度は良好であり、その電流値に基づき得られるＨｃｔ値の精度が高いことが確認できた。血液導入開始後、印加開始までの時間を、０〜２秒までに変更して感度差のグラフを確認したが、時間が長くなる毎に、徐々にグルコース濃度の影響が大きくなるのが分かった。特に、比較例２にあるように印加開始までの時間が２秒の際には、図２５ｄのように、特にＧｌｕ５５０ｍｇ／ｄｌを基準にした、Ｈｃｔ値０％、４２％、７０％の感度差のグラフに乖離が見受けられた。
【０３８５】
［実施例５]
血液試料導入の検知後０秒から０．１秒までの０．１秒間、電極Ａおよび電極Ｂ間に電圧２．０Ｖを印加した以外は、実施例１と同様にして行った。各センサ１の作用極と対極との間に流れる電流を測定し、Ｈｃｔ値の測定における応答電流値および感度差の測定を行った（図２６ａ〜ｄ参照）。図２６ａは、実施例５のＧｌｕ濃度が４５ｍｇ／ｄｌ（Ｈｃｔ値０％、４２％、７０％）の血液試料について、印加電圧に対する応答電流値の経時変化を表すグラフであり、図２６ｂは、実施例５のＧｌｕ濃度が５５０ｍｇ／ｄｌ（Ｈｃｔ値０％、４２％、７０％）の血液試料について、印加電圧に対する応答電流値の経時変化を表すグラフであり、図２６ａおよび図２６ｂは夫々、試薬が配置されている電極Ａおよび電極Ｂ間に５秒間電圧を２．０Ｖ印加し、印加電圧に対する応答電流値の経時変化を表すグラフである。
図２６ｃは、実施例５のＨｃｔ４２％を基準にした、Ｇｌｕ値４５ｍｇ／ｄｌ、５５０ｍｇ／ｄｌそれぞれの場合の感度差（％）のグラフであり、図２６ｄは、実施例５のＧｌｕ４５ｍｇ／ｄｌを基準にした、Ｈｃｔ値０％、４２％、７０％それぞれの場合の感度差（％）のグラフであり、図２６ｃおよび図２６ｄは夫々、検知後０秒から０．１秒時点でのそれぞれの場合の感度差を示したグラフである。
【０３８６】
［実施例６］
血液試料導入の検知後０．０５秒後に開始し、０．１５秒までの０．１秒間、電極Ａおよび電極Ｂ間に電圧２．０Ｖを印加した以外は、実施例５と同様にして行った。各センサ１の作用極と対極との間に流れる電流を測定し、Ｈｃｔ値の測定における応答電流値および感度差の測定を行った（図２７ａ〜ｄ参照）。図２７ａは、実施例６のＧｌｕ濃度が４５ｍｇ／ｄｌ（Ｈｃｔ値０％、４２％、７０％）の血液試料について、印加電圧に対する応答電流値の経時変化を表すグラフであり、図２７ｂは、実施例６のＧｌｕ濃度が５５０ｍｇ／ｄｌ（Ｈｃｔ値０％、４２％、７０％）の血液試料について、印加電圧に対する応答電流値の経時変化を表すグラフであり、図２７ａおよび図２７ｂは夫々、試薬が配置されている電極Ａおよび電極Ｂ間に５秒間電圧を２．０Ｖ印加し、印加電圧に対する応答電流値の経時変化を表すグラフである。図２７ｃは、実施例６のＨｃｔ４２％を基準にした、Ｇｌｕ値４５ｍｇ／ｄｌ、５５０ｍｇ／ｄｌそれぞれの場合の感度差（％）のグラフであり、図２７ｄは、実施例６のＧｌｕ４５ｍｇ／ｄｌを基準にした、Ｈｃｔ値０％、４２％、７０％それぞれの場合の感度差（％）のグラフであり、図２７ｃおよび図２７ｄは夫々、検知後０．０５秒から０．１５秒時点でのそれぞれの場合の感度差を示したグラフである。
【０３８７】
［実施例７］
血液試料導入の検知後０．１秒後に開始し、０．２秒までの０．１秒間、電極Ａおよび電極Ｂ間に電圧２．０Ｖを印加した以外は、実施例５と同様にして行った。各センサ１の作用極と対極との間に流れる電流を測定し、Ｈｃｔ値の測定における応答電流値および感度差の測定を行った（図２８ａ〜ｄ参照）。図２８ａは、実施例７のＧｌｕ濃度が４５ｍｇ／ｄｌ（Ｈｃｔ値０％、４２％、７０％）の血液試料について、印加電圧に対する応答電流値の経時変化を表すグラフであり、図２８ｂは、実施例７のＧｌｕ濃度が５５０ｍｇ／ｄｌ（Ｈｃｔ値０％、４２％、７０％）の血液試料について、印加電圧に対する応答電流値の経時変化を表すグラフであり、図２８ａおよび図２８ｂは夫々、試薬が配置されている電極Ａおよび電極Ｂ間に５秒間電圧を２．０Ｖ印加し、印加電圧に対する応答電流値の経時変化を表すグラフである。図２８ｃは、実施例７のＨｃｔ４２％を基準にした、Ｇｌｕ値４５ｍｇ／ｄｌ、５５０ｍｇ／ｄｌそれぞれの場合の感度差（％）のグラフであり、図２８ｄは、実施例７のＧｌｕ４５ｍｇ／ｄｌを基準にした、Ｈｃｔ値０％、４２％、７０％それぞれの場合の感度差（％）のグラフであり、図２８ｃおよび図２８ｄは夫々、検知後０．１秒から０．２秒時点でのそれぞれの場合の感度差を示したグラフである。
【０３８８】
［実施例８］
血液試料導入の検知後０．５秒後に開始し、０．６秒までの０．１秒間、電極Ａおよび電極Ｂ間に電圧２．０Ｖを印加した以外は、実施例５と同様にして行った。各センサ１の作用極と対極との間に流れる電流を測定し、Ｈｃｔ値の測定における応答電流値および感度差の測定を行った（図２９ａ〜ｄ参照）。図２９ａは、実施例８のＧｌｕ濃度が４５ｍｇ／ｄｌ（Ｈｃｔ値０％、４２％、７０％）の血液試料について、印加電圧に対する応答電流値の経時変化を表すグラフであり、図２９ｂは、実施例８のＧｌｕ濃度が５５０ｍｇ／ｄｌ（Ｈｃｔ値０％、４２％、７０％）の血液試料について、印加電圧に対する応答電流値の経時変化を表すグラフであり、図２９ａおよび図２９ｂは夫々、試薬が配置されている電極Ａおよび電極Ｂ間に５秒間電圧を２．０Ｖ印加し、印加電圧に対する応答電流値の経時変化を表すグラフである。図２９ｃは、実施例８のＨｃｔ４２％を基準にした、Ｇｌｕ値４５ｍｇ／ｄｌ、５５０ｍｇ／ｄｌそれぞれの場合の感度差（％）のグラフであり、図２９ｄは、実施例８のＧｌｕ４５ｍｇ／ｄｌを基準にした、Ｈｃｔ値０％、４２％、７０％それぞれの場合の感度差（％）のグラフであり、図２９ｃおよび図２９ｄは夫々、検知後０．５秒から０．６秒時点でのそれぞれの場合の感度差を示したグラフである。
【０３８９】
［比較例３］
血液試料導入の検知後４秒後に開始し、４．１秒までの０．１秒間、電極Ａおよび電極Ｂ間に電圧２．０Ｖを印加した以外は、実施例５と同様にして行った。各センサ１の作用極と対極との間に流れる電流を測定し、Ｈｃｔ値の測定における応答電流値および感度差の測定を行った（図３３ａ〜ｄ参照）。図３３ａは、比較例３のＧｌｕ濃度が４５ｍｇ／ｄｌ（Ｈｃｔ値０％、４２％、７０％）の血液試料について、印加電圧に対する応答電流値の経時変化を表すグラフであり、図３３ｂは、比較例３のＧｌｕ濃度が５５０ｍｇ／ｄｌ（Ｈｃｔ値０％、４２％、７０％）の血液試料について、印加電圧に対する応答電流値の経時変化を表すグラフであり、図３３ａおよび図３３ｂは夫々、試薬が配置されている電極Ａおよび電極Ｂ間に５秒間電圧を２．０Ｖ印加し、印加電圧に対する応答電流値の経時変化を表すグラフである。図３３ｃは、比較例３のＨｃｔ４２％を基準にした、Ｇｌｕ値４５ｍｇ／ｄｌ、５５０ｍｇ／ｄｌそれぞれの場合の感度差（％）のグラフであり、図３３ｄは、比較例３のＧｌｕ４５ｍｇ／ｄｌを基準にした、Ｈｃｔ値０％、４２％、７０％それぞれの場合の感度差（％）のグラフであり、図３３ｃおよび図３３ｄは夫々、検知後４秒から４．１秒時点でのそれぞれの場合の感度差を示したグラフである。
【０３９０】
実施例５〜８および比較例３から、生体試料の導入検知後０秒〜０．５秒以内に作用極と対極へ電圧２．０Ｖを０．１秒間印加した際、得られる電流値の感度は良好であり、その電流値に基づき得られるＨｃｔ値の精度が高いことが確認できた。血液導入開始後、印加開始までの時間を、０〜４秒までに変更して感度差のグラフを確認したが、時間が長くなる毎に、徐々にグルコース濃度の影響が大きくなるのが分かった。特に、比較例３にあるように印加開始までの時間が４秒の際には、図３３ｄのように、特にＧｌｕ５５０ｍｇ／ｄｌを基準にした、Ｈｃｔ値０％、４２％、７０％の感度差のグラフに乖離が見受けられた。
【０３９１】
［実施例９]
血液試料導入の検知後０秒から０．１秒までの０．１秒間、電極Ａおよび電極Ｂ間に電圧２．５Ｖを印加した以外は実施例１と同様にして行った。各センサ１の作用極と対極との間に流れる電流を測定し、Ｈｃｔ値の測定における応答電流値および感度差の測定を行った（図３１ａ〜ｄ参照）。図３１ａは、実施例９のＧｌｕ濃度が４５ｍｇ／ｄｌ（Ｈｃｔ値０％、４２％、７０％）の血液試料について、印加電圧に対する応答電流値の経時変化を表すグラフであり、図３１ｂは、実施例９のＧｌｕ濃度が５５０ｍｇ／ｄｌ（Ｈｃｔ値０％、４２％、７０％）の血液試料について、印加電圧に対する応答電流値の経時変化を表すグラフであり、図３１ａおよび図３１ｂは夫々、試薬が配置されている電極Ａおよび電極Ｂ間に５秒間電圧を２．５Ｖ印加し、印加電圧に対する応答電流値の経時変化を表すグラフである。図３１ｃは、実施例９のＨｃｔ４２％を基準にした、Ｇｌｕ値４５ｍｇ／ｄｌ、５５０ｍｇ／ｄｌそれぞれの場合の感度差（％）のグラフであり、図３１ｄは、実施例９のＧｌｕ４５ｍｇ／ｄｌを基準にした、Ｈｃｔ値０％、４２％、７０％それぞれの場合の感度差（％）のグラフであり、図３１ｃおよび図３１ｄは夫々、検知後０秒から０．１秒時点でのそれぞれの場合の感度差を示したグラフである。
【０３９２】
［実施例１０］
血液試料導入の検知後０．０５秒後に開始し、０．１５秒までの０．１秒間、電極Ａおよび電極Ｂ間に電圧２．５Ｖを印加した以外は、実施例９と同様にして行った。各センサ１の作用極と対極との間に流れる電流を測定し、Ｈｃｔ値の測定における応答電流値および感度差の測定を行った（図３２ａ〜ｄ参照）。図３２ａは、実施例１０のＧｌｕ濃度が４５ｍｇ／ｄｌ（Ｈｃｔ値０％、４２％、７０％）の血液試料について、印加電圧に対する応答電流値の経時変化を表すグラフであり、図３２ｂは、実施例１０のＧｌｕ濃度が５５０ｍｇ／ｄｌ（Ｈｃｔ値０％、４２％、７０％）の血液試料について、印加電圧に対する応答電流値の経時変化を表すグラフであり、図３２ａおよび図３２ｂは夫々、試薬が配置されている電極Ａおよび電極Ｂ間に５秒間電圧を２．５Ｖ印加し、印加電圧に対する応答電流値の経時変化を表すグラフである。図３２ｃは、実施例１０のＨｃｔ４２％を基準にした、Ｇｌｕ値４５ｍｇ／ｄｌ、５５０ｍｇ／ｄｌそれぞれの場合の感度差（％）のグラフであり、図３２ｄは、実施例１０のＧｌｕ４５ｍｇ／ｄｌを基準にした、Ｈｃｔ値０％、４２％、７０％それぞれの場合の感度差（％）のグラフであり、図３２ｃおよび図３２ｄは夫々、検知後０．０５秒から０．１５秒時点でのそれぞれの場合の感度差を示したグラフである。
【０３９３】
［実施例１１］
血液試料導入の検知後０．１秒後に開始し、０．２秒までの０．１秒間、電極Ａおよび電極Ｂ間に電圧２．５Ｖを印加した以外は、実施例９と同様にして行った。各センサ１の作用極と対極との間に流れる電流を測定し、Ｈｃｔ値の測定における応答電流値および感度差の測定を行った（図３３ａ〜ｄ参照）。図３３ａは、実施例１１のＧｌｕ濃度が４５ｍｇ／ｄｌ（Ｈｃｔ値０％、４２％、７０％）の血液試料について、印加電圧に対する応答電流値の経時変化を表すグラフであり、図３３ｂは、実施例１１のＧｌｕ濃度が５５０ｍｇ／ｄｌ（Ｈｃｔ値０％、４２％、７０％）の血液試料について、印加電圧に対する応答電流値の経時変化を表すグラフであり、図３３ａおよび図３３ｂは夫々、試薬が配置されている電極Ａおよび電極Ｂ間に５秒間電圧を２．５Ｖ印加し、印加電圧に対する応答電流値の経時変化を表すグラフである。図３３ｃは、実施例１１のＨｃｔ４２％を基準にした、Ｇｌｕ値４５ｍｇ／ｄｌ、５５０ｍｇ／ｄｌそれぞれの場合の感度差（％）のグラフであり、図３３ｄは、実施例１１のＧｌｕ４５ｍｇ／ｄｌを基準にした、Ｈｃｔ値０％、４２％、７０％それぞれの場合の感度差（％）のグラフであり、図３３ｃおよび図３３ｄは夫々、検知後０．１秒から０．２秒時点でのそれぞれの場合の感度差を示したグラフである。
【０３９４】
［実施例１２］
血液試料導入の検知後０．５秒後に開始し、０．６秒までの０．１秒間、電極Ａおよび電極Ｂ間に電圧２．５Ｖを印加した以外は、実施例９と同様にして行った。各センサ１の作用極と対極との間に流れる電流を測定し、Ｈｃｔ値の測定における応答電流値および感度差の測定を行った（図３４ａ〜ｄ参照）。図３４ａは、実施例１２のＧｌｕ濃度が４５ｍｇ／ｄｌ（Ｈｃｔ値０％、４２％、７０％）の血液試料について、印加電圧に対する応答電流値の経時変化を表すグラフであり、図３４ｂは、実施例１２のＧｌｕ濃度が５５０ｍｇ／ｄｌ（Ｈｃｔ値０％、４２％、７０％）の血液試料について、印加電圧に対する応答電流値の経時変化を表すグラフであり、図３４ａおよび図３４ｂは夫々、試薬が配置されている電極Ａおよび電極Ｂ間に５秒間電圧を２．５Ｖ印加し、印加電圧に対する応答電流値の経時変化を表すグラフである。図３４ｃは、実施例１２のＨｃｔ４２％を基準にした、Ｇｌｕ値４５ｍｇ／ｄｌ、５５０ｍｇ／ｄｌそれぞれの場合の感度差（％）のグラフであり、図３４ｄは、実施例１２のＧｌｕ４５ｍｇ／ｄｌを基準にした、Ｈｃｔ値０％、４２％、７０％それぞれの場合の感度差（％）のグラフであり、図３４ｃおよび図３４ｄは夫々、検知後０．５秒から０．６秒時点でのそれぞれの場合の感度差を示したグラフである。
【０３９５】
実施例９〜１２から、生体試料の導入検知後０秒〜０．５秒以内に作用極と対極へ電圧２．５Ｖを０．１秒間印加した際、得られる電流値の感度は良好であり、その電流値に基づき得られるＨｃｔ値の精度が高いことが確認できた。
【０３９６】
以上より、本発明の方法によれば、印加電圧にかかわらず、血液試料導入の検知後０秒から０．５秒以下において０．１秒間印加する実施例１〜１２は、特にＧｌｕ５５０ｍｇ／ｄｌを基準にした、Ｈｃｔ値０％、４２％、７０％の感度差のグラフに乖離が小さいことから、Ｈｃｔの測定精度が向上したことが確認できた。また、これらの本発明の方法によれば、Ｈｃｔが短時間で測定できることが確認できた。
【０３９７】
［実施例１３］
Ｈｃｔ値を０％、４２％、または７０％に調整した、３種類の血液試料を、Ｇｌｕ濃度２種類、すなわち４５ｍｇ／ｄＬまたは５５０ｍｇ／ｄＬについて、準備した。これらの６つの血液試料について、実施例１で用いた前記センサ１により、血液試料導入の検知後０秒から０．１秒までの０．１秒間、電圧１．５Ｖを印加した（図１９（ａ）参照）。各センサ１の作用極と対極との間に流れる電流を測定し、Ｈｃｔ値の測定における応答電流値および感度差の測定を行った（図３５ａ〜ｂ参照）。図３５ａは、実施例１３の、Ｈｃｔ４２％を基準にした、Ｇｌｕ値４５ｍｇ／ｄｌ、５５０ｍｇ／ｄｌそれぞれの場合の感度差（％）のグラフであり、図３５ｂは、実施例１３の、Ｇｌｕ４５ｍｇ／ｄｌを基準にした、Ｈｃｔ値０％、４２％、７０％それぞれの場合の感度差（％）のグラフであり、図３５ａおよび図３５ｂは夫々、検知後０秒から０．１秒時点でのそれぞれの場合の感度差を示したグラフである。
【０３９８】
［実施例１４］
血液試料導入の検知後０秒から０．１秒までの０．１秒間、電極Ａおよび電極Ｂ間に電圧１．６Ｖを印加した以外は、実施例１３と同様にして行った。各センサ１の作用極と対極との間に流れる電流を測定し、Ｈｃｔ値の測定における応答電流値および感度差の測定を行った（図３６ａ〜ｂ参照）。図３６ａは、実施例１４の、Ｈｃｔ４２％を基準にした、Ｇｌｕ値４５ｍｇ／ｄｌ、５５０ｍｇ／ｄｌそれぞれの場合の感度差（％）のグラフであり、図３６ｂは、実施例１４の、Ｇｌｕ４５ｍｇ／ｄｌを基準にした、Ｈｃｔ値０％、４２％、７０％それぞれの場合の感度差（％）のグラフであり、図３６ａおよび図３６ｂは夫々、検知後０秒から０．１秒時点でのそれぞれの場合の感度差を示したグラフである。
【０３９９】
［実施例１５］
血液試料導入の検知後０秒から０．１秒までの０．１秒間、電極Ａおよび電極Ｂ間に電圧１．７Ｖを印加した以外は、実施例１３と同様にして行った。各センサ１の作用極と対極との間に流れる電流を測定し、Ｈｃｔ値の測定における応答電流値および感度差の測定を行った（図３７ａ〜ｂ参照）。図３７ａは、実施例１５の、Ｈｃｔ４２％を基準にした、Ｇｌｕ値４５ｍｇ／ｄｌ、５５０ｍｇ／ｄｌそれぞれの場合の感度差（％）のグラフであり、図３７ｂは、実施例１５の、Ｇｌｕ４５ｍｇ／ｄｌを基準にした、Ｈｃｔ値０％、４２％、７０％それぞれの場合の感度差（％）のグラフであり、図３７ａおよび図３７ｂは夫々、検知後０秒から０．１秒時点でのそれぞれの場合の感度差を示したグラフである。
【０４００】
［実施例１６］
血液試料導入の検知後０秒から０．１秒までの０．１秒間、電極Ａおよび電極Ｂ間に電圧１．８Ｖを印加した以外は、実施例１３と同様にして行った。各センサ１の作用極と対極との間に流れる電流を測定し、Ｈｃｔ値の測定における応答電流値および感度差の測定を行った（図３８ａ〜ｂ参照）。図３８ａは、実施例１６の、Ｈｃｔ４２％を基準にした、Ｇｌｕ値４５ｍｇ／ｄｌ、５５０ｍｇ／ｄｌそれぞれの場合の感度差（％）のグラフであり、図３８ｂは、実施例１６の、Ｇｌｕ４５ｍｇ／ｄｌを基準にした、Ｈｃｔ値０％、４２％、７０％それぞれの場合の感度差（％）のグラフであり、図３８ａおよび図３８ｂは夫々、検知後０秒から０．１秒時点でのそれぞれの場合の感度差を示したグラフである。
【０４０１】
［実施例１７］
血液試料導入の検知後０秒から０．１秒までの０．１秒間、電極Ａおよび電極Ｂ間に電圧１．９Ｖを印加した以外は、実施例１３と同様にして行った。各センサ１の作用極と対極との間に流れる電流を測定し、Ｈｃｔ値の測定における応答電流値および感度差の測定を行った（図３９ａ〜ｂ参照）。図３９ａは、実施例１７の、Ｈｃｔ４２％を基準にした、Ｇｌｕ値４５ｍｇ／ｄｌ、５５０ｍｇ／ｄｌそれぞれの場合の感度差（％）のグラフであり、図３９ｂは、実施例１７の、Ｇｌｕ４５ｍｇ／ｄｌを基準にした、Ｈｃｔ値０％、４２％、７０％それぞれの場合の感度差（％）のグラフであり、図３９ａおよび図３９ｂは夫々、検知後０秒から０．１秒時点でのそれぞれの場合の感度差を示したグラフである。
【０４０２】
［実施例１８］
血液試料導入の検知後０秒から０．１秒までの０．１秒間、電極Ａおよび電極Ｂ間に電圧２．０Ｖを印加した以外は、実施例１３と同様にして行った。各センサ１の作用極と対極との間に流れる電流を測定し、Ｈｃｔ値の測定における応答電流値および感度差の測定を行った（図４０ａ〜ｂ参照）。図４０ａは、実施例１８の、Ｈｃｔ４２％を基準にした、Ｇｌｕ値４５ｍｇ／ｄｌ、５５０ｍｇ／ｄｌそれぞれの場合の感度差（％）のグラフであり、図４０ｂは、実施例１８の、Ｇｌｕ４５ｍｇ／ｄｌを基準にした、Ｈｃｔ値０％、４２％、７０％それぞれの場合の感度差（％）のグラフであり、図４０ａおよび図４０ｂは夫々、検知後０秒から０．１秒時点でのそれぞれの場合の感度差を示したグラフである。
【０４０３】
［実施例１９］
血液試料導入の検知後０秒から０．１秒までの０．１秒間、電極Ａおよび電極Ｂ間に電圧２．５Ｖを印加した以外は、実施例１３と同様にして行った。各センサ１の作用極と対極との間に流れる電流を測定し、Ｈｃｔ値の測定における応答電流値および感度差の測定を行った（図４１ａ〜ｂ参照）。図４１ａは、実施例１９の、Ｈｃｔ４２％を基準にした、Ｇｌｕ値４５ｍｇ／ｄｌ、５５０ｍｇ／ｄｌそれぞれの場合の感度差（％）のグラフであり、図４１ｂは、実施例１９の、Ｇｌｕ４５ｍｇ／ｄｌを基準にした、Ｈｃｔ値０％、４２％、７０％それぞれの場合の感度差（％）のグラフであり、図４１ａおよび図４１ｂは夫々、検知後０秒から０．１秒時点でのそれぞれの場合の感度差を示したグラフである。
【０４０４】
［実施例２０］
血液試料導入の検知後０秒から０．１秒までの０．１秒間、電極Ａおよび電極Ｂ間に電圧３．０Ｖを印加した以外は、実施例１３と同様にして行った。各センサ１の作用極と対極との間に流れる電流を測定し、Ｈｃｔ値の測定における応答電流値および感度差の測定を行った（図４２ａ〜ｂ参照）。図４２ａは、実施例２０の、Ｈｃｔ４２％を基準にした、Ｇｌｕ値４５ｍｇ／ｄｌ、５５０ｍｇ／ｄｌそれぞれの場合の感度差（％）のグラフであり、図４２ｂは、実施例２０の、Ｇｌｕ４５ｍｇ／ｄｌを基準にした、Ｈｃｔ値０％、４２％、７０％それぞれの場合の感度差（％）のグラフであり、図４２ａおよび図４２ｂは夫々、検知後０秒から０．１秒時点でのそれぞれの場合の感度差を示したグラフである。
【０４０５】
［実施例２１］
血液試料導入の検知後０秒から０．１秒までの０．１秒間、電極Ａおよび電極Ｂ間に電圧３．５Ｖを印加した以外は、実施例１３と同様にして行った。各センサ１の作用極と対極との間に流れる電流を測定し、Ｈｃｔ値の測定における応答電流値および感度差の測定を行った（図４３ａ〜ｂ参照）。図４３ａは、実施例２１の、Ｈｃｔ４２％を基準にした、Ｇｌｕ値４５ｍｇ／ｄｌ、５５０ｍｇ／ｄｌそれぞれの場合の感度差（％）のグラフであり、図４３ｂは、実施例２１の、Ｇｌｕ４５ｍｇ／ｄｌを基準にした、Ｈｃｔ値０％、４２％、７０％それぞれの場合の感度差（％）のグラフであり、図４３ａおよび図４３ｂは夫々、検知後０秒から０．１秒時点でのそれぞれの場合の感度差を示したグラフである。
【０４０６】
［実施例２２］
血液試料導入の検知後０秒から０．１秒までの０．１秒間、電極Ａおよび電極Ｂ間に電圧４．０Ｖを印加した以外は、実施例１３と同様にして行った。各センサ１の作用極と対極との間に流れる電流を測定し、Ｈｃｔ値の測定における応答電流値および感度差の測定を行った（図４４ａ〜ｂ参照）。図４４ａは、実施例２２の、Ｈｃｔ４２％を基準にした、Ｇｌｕ値４５ｍｇ／ｄｌ、５５０ｍｇ／ｄｌそれぞれの場合の感度差（％）のグラフであり、図４４ｂは、実施例２２の、Ｇｌｕ４５ｍｇ／ｄｌを基準にした、Ｈｃｔ値０％、４２％、７０％それぞれの場合の感度差（％）のグラフであり、図４４ａおよび図４４ｂは夫々、検知後０秒から０．１秒時点でのそれぞれの場合の感度差を示したグラフである。
【０４０７】
実施例１３〜２２から、生体試料の導入検知後すぐに（０秒）に作用極と対極へ電圧１．５〜４．０Ｖを０．１秒間印加した際、得られる電流値の感度は良好であり、その電流値に基づき得られるＨｃｔ値の精度が高いことが確認できた。
【０４０８】
［実施例２３］
血液試料導入の検知後０秒から０．５秒までの０．５秒間、電極Ａおよび電極Ｂ間に電圧１．５Ｖを印加した（図１９（ａ）参照）。各センサ１の作用極と対極との間に流れる電流を測定し、Ｈｃｔ値の測定における応答電流値および感度差の測定を行った（図４５ａ〜ｂ参照）。図４５ａは、実施例２３の、Ｈｃｔ４２％を基準にした、Ｇｌｕ値４５ｍｇ／ｄｌ、５５０ｍｇ／ｄｌそれぞれの場合の感度差（％）のグラフであり、図４５ｂは、実施例２３の、Ｇｌｕ４５ｍｇ／ｄｌを基準にした、Ｈｃｔ値０％、４２％、７０％それぞれの場合の感度差（％）のグラフであり、図４５ａおよび図４５ｂは夫々、検知後０秒から０．５秒時点でのそれぞれの場合の感度差を示したグラフである。
【０４０９】
［実施例２４］
血液試料導入の検知後０秒から０．５秒までの０．５秒間、電極Ａおよび電極Ｂ間に電圧１．６Ｖを印加した以外は、実施例２３と同様にして行った。各センサ１の作用極と対極との間に流れる電流を測定し、Ｈｃｔ値の測定における応答電流値および感度差の測定を行った（図４６ａ〜ｂ参照）。図４６ａは、実施例２４の、Ｈｃｔ４２％を基準にした、Ｇｌｕ値４５ｍｇ／ｄｌ、５５０ｍｇ／ｄｌそれぞれの場合の感度差（％）のグラフであり、図４６ｂは、実施例２４の、Ｇｌｕ４５ｍｇ／ｄｌを基準にした、Ｈｃｔ値０％、４２％、７０％それぞれの場合の感度差（％）のグラフであり、図４６ａおよび図４６ｂは夫々、検知後０秒から０．５秒時点でのそれぞれの場合の感度差を示したグラフである。
【０４１０】
［実施例２５］
血液試料導入の検知後０秒から０．５秒までの０．５秒間、電極Ａおよび電極Ｂ間に電圧１．７Ｖを印加した以外は、実施例２３と同様にして行った。各センサ１の作用極と対極との間に流れる電流を測定し、Ｈｃｔ値の測定における応答電流値および感度差の測定を行った（図４７ａ〜ｂ参照）。図４７ａは、実施例２５の、Ｈｃｔ４２％を基準にした、Ｇｌｕ値４５ｍｇ／ｄｌ、５５０ｍｇ／ｄｌそれぞれの場合の感度差（％）のグラフであり、図４７ｂは、実施例２５の、Ｇｌｕ４５ｍｇ／ｄｌを基準にした、Ｈｃｔ値０％、４２％、７０％それぞれの場合の感度差（％）のグラフであり、図４７ａおよび図４７ｂは夫々、検知後０秒から０．５秒時点でのそれぞれの場合の感度差を示したグラフである。
【０４１１】
［実施例２６］
血液試料導入の検知後０秒から０．５秒までの０．５秒間、電極Ａおよび電極Ｂ間に電圧１．８Ｖを印加した以外は、実施例２３と同様にして行った。各センサ１の作用極と対極との間に流れる電流を測定し、Ｈｃｔ値の測定における応答電流値および感度差の測定を行った（図４８ａ〜ｂ参照）。図４８ａは、実施例２６の、Ｈｃｔ４２％を基準にした、Ｇｌｕ値４５ｍｇ／ｄｌ、５５０ｍｇ／ｄｌそれぞれの場合の感度差（％）のグラフであり、図４８ｂは、実施例２６の、Ｇｌｕ４５ｍｇ／ｄｌを基準にした、Ｈｃｔ値０％、４２％、７０％それぞれの場合の感度差（％）のグラフであり、図４８ａおよび図４８ｂは夫々、検知後０秒から０．５秒時点でのそれぞれの場合の感度差を示したグラフである。
【０４１２】
［実施例２７］
血液試料導入の検知後０秒から０．５秒までの０．５秒間、電極Ａおよび電極Ｂ間に電圧１．９Ｖを印加した以外は、実施例２３と同様にして行った。各センサ１の作用極と対極との間に流れる電流を測定し、Ｈｃｔ値の測定における応答電流値および感度差の測定を行った（図４９ａ〜ｂ参照）。図４９ａは、実施例２７の、Ｈｃｔ４２％を基準にした、Ｇｌｕ値４５ｍｇ／ｄｌ、５５０ｍｇ／ｄｌそれぞれの場合の感度差（％）のグラフであり、図４９ｂは、実施例２７の、Ｇｌｕ４５ｍｇ／ｄｌを基準にした、Ｈｃｔ値０％、４２％、７０％それぞれの場合の感度差（％）のグラフであり、図４９ａおよび図４９ｂは夫々、検知後０秒から０．５秒時点でのそれぞれの場合の感度差を示したグラフである。
【０４１３】
［実施例２８］
血液試料導入の検知後０秒から０．５秒までの０．５秒間、電極Ａおよび電極Ｂ間に電圧２．０Ｖを印加した以外は、実施例２３と同様にして行った。各センサ１の作用極と対極との間に流れる電流を測定し、Ｈｃｔ値の測定における応答電流値および感度差の測定を行った（図５０ａ〜ｂ参照）。図５０ａは、実施例２８の、Ｈｃｔ４２％を基準にした、Ｇｌｕ値４５ｍｇ／ｄｌ、５５０ｍｇ／ｄｌそれぞれの場合の感度差（％）のグラフであり、図５０ｂは、実施例２８の、Ｇｌｕ４５ｍｇ／ｄｌを基準にした、Ｈｃｔ値０％、４２％、７０％それぞれの場合の感度差（％）のグラフであり、図５０ａおよび図５０ｂは夫々、検知後０秒から０．５秒時点でのそれぞれの場合の感度差を示したグラフである。
【０４１４】
［実施例２９］
血液試料導入の検知後０秒から０．５秒までの０．５秒間、電極Ａおよび電極Ｂ間に電圧２．５Ｖを印加した以外は、実施例２３と同様にして行った。各センサ１の作用極と対極との間に流れる電流を測定し、Ｈｃｔ値の測定における応答電流値および感度差の測定を行った（図５１ａ〜ｂ参照）。図５１ａは、実施例２９の、Ｈｃｔ４２％を基準にした、Ｇｌｕ値４５ｍｇ／ｄｌ、５５０ｍｇ／ｄｌそれぞれの場合の感度差（％）のグラフであり、図５１ｂは、実施例２９の、Ｇｌｕ４５ｍｇ／ｄｌを基準にした、Ｈｃｔ値０％、４２％、７０％それぞれの場合の感度差（％）のグラフであり、図５１ａおよび図５１ｂは夫々、検知後０秒から０．５秒時点でのそれぞれの場合の感度差を示したグラフである。
【０４１５】
［実施例３０］
血液試料導入の検知後０秒から０．５秒までの０．５秒間、電極Ａおよび電極Ｂ間に電圧３．０Ｖを印加した以外は、実施例２３と同様にして行った。各センサ１の作用極と対極との間に流れる電流を測定し、Ｈｃｔ値の測定における応答電流値および感度差の測定を行った（図５２ａ〜ｂ参照）。図５２ａは、実施例３０の、Ｈｃｔ４２％を基準にした、Ｇｌｕ値４５ｍｇ／ｄｌ、５５０ｍｇ／ｄｌそれぞれの場合の感度差（％）のグラフであり、図５２ｂは、実施例３０の、Ｇｌｕ４５ｍｇ／ｄｌを基準にした、Ｈｃｔ値０％、４２％、７０％それぞれの場合の感度差（％）のグラフであり、図５２ａおよび図５２ｂは夫々、検知後０秒から０．５秒時点でのそれぞれの場合の感度差を示したグラフである。
【０４１６】
［実施例３１］
血液試料導入の検知後０秒から０．５秒までの０．５秒間、電極Ａおよび電極Ｂ間に電圧３．５Ｖを印加した以外は、実施例２３と同様にして行った。各センサ１の作用極と対極との間に流れる電流を測定し、Ｈｃｔ値の測定における応答電流値および感度差の測定を行った（図５３ａ〜ｂ参照）。図５３ａは、実施例３１の、Ｈｃｔ４２％を基準にした、Ｇｌｕ値４５ｍｇ／ｄｌ、５５０ｍｇ／ｄｌそれぞれの場合の感度差（％）のグラフであり、図５３ｂは、実施例３１の、Ｇｌｕ４５ｍｇ／ｄｌを基準にした、Ｈｃｔ値０％、４２％、７０％それぞれの場合の感度差（％）のグラフであり、図５３ａおよび図５３ｂは夫々、検知後０秒から０．５秒時点でのそれぞれの場合の感度差を示したグラフである。
【０４１７】
［実施例３２］
血液試料導入の検知後０秒から０．５秒までの０．５秒間、電極Ａおよび電極Ｂ間に電圧４．０Ｖを印加した以外は、実施例２３と同様にして行った。各センサ１の作用極と対極との間に流れる電流を測定し、Ｈｃｔ値の測定における応答電流値および感度差の測定を行った（図５４ａ〜ｂ参照）。図５４ａは、実施例３２の、Ｈｃｔ４２％を基準にした、Ｇｌｕ値４５ｍｇ／ｄｌ、５５０ｍｇ／ｄｌそれぞれの場合の感度差（％）のグラフであり、図５４ｂは、実施例３２の、Ｇｌｕ４５ｍｇ／ｄｌを基準にした、Ｈｃｔ値０％、４２％、７０％それぞれの場合の感度差（％）のグラフであり、図５４ａおよび図５４ｂは夫々、検知後０秒から０．５秒時点でのそれぞれの場合の感度差を示したグラフである。
【０４１８】
実施例２３〜３２から、生体試料の導入検知後すぐに（０秒）に作用極と対極へ電圧１．５〜４．０Ｖを０．５秒間印加した際、得られる電流値の感度は良好であり、その電流値に基づき得られるＨｃｔ値の精度が高いことが確認できた。
【０４１９】
［比較例４］
血液試料導入の検知後０秒から１．０秒までの１．０秒間、電極Ａおよび電極Ｂ間に電圧２．０Ｖを印加した（図１９（ａ）参照）。各センサ１の作用極と対極との間に流れる電流を測定し、Ｈｃｔ値の測定における応答電流値および感度差の測定を行った（図５５ａ〜ｂ参照）。図５５ａは、比較例４の、Ｈｃｔ４２％を基準にした、Ｇｌｕ値４５ｍｇ／ｄｌ、５５０ｍｇ／ｄｌそれぞれの場合の感度差（％）のグラフであり、図５５ｂは、比較例４の、Ｇｌｕ４５ｍｇ／ｄｌを基準にした、Ｈｃｔ値０％、４２％、７０％それぞれの場合の感度差（％）のグラフであり、図５５ａおよび図５５ｂは夫々、検知後０秒から１．０秒時点でのそれぞれの場合の感度差を示したグラフである。
【０４２０】
［比較例５］
血液試料導入の検知後０秒から１．０秒までの１．０秒間、電極Ａおよび電極Ｂ間に電圧２．５Ｖを印加した以外は、比較例４と同様にして行った。各センサの作用極と対極との間に流れる電流を測定し、Ｈｃｔ値の測定における応答電流値および感度差の測定を行った（図５６ａ〜ｂ参照）。図５６ａは、比較例５の、Ｈｃｔ４２％を基準にした、Ｇｌｕ値４５ｍｇ／ｄｌ、５５０ｍｇ／ｄｌそれぞれの場合の感度差（％）のグラフであり、図５６ｂは、比較例５の、Ｇｌｕ４５ｍｇ／ｄｌを基準にした、Ｈｃｔ値０％、４２％、７０％それぞれの場合の感度差（％）のグラフであり、図５６ａおよび図５６ｂは夫々、検知後０秒から１．０秒時点でのそれぞれの場合の感度差を示したグラフである。
【０４２１】
［比較例６］
血液試料導入の検知後０秒から１．０秒までの１．０秒間、電極Ａおよび電極Ｂ間に電圧３．０Ｖを印加した以外は、比較例４と同様にして行った。各センサの作用極と対極との間に流れる電流を測定し、Ｈｃｔ値の測定における応答電流値および感度差の測定を行った（図５７ａ〜ｂ参照）。図５７ａは、比較例６の、Ｈｃｔ４２％を基準にした、Ｇｌｕ値４５ｍｇ／ｄｌ、５５０ｍｇ／ｄｌそれぞれの場合の感度差（％）のグラフであり、図５７ｂは、比較例６の、Ｇｌｕ４５ｍｇ／ｄｌを基準にした、Ｈｃｔ値０％、４２％、７０％それぞれの場合の感度差（％）のグラフであり、図５７ａおよび図５７ｂは夫々、検知後０秒から１．０秒時点でのそれぞれの場合の感度差を示したグラフである。
【０４２２】
比較例４〜６から、血液導入開始後、印加時間を、１．０秒に変更して感度差のグラフを確認したところ、グルコース濃度の影響が大きくなるのが分かった。特に、比較例４にあるように印加時間が１秒の場合には、図５５ｂのように、特にＧｌｕ５５０ｍｇ／ｄｌを基準にした、Ｈｃｔ値０％、４２％、７０％の感度差のグラフに乖離が見受けられた。
【０４２３】
［実施例３３］
血液試料導入の検知後０．０５秒から０．１５秒までの０．１秒間、電極Ａおよび電極Ｂ間に電圧１．５Ｖを印加した（図１９（ｂ）参照）。各センサ１の作用極と対極との間に流れる電流を測定し、Ｈｃｔ値の測定における応答電流値および感度差の測定を行った（図５８ａ〜ｄ参照）。図５８ａは、実施例３３の、Ｇｌｕ濃度が４５ｍｇ／ｄｌ（Ｈｃｔ値０％、４２％、７０％）の血液試料について、印加電圧に対する応答電流値の経時変化のグラフであり、図５８ｂは、実施例３３の、Ｇｌｕ濃度が５５０ｍｇ／ｄｌ（Ｈｃｔ値０％、４２％、７０％）の血液試料について、印加電圧に対する応答電流値の経時変化のグラフであり、図５８ａおよび図５８ｂは夫々、試薬が配置されている電極Ａおよび電極Ｂ間に５秒間電圧を１．５Ｖ印加し、印加電圧に対する応答電流値の経時変化を表すグラフである。図５８ｃは、実施例３３のＨｃｔ４２％を基準にした、Ｇｌｕ値４５ｍｇ／ｄｌ、５５０ｍｇ／ｄｌそれぞれの場合の感度差（％）のグラフであり、図５８ｄは、実施例３３のＧｌｕ４５ｍｇ／ｄｌを基準にした、Ｈｃｔ値０％、４２％、７０％それぞれの場合の感度差（％）のグラフであり、図５８ｃおよび図５８ｄは夫々、検知後０．０５秒から０．１５秒時点でのそれぞれの場合の感度差を示したグラフである。
【０４２４】
［実施例３４］
血液試料導入の検知後０．０５秒から０．１５秒までの０．１秒間、電極Ａおよび電極Ｂ間に電圧１．６Ｖを印加した以外は、実施例３３と同様にして行った。各センサ１の作用極と対極との間に流れる電流を測定し、Ｈｃｔ値の測定における応答電流値および感度差の測定を行った（図５９ａ〜ｄ参照）。図５９ａは、実施例３４の、Ｇｌｕ濃度が４５ｍｇ／ｄｌ（Ｈｃｔ値０％、４２％、７０％）の血液試料について、印加電圧に対する応答電流値の経時変化のグラフであり、図５９ｂは、実施例３４の、Ｇｌｕ濃度が５５０ｍｇ／ｄｌ（Ｈｃｔ値０％、４２％、７０％）の血液試料について、印加電圧に対する応答電流値の経時変化のグラフであり、図５９ａおよび図５９ｂは夫々、試薬が配置されている電極Ａおよび電極Ｂ間に５秒間電圧を１．６Ｖ印加し、印加電圧に対する応答電流値の経時変化を表すグラフである。図５９ｃは、実施例３４のＨｃｔ４２％を基準にした、Ｇｌｕ値４５ｍｇ／ｄｌ、５５０ｍｇ／ｄｌそれぞれの場合の感度差（％）のグラフであり、図５９ｄは、実施例３４のＧｌｕ４５ｍｇ／ｄｌを基準にした、Ｈｃｔ値０％、４２％、７０％それぞれの場合の感度差（％）のグラフであり、図５９ｃおよび図５９ｄは夫々、検知後０．０５秒から０．１５秒時点でのそれぞれの場合の感度差を示したグラフである。
【０４２５】
［実施例３５］
血液試料導入の検知後０．０５秒から０．１５秒までの０．１秒間、電極Ａおよび電極Ｂ間に電圧１．７Ｖを印加した以外は、実施例３３と同様にして行った。各センサ１の作用極と対極との間に流れる電流を測定し、Ｈｃｔ値の測定における応答電流値および感度差の測定を行った（図６０ａ〜ｄ参照）。図６０ａは、実施例３５の、Ｇｌｕ濃度が４５ｍｇ／ｄｌ（Ｈｃｔ値０％、４２％、７０％）の血液試料について、印加電圧に対する応答電流値の経時変化のグラフであり、図６０ｂは、実施例３５の、Ｇｌｕ濃度が５５０ｍｇ／ｄｌ（Ｈｃｔ値０％、４２％、７０％）の血液試料について、印加電圧に対する応答電流値の経時変化のグラフであり、図６０ａおよび図６０ｂは夫々、試薬が配置されている電極Ａおよび電極Ｂ間に５秒間電圧を１．７Ｖ印加し、印加電圧に対する応答電流値の経時変化を表すグラフである。図６０ｃは、実施例３５のＨｃｔ４２％を基準にした、Ｇｌｕ値４５ｍｇ／ｄｌ、５５０ｍｇ／ｄｌそれぞれの場合の感度差（％）のグラフであり、図６０ｄは、実施例３５のＧｌｕ４５ｍｇ／ｄｌを基準にした、Ｈｃｔ値０％、４２％、７０％それぞれの場合の感度差（％）のグラフであり、図６０ｃおよび図６０ｄは夫々、検知後０．０５秒から０．１５秒時点でのそれぞれの場合の感度差を示したグラフである。
【０４２６】
［実施例３６］
血液試料導入の検知後０．０５秒から０．１５秒までの０．１秒間、電極Ａおよび電極Ｂ間に電圧１．８Ｖを印加した以外は、実施例３３と同様にして行った。各センサ１の作用極と対極との間に流れる電流を測定し、Ｈｃｔ値の測定における応答電流値および感度差の測定を行った（図６１ａ〜ｄ参照）。図６１ａは、実施例３６の、Ｇｌｕ濃度が４５ｍｇ／ｄｌ（Ｈｃｔ値０％、４２％、７０％）の血液試料について、印加電圧に対する応答電流値の経時変化のグラフであり、図６１ｂは、実施例３６の、Ｇｌｕ濃度が５５０ｍｇ／ｄｌ（Ｈｃｔ値０％、４２％、７０％）の血液試料について、印加電圧に対する応答電流値の経時変化のグラフであり、図６１ａおよび図６１ｂは夫々、試薬が配置されている電極Ａおよび電極Ｂ間に５秒間電圧を１．８Ｖ印加し、印加電圧に対する応答電流値の経時変化を表すグラフである。図６１ｃは、実施例３６のＨｃｔ４２％を基準にした、Ｇｌｕ値４５ｍｇ／ｄｌ、５５０ｍｇ／ｄｌそれぞれの場合の感度差（％）のグラフであり、図６１ｄは、実施例３６のＧｌｕ４５ｍｇ／ｄｌを基準にした、Ｈｃｔ値０％、４２％、７０％それぞれの場合の感度差（％）のグラフであり、図６１ｃおよび図６１ｄは夫々、検知後０．０５秒から０．１５秒時点でのそれぞれの場合の感度差を示したグラフである。
【０４２７】
［実施例３７］
血液試料導入の検知後０．０５秒から０．１５秒までの０．１秒間、電極Ａおよび電極Ｂ間に電圧１．９Ｖを印加した以外は、実施例３３と同様にして行った。各センサ１の作用極と対極との間に流れる電流を測定し、Ｈｃｔ値の測定における応答電流値および感度差の測定を行った（図６２ａ〜ｄ参照）。図６２ａは、実施例３７の、Ｇｌｕ濃度が４５ｍｇ／ｄｌ（Ｈｃｔ値０％、４２％、７０％）の血液試料について、印加電圧に対する応答電流値の経時変化のグラフであり、図６２ｂは、実施例３７の、Ｇｌｕ濃度が５５０ｍｇ／ｄｌ（Ｈｃｔ値０％、４２％、７０％）の血液試料について、印加電圧に対する応答電流値の経時変化のグラフであり、図６２ａおよび図６２ｂは夫々、試薬が配置されている電極Ａおよび電極Ｂ間に５秒間電圧を１．９Ｖ印加し、印加電圧に対する応答電流値の経時変化を表すグラフである。図６２ｃは、実施例３７のＨｃｔ４２％を基準にした、Ｇｌｕ値４５ｍｇ／ｄｌ、５５０ｍｇ／ｄｌそれぞれの場合の感度差（％）のグラフであり、図６２ｄは、実施例３７のＧｌｕ４５ｍｇ／ｄｌを基準にした、Ｈｃｔ値０％、４２％、７０％それぞれの場合の感度差（％）のグラフであり、図６２ｃおよび図６２ｄは夫々、検知後０．０５秒から０．１５秒時点でのそれぞれの場合の感度差を示したグラフである。
【０４２８】
［実施例３８］
血液試料導入の検知後０．０５秒から０．１５秒までの０．１秒間、電極Ａおよび電極Ｂ間に電圧２．０Ｖを印加した以外は、実施例３３と同様にして行った。各センサ１の作用極と対極との間に流れる電流を測定し、Ｈｃｔ値の測定における応答電流値および感度差の測定を行った（図６３ａ〜ｄ参照）。図６３ａは、実施例３８の、Ｇｌｕ濃度が４５ｍｇ／ｄｌ（Ｈｃｔ値０％、４２％、７０％）の血液試料について、印加電圧に対する応答電流値の経時変化のグラフであり、図６３ｂは、実施例３８の、Ｇｌｕ濃度が５５０ｍｇ／ｄｌ（Ｈｃｔ値０％、４２％、７０％）の血液試料について、印加電圧に対する応答電流値の経時変化のグラフであり、図６３ａおよび図６３ｂは夫々、試薬が配置されている電極Ａおよび電極Ｂ間に５秒間電圧を２．０Ｖ印加し、印加電圧に対する応答電流値の経時変化を表すグラフである。図６３ｃは、実施例３８のＨｃｔ４２％を基準にした、Ｇｌｕ値４５ｍｇ／ｄｌ、５５０ｍｇ／ｄｌそれぞれの場合の感度差（％）のグラフであり、図６３ｄは、実施例３８のＧｌｕ４５ｍｇ／ｄｌを基準にした、Ｈｃｔ値０％、４２％、７０％それぞれの場合の感度差（％）のグラフであり、図６３ｃおよび図６３ｄは夫々、検知後０．０５秒から０．１５秒時点でのそれぞれの場合の感度差を示したグラフである。
【０４２９】
［実施例３９］
血液試料導入の検知後０．０５秒から０．１５秒までの０．１秒間、電極Ａおよび電極Ｂ間に電圧２．５Ｖを印加した以外は、実施例３３と同様にして行った。各センサ１の作用極と対極との間に流れる電流を測定し、Ｈｃｔ値の測定における応答電流値および感度差の測定を行った（図６４ａ〜ｄ参照）。図６４ａは、実施例３９の、Ｇｌｕ濃度が４５ｍｇ／ｄｌ（Ｈｃｔ値０％、４２％、７０％）の血液試料について、印加電圧に対する応答電流値の経時変化のグラフであり、図６４ｂは、実施例３９の、Ｇｌｕ濃度が５５０ｍｇ／ｄｌ（Ｈｃｔ値０％、４２％、７０％）の血液試料について、印加電圧に対する応答電流値の経時変化のグラフであり、図６４ａおよび図６４ｂは夫々、試薬が配置されている電極Ａおよび電極Ｂ間に５秒間電圧を２．５Ｖ印加し、印加電圧に対する応答電流値の経時変化を表すグラフである。図６４ｃは、実施例３９のＨｃｔ４２％を基準にした、Ｇｌｕ値４５ｍｇ／ｄｌ、５５０ｍｇ／ｄｌそれぞれの場合の感度差（％）のグラフであり、図６４ｄは、実施例３９のＧｌｕ４５ｍｇ／ｄｌを基準にした、Ｈｃｔ値０％、４２％、７０％それぞれの場合の感度差（％）のグラフであり、図６４ｃおよび図６４ｄは夫々、検知後０．０５秒から０．１５秒時点でのそれぞれの場合の感度差を示したグラフである。
【０４３０】
［実施例４０］
血液試料導入の検知後０．０５秒から０．１５秒までの０．１秒間、電極Ａおよび電極Ｂ間に電圧３．０Ｖを印加した以外は、実施例３３と同様にして行った。各センサ１の作用極と対極との間に流れる電流を測定し、Ｈｃｔ値の測定における応答電流値および感度差の測定を行った（図６５ａ〜ｄ参照）。図６５ａは、実施例４０の、Ｇｌｕ濃度が４５ｍｇ／ｄｌ（Ｈｃｔ値０％、４２％、７０％）の血液試料について、印加電圧に対する応答電流値の経時変化のグラフであり、図６５ｂは、実施例４０の、Ｇｌｕ濃度が５５０ｍｇ／ｄｌ（Ｈｃｔ値０％、４２％、７０％）の血液試料について、印加電圧に対する応答電流値の経時変化のグラフであり、図６５ａおよび図６５ｂは夫々、試薬が配置されている電極Ａおよび電極Ｂ間に５秒間電圧を３．０Ｖ印加し、印加電圧に対する応答電流値の経時変化を表すグラフである。図６５ｃは、実施例４０のＨｃｔ４２％を基準にした、Ｇｌｕ値４５ｍｇ／ｄｌ、５５０ｍｇ／ｄｌそれぞれの場合の感度差（％）のグラフであり、図６５ｄは、実施例４０のＧｌｕ４５ｍｇ／ｄｌを基準にした、Ｈｃｔ値０％、４２％、７０％それぞれの場合の感度差（％）のグラフであり、図６５ｃおよび図６５ｄは夫々、検知後０．０５秒から０．１５秒時点でのそれぞれの場合の感度差を示したグラフである。
【０４３１】
［実施例４１］
血液試料導入の検知後０．０５秒から０．１５秒までの０．１秒間、電極Ａおよび電極Ｂ間に電圧３．５Ｖを印加した以外は、実施例３３と同様にして行った。各センサ１の作用極と対極との間に流れる電流を測定し、Ｈｃｔ値の測定における応答電流値および感度差の測定を行った（図６６ａ〜ｄ参照）。図６６ａは、実施例４１の、Ｇｌｕ濃度が４５ｍｇ／ｄｌ（Ｈｃｔ値０％、４２％、７０％）の血液試料について、印加電圧に対する応答電流値の経時変化のグラフであり、図６６ｂは、実施例４１の、Ｇｌｕ濃度が５５０ｍｇ／ｄｌ（Ｈｃｔ値０％、４２％、７０％）の血液試料について、印加電圧に対する応答電流値の経時変化のグラフであり、図６６ａおよび図６６ｂは夫々、試薬が配置されている電極Ａおよび電極Ｂ間に５秒間電圧を３．５Ｖ印加し、印加電圧に対する応答電流値の経時変化を表すグラフである。図６６ｃは、実施例４１のＨｃｔ４２％を基準にした、Ｇｌｕ値４５ｍｇ／ｄｌ、５５０ｍｇ／ｄｌそれぞれの場合の感度差（％）のグラフであり、図６６ｄは、実施例４１のＧｌｕ４５ｍｇ／ｄｌを基準にした、Ｈｃｔ値０％、４２％、７０％それぞれの場合の感度差（％）のグラフであり、図６６ｃおよび図６６ｄは夫々、検知後０．０５秒から０．１５秒時点でのそれぞれの場合の感度差を示したグラフである。
【０４３２】
［実施例４２］
血液試料導入の検知後０．０５秒から０．１５秒までの０．１秒間、電極Ａおよび電極Ｂ間に電圧４．０Ｖを印加した以外は、実施例３３と同様にて行った。各センサ１の作用極と対極との間に流れる電流を測定し、Ｈｃｔ値の測定における応答電流値および感度差の測定を行った（図６７ａ〜ｄ参照）。図６７ａは、実施例４２の、Ｇｌｕ濃度が４５ｍｇ／ｄｌ（Ｈｃｔ値０％、４２％、７０％）の血液試料について、印加電圧に対する応答電流値の経時変化のグラフであり、図６７ｂは、実施例４２の、Ｇｌｕ濃度が５５０ｍｇ／ｄｌ（Ｈｃｔ値０％、４２％、７０％）の血液試料について、印加電圧に対する応答電流値の経時変化のグラフであり、図６７ａおよび図６７ｂは夫々、試薬が配置されている電極Ａおよび電極Ｂ間に５秒間電圧を４．０Ｖ印加し、印加電圧に対する応答電流値の経時変化を表すグラフである。図６７ｃは、実施例４２のＨｃｔ４２％を基準にした、Ｇｌｕ値４５ｍｇ／ｄｌ、５５０ｍｇ／ｄｌそれぞれの場合の感度差（％）のグラフであり、図６７ｄは、実施例４２のＧｌｕ４５ｍｇ／ｄｌを基準にした、Ｈｃｔ値０％、４２％、７０％それぞれの場合の感度差（％）のグラフであり、図６７ｃおよび図６７ｄは夫々、検知後０．０５秒から０．１５秒時点でのそれぞれの場合の感度差を示したグラフである。
【０４３３】
実施例３３〜４２から、生体試料の導入検知後０．０５秒〜０．１５秒間、作用極と対極へ電圧１．５〜４．０Ｖを印加した際、得られる電流値の感度は良好であり、その電流値に基づき得られるＨｃｔ値の精度が高いことが確認できた。
【０４３４】
［実施例４３］
血液試料導入の検知後０．０５秒から０．５５秒までの０．５秒間、電極Ａおよび電極Ｂ間に電圧１．５Ｖを印加した（図１９（ｂ）参照）。各センサ１の作用極と対極との間に流れる電流を測定し、Ｈｃｔ値の測定における応答電流値および感度差の測定を行った（図６８ａ〜ｂ参照）。図６８ａは、実施例４３の、Ｈｃｔ４２％を基準にした、Ｇｌｕ値４５ｍｇ／ｄｌ、５５０ｍｇ／ｄｌそれぞれの場合の感度差（％）のグラフであり、図６８ｂは、実施例４３の、Ｇｌｕ４５ｍｇ／ｄｌを基準にした、Ｈｃｔ値０％、４２％、７０％それぞれの場合の感度差（％）のグラフであり、図６８ａおよび図６８ｂは夫々、検知後０．０５秒から０．５５秒時点でのそれぞれの場合の感度差を示したグラフである。
【０４３５】
［実施例４４］
血液試料導入の検知後０．０５秒から０．５５秒までの０．５秒間、電極Ａおよび電極Ｂ間に電圧１．６Ｖを印加した以外は、実施例４３と同様にして行った。各センサ１の作用極と対極との間に流れる電流を測定し、Ｈｃｔ値の測定における応答電流値および感度差の測定を行った（図６９ａ〜ｂ参照）。図６９ａは、実施例４４の、Ｈｃｔ４２％を基準にした、Ｇｌｕ値４５ｍｇ／ｄｌ、５５０ｍｇ／ｄｌそれぞれの場合の感度差（％）のグラフであり、図６９ｂは、実施例４４の、Ｇｌｕ４５ｍｇ／ｄｌを基準にした、Ｈｃｔ値０％、４２％、７０％それぞれの場合の感度差（％）のグラフであり、図６９ａおよび図６９ｂは夫々、検知後０．０５秒から０．５５秒時点でのそれぞれの場合の感度差を示したグラフである。
【０４３６】
［実施例４５］
血液試料導入の検知後０．０５秒から０．５５秒までの０．５秒間、電極Ａおよび電極Ｂ間に電圧１．７Ｖを印加した以外は、実施例４３と同様にして行った。各センサ１の作用極と対極との間に流れる電流を測定し、Ｈｃｔ値の測定における応答電流値および感度差の測定を行った（図７０ａ〜ｂ参照）。図７０ａは、実施例４５の、Ｈｃｔ４２％を基準にした、Ｇｌｕ値４５ｍｇ／ｄｌ、５５０ｍｇ／ｄｌそれぞれの場合の感度差（％）のグラフであり、図７０ｂは、実施例４５の、Ｇｌｕ４５ｍｇ／ｄｌを基準にした、Ｈｃｔ値０％、４２％、７０％それぞれの場合の感度差（％）のグラフであり、図７０ａおよび図７０ｂは夫々、検知後０．０５秒から０．５５秒時点でのそれぞれの場合の感度差を示したグラフである。
【０４３７】
［実施例４６］
血液試料導入の検知後０．０５秒から０．５５秒までの０．５秒間、電極Ａおよび電極Ｂ間に電圧１．８Ｖを印加した以外は、実施例４３と同様にして行った。各センサ１の作用極と対極との間に流れる電流を測定し、Ｈｃｔ値の測定における応答電流値および感度差の測定を行った（図７１ａ〜ｂ参照）。図７１ａは、実施例４６の、Ｈｃｔ４２％を基準にした、Ｇｌｕ値４５ｍｇ／ｄｌ、５５０ｍｇ／ｄｌそれぞれの場合の感度差（％）のグラフであり、図７１ｂは、実施例４６の、Ｇｌｕ４５ｍｇ／ｄｌを基準にした、Ｈｃｔ値０％、４２％、７０％それぞれの場合の感度差（％）のグラフであり、図７１ａおよび図７１ｂは夫々、検知後０．０５秒から０．５５秒時点でのそれぞれの場合の感度差を示したグラフである。
【０４３８】
［実施例４７］
血液試料導入の検知後０．０５秒から０．５５秒までの０．５秒間、電極Ａおよび電極Ｂ間に電圧１．９Ｖを印加した以外は、実施例４３と同様にして行った。各センサ１の作用極と対極との間に流れる電流を測定し、Ｈｃｔ値の測定における応答電流値および感度差の測定を行った（図７２ａ〜ｂ参照）。図７２ａは、実施例４７の、Ｈｃｔ４２％を基準にした、Ｇｌｕ値４５ｍｇ／ｄｌ、５５０ｍｇ／ｄｌそれぞれの場合の感度差（％）のグラフであり、図７２ｂは、実施例４７の、Ｇｌｕ４５ｍｇ／ｄｌを基準にした、Ｈｃｔ値０％、４２％、７０％それぞれの場合の感度差（％）のグラフであり、図７２ａおよび図７２ｂは夫々、検知後０．０５秒から０．５５秒時点でのそれぞれの場合の感度差を示したグラフである。
【０４３９】
［実施例４８］
血液試料導入の検知後０．０５秒から０．５５秒までの０．５秒間、電極Ａおよび電極Ｂ間に電圧２．０Ｖを印加した以外は、実施例４３と同様にして行った。各センサ１の作用極と対極との間に流れる電流を測定し、Ｈｃｔ値の測定における応答電流値および感度差の測定を行った（図７３ａ〜ｂ参照）。図７３ａは、実施例４８の、Ｈｃｔ４２％を基準にした、Ｇｌｕ値４５ｍｇ／ｄｌ、５５０ｍｇ／ｄｌそれぞれの場合の感度差（％）のグラフであり、図７３ｂは、実施例４８の、Ｇｌｕ４５ｍｇ／ｄｌを基準にした、Ｈｃｔ値０％、４２％、７０％それぞれの場合の感度差（％）のグラフであり、図７３ａおよび図７３ｂは夫々、検知後０．０５秒から０．５５秒時点でのそれぞれの場合の感度差を示したグラフである。
【０４４０】
［実施例４９］
血液試料導入の検知後０．０５秒から０．５５秒までの０．５秒間、電極Ａおよび電極Ｂ間に電圧２．５Ｖを印加した以外は、実施例４３と同様にして行った。各センサ１の作用極と対極との間に流れる電流を測定し、Ｈｃｔ値の測定における応答電流値および感度差の測定を行った（図７４ａ〜ｂ参照）。図７４ａは、実施例４９の、Ｈｃｔ４２％を基準にした、Ｇｌｕ値４５ｍｇ／ｄｌ、５５０ｍｇ／ｄｌそれぞれの場合の感度差（％）のグラフであり、図７４ｂは、実施例４９の、Ｇｌｕ４５ｍｇ／ｄｌを基準にした、Ｈｃｔ値０％、４２％、７０％それぞれの場合の感度差（％）のグラフであり、図７４ａおよび図７４ｂは夫々、検知後０．０５秒から０．５５秒時点でのそれぞれの場合の感度差を示したグラフである。
【０４４１】
［実施例５０］
血液試料導入の検知後０．０５秒から０．５５秒までの０．５秒間、電極Ａおよび電極Ｂ間に電圧３．０Ｖを印加した以外は、実施例４３と同様にして行った。各センサ１の作用極と対極との間に流れる電流を測定し、Ｈｃｔ値の測定における応答電流値および感度差の測定を行った（図７５ａ〜ｂ参照）。図７５ａは、実施例５０の、Ｈｃｔ４２％を基準にした、Ｇｌｕ値４５ｍｇ／ｄｌ、５５０ｍｇ／ｄｌそれぞれの場合の感度差（％）のグラフであり、図７５ｂは、実施例５０の、Ｇｌｕ４５ｍｇ／ｄｌを基準にした、Ｈｃｔ値０％、４２％、７０％それぞれの場合の感度差（％）のグラフであり、図７５ａおよび図７５ｂは夫々、検知後０．０５秒から０．５５秒時点でのそれぞれの場合の感度差を示したグラフである。
【０４４２】
［実施例５１］
血液試料導入の検知後０．０５秒から０．５５秒までの０．５秒間、電極Ａおよび電極Ｂ間に電圧３．５Ｖを印加した以外は、実施例４３と同様にして行った。各センサ１の作用極と対極との間に流れる電流を測定し、Ｈｃｔ値の測定における応答電流値および感度差の測定を行った（図７６ａ〜ｂ参照）。図７６ａは、実施例５１の、Ｈｃｔ４２％を基準にした、Ｇｌｕ値４５ｍｇ／ｄｌ、５５０ｍｇ／ｄｌそれぞれの場合の感度差（％）のグラフであり、図７６ｂは、実施例５１の、Ｇｌｕ４５ｍｇ／ｄｌを基準にした、Ｈｃｔ値０％、４２％、７０％それぞれの場合の感度差（％）のグラフであり、図７６ａおよび図７６ｂは夫々、検知後０．０５秒から０．５５秒時点でのそれぞれの場合の感度差を示したグラフである。
【０４４３】
［実施例５２］
血液試料導入の検知後０．０５秒から０．５５秒までの０．５秒間、電極Ａおよび電極Ｂ間に電圧４．０Ｖを印加した以外は、実施例４３と同様にて行った。各センサ１の作用極と対極との間に流れる電流を測定し、Ｈｃｔ値の測定における応答電流値および感度差の測定を行った（図７７ａ〜ｂ参照）。図７７ａは、実施例５２の、Ｈｃｔ４２％を基準にした、Ｇｌｕ値４５ｍｇ／ｄｌ、５５０ｍｇ／ｄｌそれぞれの場合の感度差（％）のグラフであり、図７７ｂは、実施例５２の、Ｇｌｕ４５ｍｇ／ｄｌを基準にした、Ｈｃｔ値０％、４２％、７０％それぞれの場合の感度差（％）のグラフであり、図７７ａおよび図７７ｂは夫々、検知後０．０５秒から０．５５秒時点でのそれぞれの場合の感度差を示したグラフである。
【０４４４】
実施例４３〜５２から、生体試料の導入検知後０．０５秒において、０．５秒間、作用極と対極へ電圧１．５〜４．０Ｖを印加した際、得られる電流値の感度は良好であり、その電流値に基づき得られるＨｃｔ値の精度が高いことが確認できた。
【０４４５】
［比較例７］
血液試料導入の検知後０．０５秒から１．０５秒までの１．０秒間、電極Ａおよび電極Ｂ間に電圧２．５Ｖを印加した（図１９（ｂ）参照）各センサ１の作用極と対極との間に流れる電流を測定し、Ｈｃｔ値の測定における応答電流値および感度差の測定を行った（図７８ａ〜ｂ参照）。図７８ａは、比較例７の、Ｈｃｔ４２％を基準にした、Ｇｌｕ値４５ｍｇ／ｄｌ、５５０ｍｇ／ｄｌそれぞれの場合の感度差（％）のグラフであり、図７８ｂは、比較例７の、Ｇｌｕ４５ｍｇ／ｄｌを基準にした、Ｈｃｔ値０％、４２％、７０％それぞれの場合の感度差（％）のグラフであり、図７８ａおよび図７８ｂは夫々、検知後０．０５秒から１．０５秒時点でのそれぞれの場合の感度差を示したグラフである。
【０４４６】
［比較例８］
血液試料導入の検知後０．０５秒から１．０５秒までの１．０秒間、電極Ａおよび電極Ｂ間に電圧３．０Ｖを印加した以外は、比較例７と同様にして行った。各センサ１の作用極と対極との間に流れる電流を測定し、Ｈｃｔ値の測定における応答電流値および感度差の測定を行った（図７９ａ〜ｂ参照）。図７９ａは、比較例８の、Ｈｃｔ４２％を基準にした、Ｇｌｕ値４５ｍｇ／ｄｌ、５５０ｍｇ／ｄｌそれぞれの場合の感度差（％）のグラフであり、図７９ｂは、比較例８の、Ｇｌｕ４５ｍｇ／ｄｌを基準にした、Ｈｃｔ値０％、４２％、７０％それぞれの場合の感度差（％）のグラフであり、図７９ａおよび図７９ｂは夫々、検知後０．０５秒から１．０５秒時点でのそれぞれの場合の感度差を示したグラフである。
【０４４７】
比較例７〜８から、血液導入開始後、印加時間を、１秒に変更して感度差のグラフを確認したが、時間が長くなる毎に、徐々にグルコース濃度の影響が大きくなるのが分かった。特に、比較例７にあるように印加時間が１秒の場合には、図７８ｂのように、特にＧｌｕ５５０ｍｇ／ｄｌを基準にした、Ｈｃｔ値０％、４２％、７０％の感度差のグラフに乖離が見受けられた。
【０４４８】
本発明の方法によれば、比較例７〜８と比較し、印加電圧１．５Ｖ〜２．０Ｖの実施例３３〜５２は、感度差（％）が小さいことから、Ｈｃｔの測定精度が向上したことが確認できた。また、これらの本発明の方法によれば、Ｈｃｔが短時間で測定できることが確認できた。
また、印加電圧２．５Ｖ〜４．０Ｖにおいても印加時間が１．０秒未満であれば、実施例３９〜４２および実施例４９〜５２において、上記と同様な効果を得ることが確認できた。
【０４４９】
［実施例５３］
図３の平面図の代わりに、図４の平面図に従った以外は実施例１と同様にしてバイオセンサ（第１バイオセンサ）を製造した。血液試料導入の検知後０秒から０．１秒までの０．１秒間、電極Ａおよび電極Ｂ間に電圧１．５Ｖを印加した（図８０（ａ）参照）。次いで、血液試料導入の検知後０．１秒から７．０秒の間、電極Ａおよび電極Ｂ間に電圧０．１〜１．０Ｖを複数回印加した（図８０（ａ）参照、Ｇｌｕのための印加）。最後に、次いで、血液試料導入の検知後７．１秒から７．５秒の間、電極Ｃおよび電極Ａ間に電圧２．５Ｖを印加した（図８０（ａ）参照、２つめのＨｃｔのための印加）。各センサ１の作用極と対極との間に流れる電流を測定し、Ｈｃｔ値の測定における応答電流値および感度差の測定を行った。図８１ａは、実施例５３の、Ｈｃｔ４２％を基準にした、Ｇｌｕ値４５ｍｇ／ｄｌ、５５０ｍｇ／ｄｌそれぞれの場合の感度差（％）のグラフであり、図８１ｂは、実施例５３の、Ｇｌｕ４５ｍｇ／ｄｌを基準にした、Ｈｃｔ値０％、４２％、７０％それぞれの場合の感度差（％）のグラフであり、図８１ａおよび図８１ｂは夫々、検知後０秒から０．１秒時点でのそれぞれの場合の感度差を示したグラフである。
【０４５０】
［実施例５４］
血液試料導入の検知後０秒から０．２秒までの０．２秒間、電極Ａおよび電極Ｂ間に電圧１．５Ｖを印加し、次いで、血液試料導入の検知後０．２秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例５３と同様にして行った。各センサ１の作用極と対極との間に流れる電流を測定し、Ｈｃｔ値の測定における応答電流値および感度差の測定を行った（図８２ａ〜ｂ参照）。図８２ａは、実施例５４の、Ｈｃｔ４２％を基準にした、Ｇｌｕ値４５ｍｇ／ｄｌ、５５０ｍｇ／ｄｌそれぞれの場合の感度差（％）のグラフであり、図８２ｂは、実施例５４の、Ｇｌｕ４５ｍｇ／ｄｌを基準にした、Ｈｃｔ値０％、４２％、７０％それぞれの場合の感度差（％）のグラフであり、図８２ａおよび図８２ｂは夫々、検知後０秒から０．２秒時点でのそれぞれの場合の感度差を示したグラフである。
【０４５１】
［実施例５５］
血液試料導入の検知後０秒から０．３秒までの０．３秒間、電極Ａおよび電極Ｂ間に電圧１．５Ｖを印加し、次いで、血液試料導入の検知後０．３秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例５３と同様にして行った。各センサ１の作用極と対極との間に流れる電流を測定し、Ｈｃｔ値の測定における応答電流値および感度差の測定を行った（図８３ａ〜ｂ参照）。図８３ａは、実施例５５の、Ｈｃｔ４２％を基準にした、Ｇｌｕ値４５ｍｇ／ｄｌ、５５０ｍｇ／ｄｌそれぞれの場合の感度差（％）のグラフであり、図８３ｂは、実施例５５の、Ｇｌｕ４５ｍｇ／ｄｌを基準にした、Ｈｃｔ値０％、４２％、７０％それぞれの場合の感度差（％）のグラフであり、図８３ａおよび図８３ｂは夫々、検知後０秒から０．３秒時点でのそれぞれの場合の感度差を示したグラフである。
【０４５２】
［実施例５６］
血液試料導入の検知後０秒から０．４秒までの０．４秒間、電極Ａおよび電極Ｂ間に電圧１．５Ｖを印加し、次いで、血液試料導入の検知後０．４秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例５３と同様にして行った。各センサ１の作用極と対極との間に流れる電流を測定し、Ｈｃｔ値の測定における応答電流値および感度差の測定を行った（図８４ａ〜ｂ参照）。図８４ａは、実施例５６の、Ｈｃｔ４２％を基準にした、Ｇｌｕ値４５ｍｇ／ｄｌ、５５０ｍｇ／ｄｌそれぞれの場合の感度差（％）のグラフであり、図８４ｂは、実施例５６の、Ｇｌｕ４５ｍｇ／ｄｌを基準にした、Ｈｃｔ値０％、４２％、７０％それぞれの場合の感度差（％）のグラフであり、図８４ａおよび図８４ｂは夫々、検知後０秒から０．４秒時点でのそれぞれの場合の感度差を示したグラフである。
【０４５３】
［実施例５７］
血液試料導入の検知後０秒から０．５秒までの０．５秒間、電極Ａおよび電極Ｂ間に電圧１．５Ｖを印加し、次いで、血液試料導入の検知後０．５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例５３と同様にして行った。各センサ１の作用極と対極との間に流れる電流を測定し、Ｈｃｔ値の測定における応答電流値および感度差の測定を行った（図８５ａ〜ｂ参照）。図８５ａは、実施例５７の、Ｈｃｔ４２％を基準にした、Ｇｌｕ値４５ｍｇ／ｄｌ、５５０ｍｇ／ｄｌそれぞれの場合の感度差（％）のグラフであり、図８５（ｂ）は、実施例５７の、Ｇｌｕ４５ｍｇ／ｄｌを基準にした、Ｈｃｔ値０％、４２％、７０％それぞれの場合の感度差（％）のグラフであり、図８５ａおよび図８５ｂは夫々、検知後０秒から０．５秒時点でのそれぞれの場合の感度差を示したグラフである。
【０４５４】
［実施例５８］
血液試料導入の検知後０秒から０．６秒までの０．６秒間、電極Ａおよび電極Ｂ間に電圧１．５Ｖを印加し、次いで、血液試料導入の検知後０．６秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例５３と同様にして行った。各センサ１の作用極と対極との間に流れる電流を測定し、Ｈｃｔ値の測定における応答電流値および感度差の測定を行った（図８６ａ〜ｂ参照）。図８６ａは、実施例５８の、Ｈｃｔ４２％を基準にした、Ｇｌｕ値４５ｍｇ／ｄｌ、５５０ｍｇ／ｄｌそれぞれの場合の感度差（％）のグラフであり、図８６ｂは、実施例５８の、Ｇｌｕ４５ｍｇ／ｄｌを基準にした、Ｈｃｔ値０％、４２％、７０％それぞれの場合の感度差（％）のグラフであり、図８６ａおよび図８６ｂは夫々、検知後０秒から０．６秒時点でのそれぞれの場合の感度差を示したグラフである。
【０４５５】
［実施例５９］
血液試料導入の検知後０秒から０．７秒までの０．７秒間、電極Ａおよび電極Ｂ間に電圧１．５Ｖを印加し、次いで、血液試料導入の検知後０．７秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例５３と同様にして行った。各センサ１の作用極と対極との間に流れる電流を測定し、Ｈｃｔ値の測定における応答電流値および感度差の測定を行った（図８７ａ〜ｂ参照）。図８７ａは、実施例５９の、Ｈｃｔ４２％を基準にした、Ｇｌｕ値４５ｍｇ／ｄｌ、５５０ｍｇ／ｄｌそれぞれの場合の感度差（％）のグラフであり、図８７ｂは、実施例５９の、Ｇｌｕ４５ｍｇ／ｄｌを基準にした、Ｈｃｔ値０％、４２％、７０％それぞれの場合の感度差（％）のグラフであり、図８７ａおよび図８７ｂは夫々、検知後０秒から０．７秒時点でのそれぞれの場合の感度差を示したグラフである。
【０４５６】
実施例５３〜５９から、生体試料の導入検知後すぐに（０秒）０．１〜０．７秒間、作用極と対極へ電圧１．５Ｖを印加した際、得られる電流値の感度は良好であり、その電流値に基づき得られるＨｃｔ値およびＧｌｕ値の精度が高いことが確認できた。
【０４５７】
［実施例６０］
血液試料導入の検知後０秒から０．１秒までの０．１秒間、電極Ａおよび電極Ｂ間に電圧２．０Ｖを印加し、次いで、血液試料導入の検知後０．１秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例５３と同様にして行った。各センサ１の作用極と対極との間に流れる電流を測定し、Ｈｃｔ値の測定における応答電流値および感度差の測定を行った（図８８ａ〜ｂ参照）。図８８ａは、実施例６０の、Ｈｃｔ４２％を基準にした、Ｇｌｕ値４５ｍｇ／ｄｌ、５５０ｍｇ／ｄｌそれぞれの場合の感度差（％）のグラフであり、図８８ｂは、実施例６０の、Ｇｌｕ４５ｍｇ／ｄｌを基準にした、Ｈｃｔ値０％、４２％、７０％それぞれの場合の感度差（％）のグラフであり、図８８ａおよび図８８ｂは夫々、検知後０秒から０．１秒時点でのそれぞれの場合の感度差を示したグラフである。
【０４５８】
［実施例６１］
血液試料導入の検知後０秒から０．２秒までの０．２秒間、電極Ａおよび電極Ｂ間に電圧２．０Ｖを印加し、次いで、血液試料導入の検知後０．２秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６０と同様にして行った。各センサ１の作用極と対極との間に流れる電流を測定し、Ｈｃｔ値の測定における応答電流値および感度差の測定を行った（図８９ａ〜ｂ参照）。図８９ａは、実施例６１の、Ｈｃｔ４２％を基準にした、Ｇｌｕ値４５ｍｇ／ｄｌ、５５０ｍｇ／ｄｌそれぞれの場合の感度差（％）のグラフであり、図８９ｂは、実施例６１の、Ｇｌｕ４５ｍｇ／ｄｌを基準にした、Ｈｃｔ値０％、４２％、７０％それぞれの場合の感度差（％）のグラフであり、図８９ａおよび図８９ｂは夫々、検知後０秒から０．２秒時点でのそれぞれの場合の感度差を示したグラフである。
【０４５９】
［実施例６２］
血液試料導入の検知後０秒から０．３秒までの０．３秒間、電極Ａおよび電極Ｂ間に電圧２．０Ｖを印加し、次いで、血液試料導入の検知後０．３秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６０と同様にして行った。各センサ１の作用極と対極との間に流れる電流を測定し、Ｈｃｔ値の測定における応答電流値および感度差の測定を行った（図９０ａ〜ｂ参照）。図９０ａは、実施例６２の、Ｈｃｔ４２％を基準にした、Ｇｌｕ値４５ｍｇ／ｄｌ、５５０ｍｇ／ｄｌそれぞれの場合の感度差（％）のグラフであり、図９０ｂは、実施例６２の、Ｇｌｕ４５ｍｇ／ｄｌを基準にした、Ｈｃｔ値０％、４２％、７０％それぞれの場合の感度差（％）のグラフであり、図９０ａおよび図９０ｂは夫々、検知後０秒から０．３秒時点でのそれぞれの場合の感度差を示したグラフである。
【０４６０】
［実施例６３］
血液試料導入の検知後０秒から０．４秒までの０．４秒間、電極Ａおよび電極Ｂ間に電圧２．０Ｖを印加し、次いで、血液試料導入の検知後０．４秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６０と同様にして行った。各センサ１の作用極と対極との間に流れる電流を測定し、Ｈｃｔ値の測定における応答電流値および感度差の測定を行った（図９１ａ〜ｂ参照）。図９１ａは、実施例６３の、Ｈｃｔ４２％を基準にした、Ｇｌｕ値４５ｍｇ／ｄｌ、５５０ｍｇ／ｄｌそれぞれの場合の感度差（％）のグラフであり、図９１ｂは、実施例６３の、Ｇｌｕ４５ｍｇ／ｄｌを基準にした、Ｈｃｔ値０％、４２％、７０％それぞれの場合の感度差（％）のグラフであり、図９１ａおよび図９１ｂは夫々、検知後０秒から０．４秒時点でのそれぞれの場合の感度差を示したグラフである。
【０４６１】
［実施例６４］
血液試料導入の検知後０秒から０．５秒までの０．５秒間、電極Ａおよび電極Ｂ間に電圧２．０Ｖを印加し、次いで、血液試料導入の検知後０．５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６０と同様にして行った。各センサ１の作用極と対極との間に流れる電流を測定し、Ｈｃｔ値の測定における応答電流値および感度差の測定を行った（図９２ａ〜ｂ参照）。図９２ａは、実施例６４の、Ｈｃｔ４２％を基準にした、Ｇｌｕ値４５ｍｇ／ｄｌ、５５０ｍｇ／ｄｌそれぞれの場合の感度差（％）のグラフであり、図９２ｂは、実施例６４の、Ｇｌｕ４５ｍｇ／ｄｌを基準にした、Ｈｃｔ値０％、４２％、７０％それぞれの場合の感度差（％）のグラフであり、図９２ａおよび図９２ｂは夫々、検知後０秒から０．５秒時点でのそれぞれの場合の感度差を示したグラフである。
【０４６２】
［実施例６５］
血液試料導入の検知後０秒から０．６秒までの０．６秒間、電極Ａおよび電極Ｂ間に電圧２．０Ｖを印加し、次いで、血液試料導入の検知後０．６秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６０と同様にして行った。各センサ１の作用極と対極との間に流れる電流を測定し、Ｈｃｔ値の測定における応答電流値および感度差の測定を行った（図９３ａ〜ｂ参照）。図９３ａは、実施例６５の、Ｈｃｔ４２％を基準にした、Ｇｌｕ値４５ｍｇ／ｄｌ、５５０ｍｇ／ｄｌそれぞれの場合の感度差（％）のグラフであり、図９３ｂは、実施例６５の、Ｇｌｕ４５ｍｇ／ｄｌを基準にした、Ｈｃｔ値０％、４２％、７０％それぞれの場合の感度差（％）のグラフであり、図９３ａおよび図９３ｂは夫々、検知後０秒から０．６秒時点でのそれぞれの場合の感度差を示したグラフである。
【０４６３】
［実施例６６］
血液試料導入の検知後０秒から０．７秒までの０．７秒間、電極Ａおよび電極Ｂ間に電圧２．０Ｖを印加し、次いで、血液試料導入の検知後０．７秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６０と同様にして行った。各センサ１の作用極と対極との間に流れる電流を測定し、Ｈｃｔ値の測定における応答電流値および感度差の測定を行った（図９４ａ〜ｂ参照）。図９４ａは、実施例６６の、Ｈｃｔ４２％を基準にした、Ｇｌｕ値４５ｍｇ／ｄｌ、５５０ｍｇ／ｄｌそれぞれの場合の感度差（％）のグラフであり、図９４ｂは、実施例６６の、Ｇｌｕ４５ｍｇ／ｄｌを基準にした、Ｈｃｔ値０％、４２％、７０％それぞれの場合の感度差（％）のグラフであり、図９４ａおよび図９４ｂは夫々、検知後０秒から０．７秒時点でのそれぞれの場合の感度差を示したグラフである。
【０４６４】
［比較例９］
血液試料導入の検知後０秒から０．８秒までの０．８秒間、電極Ａおよび電極Ｂ間に電圧２．０Ｖを印加し、次いで、血液試料導入の検知後０．８秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６０と同様にして行った。各センサ１の作用極と対極との間に流れる電流を測定し、Ｈｃｔ値の測定における応答電流値および感度差の測定を行った（図９５ａ〜ｂ参照）。図９５ａは、比較例９の、Ｈｃｔ４２％を基準にした、Ｇｌｕ値４５ｍｇ／ｄｌ、５５０ｍｇ／ｄｌそれぞれの場合の感度差（％）のグラフであり、図９５ｂは、比較例９の、Ｇｌｕ４５ｍｇ／ｄｌを基準にした、Ｈｃｔ値０％、４２％、７０％それぞれの場合の感度差（％）のグラフであり、図９５ａおよび図９５ｂは夫々、検知後０秒から０．８秒時点でのそれぞれの場合の感度差を示したグラフである。
【０４６５】
［比較例１０］
血液試料導入の検知後０秒から０．９秒までの０．９秒間、電極Ａおよび電極Ｂ間に電圧２．０Ｖを印加し、次いで、血液試料導入の検知後０．９秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６０と同様にして行った。各センサ１の作用極と対極との間に流れる電流を測定し、Ｈｃｔ値の測定における応答電流値および感度差の測定を行った（図９６ａ〜ｂ参照）。図９６ａは、比較例１０の、Ｈｃｔ４２％を基準にした、Ｇｌｕ値４５ｍｇ／ｄｌ、５５０ｍｇ／ｄｌそれぞれの場合の感度差（％）のグラフであり、図９６ｂは、比較例１０の、Ｇｌｕ４５ｍｇ／ｄｌを基準にした、Ｈｃｔ値０％、４２％、７０％それぞれの場合の感度差（％）のグラフであり、図９６ａおよび図９６ｂは夫々、検知後０秒から０．９秒時点でのそれぞれの場合の感度差を示したグラフである。
【０４６６】
［比較例１１］
血液試料導入の検知後０秒から１．０秒までの１．０秒間、電極Ａおよび電極Ｂ間に電圧２．０Ｖを印加し、次いで、血液試料導入の検知後１．０秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施７８と同様にして行った。各センサ１の作用極と対極との間に流れる電流を測定し、Ｈｃｔ値の測定における応答電流値および感度差の測定を行った（図９７ａ〜ｂ参照）。図９７ａは、比較例１１の、Ｈｃｔ４２％を基準にした、Ｇｌｕ値４５ｍｇ／ｄｌ、５５０ｍｇ／ｄｌそれぞれの場合の感度差（％）のグラフであり、図９７ｂは、比較例１１の、Ｇｌｕ４５ｍｇ／ｄｌを基準にした、Ｈｃｔ値０％、４２％、７０％それぞれの場合の感度差（％）のグラフであり、図９７ａおよび図９７ｂは夫々、検知後０秒から１．０秒時点でのそれぞれの場合の感度差を示したグラフである。
【０４６７】
実施例６０〜６６および比較例９〜１１から、生体試料の導入検知後すぐに（０秒）０．１〜０．７秒間、作用極と対極へ電圧２．０Ｖを印加した際、得られる電流値の感度は良好であり、その電流値に基づき得られるＨｃｔ値およびＧｌｕ値の精度が高いことが確認できた。
【０４６８】
［実施例６７］
血液試料導入の検知後０秒から０．１秒までの０．１秒間、電極Ａおよび電極Ｂ間に電圧２．５Ｖを印加し、次いで、血液試料導入の検知後０．１秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例５３と同様にして行った。各センサ１の作用極と対極との間に流れる電流を測定し、Ｈｃｔ値の測定における応答電流値および感度差の測定を行った（図９８ａ〜ｂ参照）。図９８ａは、実施例６７の、Ｈｃｔ４２％を基準にした、Ｇｌｕ値４５ｍｇ／ｄｌ、５５０ｍｇ／ｄｌそれぞれの場合の感度差（％）のグラフであり、図９８ｂは、実施例６７の、Ｇｌｕ４５ｍｇ／ｄｌを基準にした、Ｈｃｔ値０％、４２％、７０％それぞれの場合の感度差（％）のグラフであり、図９８ａおよび図９８ｂは夫々、検知後０秒から０．１秒時点でのそれぞれの場合の感度差を示したグラフである。
【０４６９】
［実施例６８］
血液試料導入の検知後０秒から０．２秒までの０．２秒間、電極Ａおよび電極Ｂ間に電圧２．５Ｖを印加し、次いで、血液試料導入の検知後０．２秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６７と同様にして行った。各センサ１の作用極と対極との間に流れる電流を測定し、Ｈｃｔ値の測定における応答電流値および感度差の測定を行った（図９９ａ〜ｂ参照）。図９９ａは、実施例６８の、Ｈｃｔ４２％を基準にした、Ｇｌｕ値４５ｍｇ／ｄｌ、５５０ｍｇ／ｄｌそれぞれの場合の感度差（％）のグラフであり、図９９ｂは、実施例６８の、Ｇｌｕ４５ｍｇ／ｄｌを基準にした、Ｈｃｔ値０％、４２％、７０％それぞれの場合の感度差（％）のグラフであり、図９９ａおよび図９９ｂは夫々、検知後０秒から０．２秒時点でのそれぞれの場合の感度差を示したグラフである。
【０４７０】
［実施例６９］
血液試料導入の検知後０秒から０．３秒までの０．３秒間、電極Ａおよび電極Ｂ間に電圧２．５Ｖを印加し、次いで、血液試料導入の検知後０．３秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６７と同様にして行った。各センサ１の作用極と対極との間に流れる電流を測定し、Ｈｃｔ値の測定における応答電流値および感度差の測定を行った（図１００ａ〜ｂ参照）。図１００ａは、実施例６９の、Ｈｃｔ４２％を基準にした、Ｇｌｕ値４５ｍｇ／ｄｌ、５５０ｍｇ／ｄｌそれぞれの場合の感度差（％）のグラフであり、図１００ｂは、実施例６９の、Ｇｌｕ４５ｍｇ／ｄｌを基準にした、Ｈｃｔ値０％、４２％、７０％それぞれの場合の感度差（％）のグラフであり、図１００ａおよび図１００ｂは夫々、検知後０秒から０．３秒時点でのそれぞれの場合の感度差を示したグラフである。
【０４７１】
［実施例７０］
血液試料導入の検知後０秒から０．４秒までの０．４秒間、電極Ａおよび電極Ｂ間に電圧２．５Ｖを印加し、次いで、血液試料導入の検知後０．４秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６７と同様にして行った。各センサ１の作用極と対極との間に流れる電流を測定し、Ｈｃｔ値の測定における応答電流値および感度差の測定を行った（図１０１ａ〜ｂ参照）。図１０１ａは、実施例７０の、Ｈｃｔ４２％を基準にした、Ｇｌｕ値４５ｍｇ／ｄｌ、５５０ｍｇ／ｄｌそれぞれの場合の感度差（％）のグラフであり、図１０１ｂは、実施例７０の、Ｇｌｕ４５ｍｇ／ｄｌを基準にした、Ｈｃｔ値０％、４２％、７０％それぞれの場合の感度差（％）のグラフであり、図１０１ａおよび図１０１ｂは夫々、検知後０秒から０．４秒時点でのそれぞれの場合の感度差を示したグラフである。
【０４７２】
［実施例７１］
血液試料導入の検知後０秒から０．５秒までの０．５秒間、電極Ａおよび電極Ｂ間に電圧２．５Ｖを印加し、次いで、血液試料導入の検知後０．５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６７と同様にして行った。各センサ１の作用極と対極との間に流れる電流を測定し、Ｈｃｔ値の測定における応答電流値および感度差の測定を行った（図１０２ａ〜ｂ参照）。図１０２ａは、実施例７１の、Ｈｃｔ４２％を基準にした、Ｇｌｕ値４５ｍｇ／ｄｌ、５５０ｍｇ／ｄｌそれぞれの場合の感度差（％）のグラフであり、図１０２ｂは、実施例７１の、Ｇｌｕ４５ｍｇ／ｄｌを基準にした、Ｈｃｔ値０％、４２％、７０％それぞれの場合の感度差（％）のグラフであり、図１０２ａおよび図１０２ｂは夫々、検知後０秒から０．５秒時点でのそれぞれの場合の感度差を示したグラフである。
【０４７３】
［実施例７２］
血液試料導入の検知後０秒から０．６秒までの０．６秒間、電極Ａおよび電極Ｂ間に電圧２．５Ｖを印加し、次いで、血液試料導入の検知後０．６秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６７と同様にして行った。各センサ１の作用極と対極との間に流れる電流を測定し、Ｈｃｔ値の測定における応答電流値および感度差の測定を行った（図１０３ａ〜ｂ参照）。図１０３ａは、実施例７２の、Ｈｃｔ４２％を基準にした、Ｇｌｕ値４５ｍｇ／ｄｌ、５５０ｍｇ／ｄｌそれぞれの場合の感度差（％）のグラフであり、図１０３ｂは、実施例７２の、Ｇｌｕ４５ｍｇ／ｄｌを基準にした、Ｈｃｔ値０％、４２％、７０％それぞれの場合の感度差（％）のグラフであり、図１０３ａおよび図１０３ｂは夫々、検知後０秒から０．６秒時点でのそれぞれの場合の感度差を示したグラフである。
【０４７４】
［実施例７３］
血液試料導入の検知後０秒から０．７秒までの０．７秒間、電極Ａおよび電極Ｂ間に電圧２．５Ｖを印加し、次いで、血液試料導入の検知後０．７秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６７と同様にして行った。各センサ１の作用極と対極との間に流れる電流を測定し、Ｈｃｔ値の測定における応答電流値および感度差の測定を行った（図１０４ａ〜ｂ参照）。図１０４ａは、実施例７３の、Ｈｃｔ４２％を基準にした、Ｇｌｕ値４５ｍｇ／ｄｌ、５５０ｍｇ／ｄｌそれぞれの場合の感度差（％）のグラフであり、図１０４ｂは、実施例７３の、Ｇｌｕ４５ｍｇ／ｄｌを基準にした、Ｈｃｔ値０％、４２％、７０％それぞれの場合の感度差（％）のグラフであり、図１０４ａおよび図１０４ｂは夫々、検知後０秒から０．７秒時点でのそれぞれの場合の感度差を示したグラフである。
【０４７５】
［比較例１２］
血液試料導入の検知後０秒から０．９秒までの０．９秒間、電極Ａおよび電極Ｂ間に電圧２．５Ｖを印加し、次いで、血液試料導入の検知後０．９秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６７と同様にして行った。各センサ１の作用極と対極との間に流れる電流を測定し、Ｈｃｔ値の測定における応答電流値および感度差の測定を行った（図１０５ａ〜ｂ参照）。図１０５ａは、比較例１２の、Ｈｃｔ４２％を基準にした、印加電圧に対する感度差（％）の経時変化のグラフであり、図１０５ｂは、比較例１２の、Ｇｌｕ４５％を基準にした、印加電圧に対する感度差（％）の経時変化のグラフであり、図１０５ａおよび図１０５ｂは夫々、検知後０秒から０．９秒時点でのそれぞれの場合の感度差を示したグラフである。
【０４７６】
［比較例１３］
血液試料導入の検知後０秒から１．０秒までの１．０秒間、電極Ａおよび電極Ｂ間に電圧２．５Ｖを印加し、次いで、血液試料導入の検知後１．０秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例６７と同様にして行った。各センサ１の作用極と対極との間に流れる電流を測定し、Ｈｃｔ値の測定における応答電流値および感度差の測定を行った（図１０６ａ〜ｂ参照）。図１０６ａは、比較例１３の、Ｈｃｔ４２％を基準にした、Ｇｌｕ値４５ｍｇ／ｄｌ、５５０ｍｇ／ｄｌそれぞれの場合の感度差（％）のグラフであり、図１０６ｂは、比較例１３の、Ｇｌｕ４５ｍｇ／ｄｌを基準にした、Ｈｃｔ値０％、４２％、７０％それぞれの場合の感度差（％）のグラフであり、図１０６ａおよび図１０６ｂは夫々、検知後０秒から１．０秒時点でのそれぞれの場合の感度差を示したグラフである。
【０４７７】
実施例６７〜７３および比較例１２〜１３から、生体試料の導入検知後すぐに（０秒）０．１〜０．７秒間、作用極と対極へ電圧２．５Ｖを印加した際、得られる電流値の感度は良好であり、その電流値に基づき得られるＨｃｔ値およびＧｌｕ値の精度が高いことが確認できた。血液導入開始後、印加時間を、０．１〜１．０秒までに変更して感度差のグラフを確認したが、時間が長くなる毎に、徐々にグルコース濃度の影響が大きくなるのが分かった。特に、比較例１２にあるように印加時間が０．９秒の際には、図１０５ｂのように、特にＧｌｕ５５０ｍｇ／ｄｌを基準にした、Ｈｃｔ値０％、４２％、７０％の感度差のグラフに乖離が見受けられた。
【０４７８】
［実施例７４］
図３の平面図の代わりに、図４の平面図に従った以外は実施例１と同様にしてバイオセンサ（第１バイオセンサ）を製造した。血液試料導入の検知後０．０５秒から０．１５秒までの０．１秒間、電極Ａおよび電極Ｂ間に電圧１．５Ｖを印加した（図８０（ｂ）参照）。次いで、血液試料導入の検知後０．１５秒から７．０５秒の間、電圧０．１〜１．０Ｖを複数回印加した（図８０（ｂ）参照、Ｇｌｕのための印加）。最後に、次いで、血液試料導入の検知後７．１５秒から７．５５秒の間、電圧２．５Ｖを印加した（図８０（ｂ）参照、２つめのＨｃｔのための印加）。各センサ１の作用極と対極との間に流れる電流を測定し、Ｈｃｔ値の測定における応答電流値および感度差の測定を行った。図１０７ａは、実施例７４の、Ｈｃｔ４２％を基準にした、Ｇｌｕ値４５ｍｇ／ｄｌ、５５０ｍｇ／ｄｌそれぞれの場合の感度差（％）のグラフであり、図１０７ｂは、実施例７４の、Ｇｌｕ４５ｍｇ／ｄｌを基準にした、Ｈｃｔ値０％、４２％、７０％それぞれの場合の感度差（％）のグラフであり、図１０７ａおよび図１０７ｂは夫々、検知後０．０５秒から０．１５秒時点でのそれぞれの場合の感度差を示したグラフである。
【０４７９】
［実施例７５］
血液試料導入の検知後０．０５秒から０．２５秒までの０．２秒間、電極Ａおよび電極Ｂ間に電圧１．５Ｖを印加し、次いで、血液試料導入の検知後０．２５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例７４と同様にして行った。各センサ１の作用極と対極との間に流れる電流を測定し、Ｈｃｔ値の測定における応答電流値および感度差の測定を行った（図１０８ａ〜ｂ参照）。図１０８ａは、実施例７５の、Ｈｃｔ４２％を基準にした、Ｇｌｕ値４５ｍｇ／ｄｌ、５５０ｍｇ／ｄｌそれぞれの場合の感度差（％）のグラフであり、図１０８ｂは、実施例７５の、Ｇｌｕ４５ｍｇ／ｄｌを基準にした、Ｈｃｔ値０％、４２％、７０％それぞれの場合の感度差（％）のグラフであり、図１０８ａおよび図１０８ｂは夫々、検知後０．０５秒から０．２５秒時点でのそれぞれの場合の感度差を示したグラフである。
【０４８０】
［実施例７６］
血液試料導入の検知後０．０５秒から０．３５秒までの０．３秒間、電極Ａおよび電極Ｂ間に電圧１．５Ｖを印加し、次いで、血液試料導入の検知後０．３秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例７４と同様にして行った。各センサ１の作用極と対極との間に流れる電流を測定し、Ｈｃｔ値の測定における応答電流値および感度差の測定を行った（図１０９ａ〜ｂ参照）。図１０９ａは、実施例７６の、Ｈｃｔ４２％を基準にした、Ｇｌｕ値４５ｍｇ／ｄｌ、５５０ｍｇ／ｄｌそれぞれの場合の感度差（％）のグラフであり、図１０９ｂは、実施例７６の、Ｇｌｕ４５ｍｇ／ｄｌを基準にした、Ｈｃｔ値０％、４２％、７０％それぞれの場合の感度差（％）のグラフであり、図１０９ａおよび図１０９ｂは夫々、検知後０．０５秒から０．３５秒時点でのそれぞれの場合の感度差を示したグラフである。
【０４８１】
［実施例７７］
血液試料導入の検知後０．０５秒から０．４５秒までの０．４秒間、電極Ａおよび電極Ｂ間に電圧１．５Ｖを印加し、次いで、血液試料導入の検知後０．４５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例７４と同様にして行った。各センサ１の作用極と対極との間に流れる電流を測定し、Ｈｃｔ値の測定における応答電流値および感度差の測定を行った（図１１０ａ〜ｂ参照）。図１１０ａは、実施例７７の、Ｈｃｔ４２％を基準にした、Ｇｌｕ値４５ｍｇ／ｄｌ、５５０ｍｇ／ｄｌそれぞれの場合の感度差（％）のグラフであり、図１１０ｂは、実施例７７の、Ｇｌｕ４５ｍｇ／ｄｌを基準にした、Ｈｃｔ値０％、４２％、７０％それぞれの場合の感度差（％）のグラフであり、図１１０ａおよび図１１０ｂは夫々、検知後０．０５秒から０．４５秒時点でのそれぞれの場合の感度差を示したグラフである。
【０４８２】
［実施例７８］
血液試料導入の検知後０．０５秒から０．５５秒までの０．５秒間、電極Ａおよび電極Ｂ間に電圧１．５Ｖを印加し、次いで、血液試料導入の検知後０．５５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例７４と同様にして行った。各センサ１の作用極と対極との間に流れる電流を測定し、Ｈｃｔ値の測定における応答電流値および感度差の測定を行った（図１１１ａ〜ｂ参照）。図１１１ａは、実施例７８の、Ｈｃｔ４２％を基準にした、Ｇｌｕ値４５ｍｇ／ｄｌ、５５０ｍｇ／ｄｌそれぞれの場合の感度差（％）のグラフであり、図１１１ｂは、実施例７８の、Ｇｌｕ４５ｍｇ／ｄｌを基準にした、Ｈｃｔ値０％、４２％、７０％それぞれの場合の感度差（％）のグラフであり、図１１１ａおよび図１１１ｂは夫々、検知後０．０５秒から０．５５秒時点でのそれぞれの場合の感度差を示したグラフである。
【０４８３】
［実施例７９］
血液試料導入の検知後０．０５秒から０．６５秒までの０．６秒間、電極Ａおよび電極Ｂ間に電圧１．５Ｖを印加し、次いで、血液試料導入の検知後０．６５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例７４と同様にして行った。各センサ１の作用極と対極との間に流れる電流を測定し、Ｈｃｔ値の測定における応答電流値および感度差の測定を行った（図１１２ａ〜ｂ参照）。図１１２ａは、実施例７９の、Ｈｃｔ４２％を基準にした、Ｇｌｕ値４５ｍｇ／ｄｌ、５５０ｍｇ／ｄｌそれぞれの場合の感度差（％）のグラフであり、図１１２ｂは、実施例７９の、Ｇｌｕ４５ｍｇ／ｄｌを基準にした、Ｈｃｔ値０％、４２％、７０％それぞれの場合の感度差（％）のグラフであり、図１１２ａおよび図１１２ｂは夫々、検知後０．０５秒から０．６５秒時点でのそれぞれの場合の感度差を示したグラフである。
【０４８４】
［実施例８０］
血液試料導入の検知後０．０５秒から０．７５秒までの０．７秒間、電極Ａおよび電極Ｂ間に電圧１．５Ｖを印加し、次いで、血液試料導入の検知後０．７５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例７４と同様にして行った。各センサ１の作用極と対極との間に流れる電流を測定し、Ｈｃｔ値の測定における応答電流値および感度差の測定を行った（図１１３ａ〜ｂ参照）。図１１３ａは、実施例８０の、Ｈｃｔ４２％を基準にした、Ｇｌｕ値４５ｍｇ／ｄｌ、５５０ｍｇ／ｄｌそれぞれの場合の感度差（％）のグラフであり、図１１３ｂは、実施例８０の、Ｇｌｕ４５ｍｇ／ｄｌを基準にした、Ｈｃｔ値０％、４２％、７０％それぞれの場合の感度差（％）のグラフであり、図１１３ａおよび図１１３ｂは夫々、検知後０．０５秒から０．７５秒時点でのそれぞれの場合の感度差を示したグラフである。
【０４８５】
実施例７４〜８０から、生体試料の導入検知後０．０５秒において、０．１〜０．７秒間、作用極と対極へ電圧１．５Ｖを印加した際、得られる電流値の感度は良好であり、その電流値に基づき得られるＨｃｔ値およびＧｌｕ値の精度が高いことが確認できた。
【０４８６】
［実施例８１］
血液試料導入の検知後０．０５秒から０．１５秒までの０．１秒間、電極Ａおよび電極Ｂ間に電圧２．０Ｖを印加し、次いで、血液試料導入の検知後０．１５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例７４と同様にして行った。各センサ１の作用極と対極との間に流れる電流を測定し、Ｈｃｔ値の測定における応答電流値および感度差の測定を行った（図１１４ａ〜ｂ参照）。図１１４ａは、実施例８１の、Ｈｃｔ４２％を基準にした、Ｇｌｕ値４５ｍｇ／ｄｌ、５５０ｍｇ／ｄｌそれぞれの場合の感度差（％）のグラフであり、図１１４ｂは、実施例８１の、Ｇｌｕ４５ｍｇ／ｄｌを基準にした、Ｈｃｔ値０％、４２％、７０％それぞれの場合の感度差（％）のグラフであり、図１１４ａおよび図１１４ｂは夫々、検知後０．０５秒から０．１５秒時点でのそれぞれの場合の感度差を示したグラフである。
【０４８７】
［実施例８２］
血液試料導入の検知後０．０５秒から０．２５秒までの０．２秒間、電極Ａおよび電極Ｂ間に電圧２．０Ｖを印加し、次いで、血液試料導入の検知後０．２５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例８１と同様にして行った。各センサ１の作用極と対極との間に流れる電流を測定し、Ｈｃｔ値の測定における応答電流値および感度差の測定を行った（図１１５ａ〜ｂ参照）。図１１５ａは、実施例８２の、Ｈｃｔ４２％を基準にした、Ｇｌｕ値４５ｍｇ／ｄｌ、５５０ｍｇ／ｄｌそれぞれの場合の感度差（％）のグラフであり、図１１５ｂは、実施例８２の、Ｇｌｕ４５ｍｇ／ｄｌを基準にした、Ｈｃｔ値０％、４２％、７０％それぞれの場合の感度差（％）のグラフであり、図１１５ａおよび図１１５ｂは夫々、検知後０．０５秒から０．２５秒時点でのそれぞれの場合の感度差を示したグラフである。
【０４８８】
［実施例８３］
血液試料導入の検知後０．０５秒から０．３５秒までの０．３秒間、電極Ａおよび電極Ｂ間に電圧２．０Ｖを印加し、次いで、血液試料導入の検知後０．３５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例８１と同様にして行った。各センサ１の作用極と対極との間に流れる電流を測定し、Ｈｃｔ値の測定における応答電流値および感度差の測定を行った（図１１６ａ〜ｂ参照）。図１１６ａは、実施例８３の、Ｈｃｔ４２％を基準にした、Ｇｌｕ値４５ｍｇ／ｄｌ、５５０ｍｇ／ｄｌそれぞれの場合の感度差（％）のグラフであり、図１１６ｂは、実施例８３の、Ｇｌｕ４５ｍｇ／ｄｌを基準にした、Ｈｃｔ値０％、４２％、７０％それぞれの場合の感度差（％）のグラフであり、図１１６ａおよび図１１６ｂは夫々、検知後０．０５秒から０．３５秒時点でのそれぞれの場合の感度差を示したグラフである。
【０４８９】
［実施例８４］
血液試料導入の検知後０．０５秒から０．４５秒までの０．４秒間、電極Ａおよび電極Ｂ間に電圧２．０Ｖを印加し、次いで、血液試料導入の検知後０．４５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例８１と同様にして行った。各センサ１の作用極と対極との間に流れる電流を測定し、Ｈｃｔ値の測定における応答電流値および感度差の測定を行った（図１１７ａ〜ｂ参照）。図１１７ａは、実施例８４の、Ｈｃｔ４２％を基準にした、Ｇｌｕ値４５ｍｇ／ｄｌ、５５０ｍｇ／ｄｌそれぞれの場合の感度差（％）のグラフであり、図１１７ｂは、実施例８４の、Ｇｌｕ４５ｍｇ／ｄｌを基準にした、Ｈｃｔ値０％、４２％、７０％それぞれの場合の感度差（％）のグラフであり、図１１７ａおよび図１１７ｂは夫々、検知後０．０５秒から０．４５秒時点でのそれぞれの場合の感度差を示したグラフである。
【０４９０】
［実施例８５］
血液試料導入の検知後０．０５秒から０．５５秒までの０．５秒間、電極Ａおよび電極Ｂ間に電圧２．０Ｖを印加し、次いで、血液試料導入の検知後０．５５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例８１と同様にして行った。各センサ１の作用極と対極との間に流れる電流を測定し、Ｈｃｔ値の測定における応答電流値および感度差の測定を行った（図１１８ａ〜ｂ参照）。図１１８ａは、実施例８５の、Ｈｃｔ４２％を基準にした、Ｇｌｕ値４５ｍｇ／ｄｌ、５５０ｍｇ／ｄｌそれぞれの場合の感度差（％）のグラフであり、図１１８ｂは、実施例８５の、Ｇｌｕ４５ｍｇ／ｄｌを基準にした、Ｈｃｔ値０％、４２％、７０％それぞれの場合の感度差（％）のグラフであり、図１１８ａおよび図１１８ｂは夫々、検知後０．０５秒から０．５５秒時点でのそれぞれの場合の感度差を示したグラフである。
【０４９１】
［実施例８６］
血液試料導入の検知後０．０５秒から０．６５秒までの０．６秒間、電極Ａおよび電極Ｂ間に電圧２．０Ｖを印加し、次いで、血液試料導入の検知後０．６５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例８１と同様にして行った。各センサ１の作用極と対極との間に流れる電流を測定し、Ｈｃｔ値の測定における応答電流値および感度差の測定を行った（図１１９ａ〜ｂ参照）。図１１９ａは、実施例８６の、Ｈｃｔ４２％を基準にした、Ｇｌｕ値４５ｍｇ／ｄｌ、５５０ｍｇ／ｄｌそれぞれの場合の感度差（％）のグラフであり、図１１９ｂは、実施例８６の、Ｇｌｕ４５ｍｇ／ｄｌを基準にした、Ｈｃｔ値０％、４２％、７０％それぞれの場合の感度差（％）のグラフであり、図１１９ａおよび図１１９ｂは夫々、検知後０．０５秒から０．６５秒時点でのそれぞれの場合の感度差を示したグラフである。
【０４９２】
［実施例８７］
血液試料導入の検知後０．０５秒から０．７５秒までの０．７秒間、電極Ａおよび電極Ｂ間に電圧２．０Ｖを印加し、次いで、血液試料導入の検知後０．７５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例８１と同様にして行った。各センサ１の作用極と対極との間に流れる電流を測定し、Ｈｃｔ値の測定における応答電流値および感度差の測定を行った（図１２０ａ〜ｂ参照）。図１２０ａは、実施例８７の、Ｈｃｔ４２％を基準にした、Ｇｌｕ値４５ｍｇ／ｄｌ、５５０ｍｇ／ｄｌそれぞれの場合の感度差（％）のグラフであり、図１２０ｂは、実施例８７の、Ｇｌｕ４５ｍｇ／ｄｌを基準にした、Ｈｃｔ値０％、４２％、７０％それぞれの場合の感度差（％）のグラフであり、図１２０ａおよび図１２０ｂは夫々、検知後０．０５秒から０．７５秒時点でのそれぞれの場合の感度差を示したグラフである。
【０４９３】
実施例８１〜８７から、生体試料の導入検知後０．０５秒において、０．１〜０．７秒間、作用極と対極へ電圧２．０Ｖを印加した際、得られる電流値の感度は良好であり、その電流値に基づき得られるＨｃｔ値およびＧｌｕ値の精度が高いことが確認できた。
【０４９４】
［実施例８８］
血液試料導入の検知後０．０５秒から０．１５秒までの０．１秒間、電極Ａおよび電極Ｂ間に電圧２．５Ｖを印加し、次いで、血液試料導入の検知後０．１５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例７４と同様にして行った。各センサ１の作用極と対極との間に流れる電流を測定し、Ｈｃｔ値の測定における応答電流値および感度差の測定を行った（図１２１ａ〜ｂ参照）。図１２１ａは、実施例８８の、Ｈｃｔ４２％を基準にした、Ｇｌｕ値４５ｍｇ／ｄｌ、５５０ｍｇ／ｄｌそれぞれの場合の感度差（％）のグラフであり、図１２１ｂは、実施例８８の、Ｇｌｕ４５ｍｇ／ｄｌを基準にした、Ｈｃｔ値０％、４２％、７０％それぞれの場合の感度差（％）のグラフであり、図１２１ａおよび図１２１ｂは夫々、検知後０．０５秒から０．１５秒時点でのそれぞれの場合の感度差を示したグラフである。
【０４９５】
［実施例８９］
血液試料導入の検知後０．０５秒から０．２５秒までの０．２秒間、電極Ａおよび電極Ｂ間に電圧２．５Ｖを印加し、次いで、血液試料導入の検知後０．２５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例８８と同様にして行った。各センサ１の作用極と対極との間に流れる電流を測定し、Ｈｃｔ値の測定における応答電流値および感度差の測定を行った（図１２２ａ〜ｂ参照）。図１２２ａは、実施例８９の、Ｈｃｔ４２％を基準にした、Ｇｌｕ値４５ｍｇ／ｄｌ、５５０ｍｇ／ｄｌそれぞれの場合の感度差（％）のグラフであり、図１２２ｂは、実施例８９の、Ｇｌｕ４５ｍｇ／ｄｌを基準にした、Ｈｃｔ値０％、４２％、７０％それぞれの場合の感度差（％）のグラフであり、図１２２ａおよび図１２２ｂは夫々、検知後０．０５秒から０．２５秒時点でのそれぞれの場合の感度差を示したグラフである。
【０４９６】
［実施例９０］
血液試料導入の検知後０．０５秒から０．３５秒までの０．３秒間、電極Ａおよび電極Ｂ間に電圧２．５Ｖを印加し、次いで、血液試料導入の検知後０．３５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例８８と同様にして行った。各センサ１の作用極と対極との間に流れる電流を測定し、Ｈｃｔ値の測定における応答電流値および感度差の測定を行った（図１２３ａ〜ｂ参照）。図１２３ａは、実施例９０の、Ｈｃｔ４２％を基準にした、Ｇｌｕ値４５ｍｇ／ｄｌ、５５０ｍｇ／ｄｌそれぞれの場合の感度差（％）のグラフであり、図１２３ｂは、実施例９０の、Ｇｌｕ４５ｍｇ／ｄｌを基準にした、Ｈｃｔ値０％、４２％、７０％それぞれの場合の感度差（％）のグラフであり、図１２３ａおよび図１２３ｂは夫々、検知後０．０５秒から０．３５秒時点でのそれぞれの場合の感度差を示したグラフである。
【０４９７】
［実施例９１］
血液試料導入の検知後０．０５秒から０．４５秒までの０．４秒間、電極Ａおよび電極Ｂ間に電圧２．５Ｖを印加し、次いで、血液試料導入の検知後０．４５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例８８と同様にして行った。各センサ１の作用極と対極との間に流れる電流を測定し、Ｈｃｔ値の測定における応答電流値および感度差の測定を行った（図１２４ａ〜ｂ参照）。図１２４ａは、実施例９１の、Ｈｃｔ４２％を基準にした、Ｇｌｕ値４５ｍｇ／ｄｌ、５５０ｍｇ／ｄｌそれぞれの場合の感度差（％）のグラフであり、図１２４ｂは、実施例９１の、Ｇｌｕ４５ｍｇ／ｄｌを基準にした、Ｈｃｔ値０％、４２％、７０％それぞれの場合の感度差（％）のグラフであり、図１２４ａおよび図１２４ｂは夫々、検知後０．０５秒から０．４５秒時点でのそれぞれの場合の感度差を示したグラフである。
【０４９８】
［実施例９２］
血液試料導入の検知後０．０５秒から０．５５秒までの０．５秒間、電極Ａおよび電極Ｂ間に電圧２．５Ｖを印加し、次いで、血液試料導入の検知後０．５５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例８８と同様にして行った。各センサ１の作用極と対極との間に流れる電流を測定し、Ｈｃｔ値の測定における応答電流値および感度差の測定を行った（図１２５ａ〜ｂ参照）。図１２５ａは、実施例９２の、Ｈｃｔ４２％を基準にした、Ｇｌｕ値４５ｍｇ／ｄｌ、５５０ｍｇ／ｄｌそれぞれの場合の感度差（％）のグラフであり、図１２５ｂは、実施例９２の、Ｇｌｕ４５ｍｇ／ｄｌを基準にした、Ｈｃｔ値０％、４２％、７０％それぞれの場合の感度差（％）のグラフであり、図１２５ａおよび図１２５ｂは夫々、検知後０．０５秒から０．５５秒時点でのそれぞれの場合の感度差を示したグラフである。
【０４９９】
［実施例９３］
血液試料導入の検知後０．０５秒から０．６５秒までの０．６秒間、電極Ａおよび電極Ｂ間に電圧２．５Ｖを印加し、次いで、血液試料導入の検知後０．６５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例８８と同様にして行った。各センサ１の作用極と対極との間に流れる電流を測定し、Ｈｃｔ値の測定における応答電流値および感度差の測定を行った（図１２６ａ〜ｂ参照）。図１２６ａは、実施例９３の、Ｈｃｔ４２％を基準にした、Ｇｌｕ値４５ｍｇ／ｄｌ、５５０ｍｇ／ｄｌそれぞれの場合の感度差（％）のグラフであり、図１２６ｂは、実施例９３の、Ｇｌｕ４５ｍｇ／ｄｌを基準にした、Ｈｃｔ値０％、４２％、７０％それぞれの場合の感度差（％）のグラフであり、図１２６ａおよび図１２６ｂは夫々、検知後０．０５秒から０．６５秒時点でのそれぞれの場合の感度差を示したグラフである。
【０５００】
［比較例１４］
血液試料導入の検知後０．０５秒から０．８５秒までの０．８秒間、電極Ａおよび電極Ｂ間に電圧２．５Ｖを印加し、次いで、血液試料導入の検知後０．８５秒から７．０秒の間、電極Ａおよび電極Ｂ間に電圧０．１〜１．０Ｖを複数回印加し、最後に、血液試料導入の検知後７．１秒から７．５秒の間、電極Ｃおよび電極Ａ間に電圧２．５Ｖを印加した以外は、実施例８８と同様にして行った。各センサ１の作用極と対極との間に流れる電流を測定し、Ｈｃｔ値の測定における応答電流値および感度差の測定を行った（図１２７ａ〜ｂ参照）。図１２７ａは、比較例１４の、Ｈｃｔ４２％を基準にした、Ｇｌｕ値４５ｍｇ／ｄｌ、５５０ｍｇ／ｄｌそれぞれの場合の感度差（％）のグラフであり、図１２７ｂは、比較例１４の、Ｇｌｕ４５ｍｇ／ｄｌを基準にした、Ｈｃｔ値０％、４２％、７０％それぞれの場合の感度差（％）のグラフであり、図１２７ａおよび図１２７ｂは夫々、検知後０．０５秒から０．８５秒時点でのそれぞれの場合の感度差を示したグラフである。
【０５０１】
実施例８８〜９３および比較例１４から、生体試料の導入検知後０．０５秒において、０．１〜０．６秒の間、作用極と対極へ電圧２．５Ｖを印加した際、得られる電流値の感度は良好であり、その電流値に基づき得られるＨｃｔ値およびＧｌｕ値の精度が高いことが確認できた。血液導入開始後、印加時間を、０〜０．８秒までに変更して感度差のグラフを確認したが、時間が長くなる毎に、徐々にグルコース濃度の影響が大きくなるのが分かった。特に、比較例１４にあるように印加時間が０．８秒の際には、図１２７ｂのように、特にＧｌｕ５５０ｍｇ／ｄｌを基準にした、Ｈｃｔ値０％、４２％、７０％の感度差のグラフに乖離が見受けられた。
【０５０２】
本発明の方法によれば、印加時間０秒より大きく０．６秒以下の実施例は、感度差（％）が小さいことから、Ｈｃｔの測定精度が向上したことが確認できた。また、本発明の方法によれば、Ｈｃｔが短時間で測定できることが確認できた。従って、このようなＨｃｔ値を得ることにより、補正したＧｌｕ値を短時間で得ることができた。また、本発明によれば、前記試薬部に接した電極近傍のＧｌｕに依存する電流値と、同じ電極近傍のＨｃｔに依存する電流値を用いてＧｌｕ値を得るため、電極近傍の生体試料の特性をより精度高く反映させてＧｌｕ値を測定することができた。
【産業上の利用可能性】
【０５０３】
以上のように、本発明の生体試料の成分を測定する方法は、試薬層が配置された電極系において短時間でＨｃｔ値を測定することができ、かつ、同じ試薬層下で算出されるＧｌｕ値の精度が向上する。従って、本発明の方法は、生物学、生化学および医学等の血液成分を測定する、あらゆる分野に好ましく使用でき、特に臨床検査の分野に好適である。
【符号の説明】
【０５０４】
Ａ  電極Ａ
Ｂ  電極Ｂ
Ｃ  電極Ｃ
Ｄ  電極Ｄ
Ｅ  電極Ｅ
Ｆ  電極Ｆ
１１  試薬層
１２  生体試料供給口
１３  空気孔
１４  流路
１０１  絶縁基板
１０２  スペーサ
１０３  カバー
１  センサ
２  測定装置
４  表示部
５  装着口
６  入力端子部
３０  Ａ／Ｄ変換部
３１  判定手段
３２  表示部
３３  電源部
３４  メモリ
３５  時計
３６  補正手段
３７  電圧印加部
３８  電流−電圧変換部
３９  制御部
【図１】
0006595122.tif 000028
【図２】
0006595122.tif 000029
【図３】
0006595122.tif 000030
【図４】
0006595122.tif 000031
【図５】
0006595122.tif 000032
【図６】
0006595122.tif 000033
【図７】
0006595122.tif 000034
【図８】
0006595122.tif 000035
【図９】
0006595122.tif 000036
【図１０】
0006595122.tif 000037
【図１１】
0006595122.tif 000038
【図１２】
0006595122.tif 000039
【図１３】
0006595122.tif 000040
【図１４ａ】
0006595122.tif 000041
【図１４ｂ】
0006595122.tif 000042
【図１５ａ】
0006595122.tif 000043
【図１５ｂ】
0006595122.tif 000044
【図１６ａ】
0006595122.tif 000045
【図１６ｂ】
0006595122.tif 000046
【図１７ａ】
0006595122.tif 000047
【図１７ｂ】
0006595122.tif 000048
【図１８ａ】
0006595122.tif 000049
【図１８ｂ】
0006595122.tif 000050
【図１９】
0006595122.tif 000051
【図２０ａ】
0006595122.tif 000052
【図２０ｂ】
0006595122.tif 000053
【図２０ｃ】
0006595122.tif 000054
【図２０ｄ】
0006595122.tif 000055
【図２１ａ】
0006595122.tif 000056
【図２１ｂ】
0006595122.tif 000057
【図２１ｃ】
0006595122.tif 000058
【図２１ｄ】
0006595122.tif 000059
【図２２ａ】
0006595122.tif 000060
【図２２ｂ】
0006595122.tif 000061
【図２２ｃ】
0006595122.tif 000062
【図２２ｄ】
0006595122.tif 000063
【図２３ａ】
0006595122.tif 000064
【図２３ｂ】
0006595122.tif 000065
【図２３ｃ】
0006595122.tif 000066
【図２３ｄ】
0006595122.tif 000067
【図２４ａ】
0006595122.tif 000068
【図２４ｂ】
0006595122.tif 000069
【図２４ｃ】
0006595122.tif 000070
【図２４ｄ】
0006595122.tif 000071
【図２５ａ】
0006595122.tif 000072
【図２５ｂ】
0006595122.tif 000073
【図２５ｃ】
0006595122.tif 000074
【図２５ｄ】
0006595122.tif 000075
【図２６ａ】
0006595122.tif 000076
【図２６ｂ】
0006595122.tif 000077
【図２６ｃ】
0006595122.tif 000078
【図２６ｄ】
0006595122.tif 000079
【図２７ａ】
0006595122.tif 000080
【図２７ｂ】
0006595122.tif 000081
【図２７ｃ】
0006595122.tif 000082
【図２７ｄ】
0006595122.tif 000083
【図２８ａ】
0006595122.tif 000084
【図２８ｂ】
0006595122.tif 000085
【図２８ｃ】
0006595122.tif 000086
【図２８ｄ】
0006595122.tif 000087
【図２９ａ】
0006595122.tif 000088
【図２９ｂ】
0006595122.tif 000089
【図２９ｃ】
0006595122.tif 000090
【図２９ｄ】
0006595122.tif 000091
【図３０ａ】
0006595122.tif 000092
【図３０ｂ】
0006595122.tif 000093
【図３０ｃ】
0006595122.tif 000094
【図３０ｄ】
0006595122.tif 000095
【図３１ａ】
0006595122.tif 000096
【図３１ｂ】
0006595122.tif 000097
【図３１ｃ】
0006595122.tif 000098
【図３１ｄ】
0006595122.tif 000099
【図３２ａ】
0006595122.tif 000100
【図３２ｂ】
0006595122.tif 000101
【図３２ｃ】
0006595122.tif 000102
【図３２ｄ】
0006595122.tif 000103
【図３３ａ】
0006595122.tif 000104
【図３３ｂ】
0006595122.tif 000105
【図３３ｃ】
0006595122.tif 000106
【図３３ｄ】
0006595122.tif 000107
【図３４ａ】
0006595122.tif 000108
【図３４ｂ】
0006595122.tif 000109
【図３４ｃ】
0006595122.tif 000110
【図３４ｄ】
0006595122.tif 000111
【図３５ａ】
0006595122.tif 000112
【図３５ｂ】
0006595122.tif 000113
【図３６ａ】
0006595122.tif 000114
【図３６ｂ】
0006595122.tif 000115
【図３７ａ】
0006595122.tif 000116
【図３７ｂ】
0006595122.tif 000117
【図３８ａ】
0006595122.tif 000118
【図３８ｂ】
0006595122.tif 000119
【図３９ａ】
0006595122.tif 000120
【図３９ｂ】
0006595122.tif 000121
【図４０ａ】
0006595122.tif 000122
【図４０ｂ】
0006595122.tif 000123
【図４１ａ】
0006595122.tif 000124
【図４１ｂ】
0006595122.tif 000125
【図４２ａ】
0006595122.tif 000126
【図４２ｂ】
0006595122.tif 000127
【図４３ａ】
0006595122.tif 000128
【図４３ｂ】
0006595122.tif 000129
【図４４ａ】
0006595122.tif 000130
【図４４ｂ】
0006595122.tif 000131
【図４５ａ】
0006595122.tif 000132
【図４５ｂ】
0006595122.tif 000133
【図４６ａ】
0006595122.tif 000134
【図４６ｂ】
0006595122.tif 000135
【図４７ａ】
0006595122.tif 000136
【図４７ｂ】
0006595122.tif 000137
【図４８ａ】
0006595122.tif 000138
【図４８ｂ】
0006595122.tif 000139
【図４９ａ】
0006595122.tif 000140
【図４９ｂ】
0006595122.tif 000141
【図５０ａ】
0006595122.tif 000142
【図５０ｂ】
0006595122.tif 000143
【図５１ａ】
0006595122.tif 000144
【図５１ｂ】
0006595122.tif 000145
【図５２ａ】
0006595122.tif 000146
【図５２ｂ】
0006595122.tif 000147
【図５３ａ】
0006595122.tif 000148
【図５３ｂ】
0006595122.tif 000149
【図５４ａ】
0006595122.tif 000150
【図５４ｂ】
0006595122.tif 000151
【図５５ａ】
0006595122.tif 000152
【図５５ｂ】
0006595122.tif 000153
【図５６ａ】
0006595122.tif 000154
【図５６ｂ】
0006595122.tif 000155
【図５７ａ】
0006595122.tif 000156
【図５７ｂ】
0006595122.tif 000157
【図５８ａ】
0006595122.tif 000158
【図５８ｂ】
0006595122.tif 000159
【図５８ｃ】
0006595122.tif 000160
【図５８ｄ】
0006595122.tif 000161
【図５９ａ】
0006595122.tif 000162
【図５９ｂ】
0006595122.tif 000163
【図５９ｃ】
0006595122.tif 000164
【図５９ｄ】
0006595122.tif 000165
【図６０ａ】
0006595122.tif 000166
【図６０ｂ】
0006595122.tif 000167
【図６０ｃ】
0006595122.tif 000168
【図６０ｄ】
0006595122.tif 000169
【図６１ａ】
0006595122.tif 000170
【図６１ｂ】
0006595122.tif 000171
【図６１ｃ】
0006595122.tif 000172
【図６１ｄ】
0006595122.tif 000173
【図６２ａ】
0006595122.tif 000174
【図６２ｂ】
0006595122.tif 000175
【図６２ｃ】
0006595122.tif 000176
【図６２ｄ】
0006595122.tif 000177
【図６３ａ】
0006595122.tif 000178
【図６３ｂ】
0006595122.tif 000179
【図６３ｃ】
0006595122.tif 000180
【図６３ｄ】
0006595122.tif 000181
【図６４ａ】
0006595122.tif 000182
【図６４ｂ】
0006595122.tif 000183
【図６４ｃ】
0006595122.tif 000184
【図６４ｄ】
0006595122.tif 000185
【図６５ａ】
0006595122.tif 000186
【図６５ｂ】
0006595122.tif 000187
【図６５ｃ】
0006595122.tif 000188
【図６５ｄ】
0006595122.tif 000189
【図６６ａ】
0006595122.tif 000190
【図６６ｂ】
0006595122.tif 000191
【図６６ｃ】
0006595122.tif 000192
【図６６ｄ】
0006595122.tif 000193
【図６７ａ】
0006595122.tif 000194
【図６７ｂ】
0006595122.tif 000195
【図６７ｃ】
0006595122.tif 000196
【図６７ｄ】
0006595122.tif 000197
【図６８ａ】
0006595122.tif 000198
【図６８ｂ】
0006595122.tif 000199
【図６９ａ】
0006595122.tif 000200
【図６９ｂ】
0006595122.tif 000201
【図７０ａ】
0006595122.tif 000202
【図７０ｂ】
0006595122.tif 000203
【図７１ａ】
0006595122.tif 000204
【図７１ｂ】
0006595122.tif 000205
【図７２ａ】
0006595122.tif 000206
【図７２ｂ】
0006595122.tif 000207
【図７３ａ】
0006595122.tif 000208
【図７３ｂ】
0006595122.tif 000209
【図７４ａ】
0006595122.tif 000210
【図７４ｂ】
0006595122.tif 000211
【図７５ａ】
0006595122.tif 000212
【図７５ｂ】
0006595122.tif 000213
【図７６ａ】
0006595122.tif 000214
【図７６ｂ】
0006595122.tif 000215
【図７７ａ】
0006595122.tif 000216
【図７７ｂ】
0006595122.tif 000217
【図７８ａ】
0006595122.tif 000218
【図７８ｂ】
0006595122.tif 000219
【図７９ａ】
0006595122.tif 000220
【図７９ｂ】
0006595122.tif 000221
【図８０】
0006595122.tif 000222
【図８１ａ】
0006595122.tif 000223
【図８１ｂ】
0006595122.tif 000224
【図８２ａ】
0006595122.tif 000225
【図８２ｂ】
0006595122.tif 000226
【図８３ａ】
0006595122.tif 000227
【図８３ｂ】
0006595122.tif 000228
【図８４ａ】
0006595122.tif 000229
【図８４ｂ】
0006595122.tif 000230
【図８５ａ】
0006595122.tif 000231
【図８５ｂ】
0006595122.tif 000232
【図８６ａ】
0006595122.tif 000233
【図８６ｂ】
0006595122.tif 000234
【図８７ａ】
0006595122.tif 000235
【図８７ｂ】
0006595122.tif 000236
【図８８ａ】
0006595122.tif 000237
【図８８ｂ】
0006595122.tif 000238
【図８９ａ】
0006595122.tif 000239
【図８９ｂ】
0006595122.tif 000240
【図９０ａ】
0006595122.tif 000241
【図９０ｂ】
0006595122.tif 000242
【図９１ａ】
0006595122.tif 000243
【図９１ｂ】
0006595122.tif 000244
【図９２ａ】
0006595122.tif 000245
【図９２ｂ】
0006595122.tif 000246
【図９３ａ】
0006595122.tif 000247
【図９３ｂ】
0006595122.tif 000248
【図９４ａ】
0006595122.tif 000249
【図９４ｂ】
0006595122.tif 000250
【図９５ａ】
0006595122.tif 000251
【図９５ｂ】
0006595122.tif 000252
【図９６ａ】
0006595122.tif 000253
【図９６ｂ】
0006595122.tif 000254
【図９７ａ】
0006595122.tif 000255
【図９７ｂ】
0006595122.tif 000256
【図９８ａ】
0006595122.tif 000257
【図９８ｂ】
0006595122.tif 000258
【図９９ａ】
0006595122.tif 000259
【図９９ｂ】
0006595122.tif 000260
【図１００ａ】
0006595122.tif 000261
【図１００ｂ】
0006595122.tif 000262
【図１０１ａ】
0006595122.tif 000263
【図１０１ｂ】
0006595122.tif 000264
【図１０２ａ】
0006595122.tif 000265
【図１０２ｂ】
0006595122.tif 000266
【図１０３ａ】
0006595122.tif 000267
【図１０３ｂ】
0006595122.tif 000268
【図１０４ａ】
0006595122.tif 000269
【図１０４ｂ】
0006595122.tif 000270
【図１０５ａ】
0006595122.tif 000271
【図１０５ｂ】
0006595122.tif 000272
【図１０６ａ】
0006595122.tif 000273
【図１０６ｂ】
0006595122.tif 000274
【図１０７ａ】
0006595122.tif 000275
【図１０７ｂ】
0006595122.tif 000276
【図１０８ａ】
0006595122.tif 000277
【図１０８ｂ】
0006595122.tif 000278
【図１０９ａ】
0006595122.tif 000279
【図１０９ｂ】
0006595122.tif 000280
【図１１０ａ】
0006595122.tif 000281
【図１１０ｂ】
0006595122.tif 000282
【図１１１ａ】
0006595122.tif 000283
【図１１１ｂ】
0006595122.tif 000284
【図１１２ａ】
0006595122.tif 000285
【図１１２ｂ】
0006595122.tif 000286
【図１１３ａ】
0006595122.tif 000287
【図１１３ｂ】
0006595122.tif 000288
【図１１４ａ】
0006595122.tif 000289
【図１１４ｂ】
0006595122.tif 000290
【図１１５ａ】
0006595122.tif 000291
【図１１５ｂ】
0006595122.tif 000292
【図１１６ａ】
0006595122.tif 000293
【図１１６ｂ】
0006595122.tif 000294
【図１１７ａ】
0006595122.tif 000295
【図１１７ｂ】
0006595122.tif 000296
【図１１８ａ】
0006595122.tif 000297
【図１１８ｂ】
0006595122.tif 000298
【図１１９ａ】
0006595122.tif 000299
【図１１９ｂ】
0006595122.tif 000300
【図１２０ａ】
0006595122.tif 000301
【図１２０ｂ】
0006595122.tif 000302
【図１２１ａ】
0006595122.tif 000303
【図１２１ｂ】
0006595122.tif 000304
【図１２２ａ】
0006595122.tif 000305
【図１２２ｂ】
0006595122.tif 000306
【図１２３ａ】
0006595122.tif 000307
【図１２３ｂ】
0006595122.tif 000308
【図１２４ａ】
0006595122.tif 000309
【図１２４ｂ】
0006595122.tif 000310
【図１２５ａ】
0006595122.tif 000311
【図１２５ｂ】
0006595122.tif 000312
【図１２６ａ】
0006595122.tif 000313
【図１２６ｂ】
0006595122.tif 000314
【図１２７ａ】
0006595122.tif 000315
【図１２７ｂ】
0006595122.tif 000316